(57)【特許請求の範囲】
【請求項１】
写真シール作成ゲームとして、利用者に、前記利用者を被写体とする撮影作業、および、前記撮影作業により得られた前記利用者の画像に対して編集情報を入力する編集入力作業を行わせ、さらに、得られた編集済みの前記利用者の画像を所定のシールシートに印刷し、印刷された前記シールシートを排出し、写真シールとして前記利用者に提供する写真シール作成装置と、前記写真シール作成装置において作成された編集済みの前記利用者の画像を、前記利用者の携帯型電話機に提供する画像提供装置とを有する写真シール提供システムであって、
前記写真シール作成装置は、
複数の画像を並べて１枚の画像として表示および合成する連結が行われた画像であるつなぎプリを構成する撮影画像を得るための複数回の撮影を行う連結撮影手段と、
前記連結撮影手段により得られた複数の撮影画像から作成される前記つなぎプリに対して行われた前記編集入力作業により入力された前記編集情報に基づいて、前記つなぎプリを編集する編集手段と、
前記編集手段により編集された前記つなぎプリを前記シールシートに印刷し、前記利用者に提供する印刷手段と、
前記編集手段により編集された前記つなぎプリの画像データを前記画像提供装置に送信する画像データ送信手段と
を備え、
前記画像提供装置は、
前記写真シール作成装置より送信された前記つなぎプリの画像データを取得する取得手段と、
前記取得手段により取得された前記つなぎプリの画像データを記憶する画像データ記憶手段と、
前記利用者からの要求に基づいて、前記画像データ記憶手段により記憶されている前記つなぎプリの画像データの送信の準備として、前記つなぎプリの画像データの縦横比を、前記携帯型電話機の表示部の縦横比に一致または近似させるように、前記画像データ記憶手段より読み出した前記つなぎプリの画像データを加工し、前記つなぎプリを９０度回転させる準備手段と、
前記準備手段により縦横比が変更された前記つなぎプリの画像データを、前記携帯型電話機に提供する提供手段と
を備える写真シール作成システム。
【請求項２】
写真シール作成ゲームとして、利用者に、前記利用者を被写体とする撮影作業、および、前記撮影作業により得られた前記利用者の画像に対して編集情報を入力する編集入力作業を行わせ、さらに、得られた編集済みの前記利用者の画像を所定のシールシートに印刷し、印刷された前記シールシートを排出し、写真シールとして前記利用者に提供する写真シール作成装置と、前記写真シール作成装置において作成された編集済みの前記利用者の画像を、前記利用者の携帯型電話機に提供する画像提供装置とを有する写真シール提供システムの写真シール提供方法であって、
前記写真シール作成装置において、
複数の画像を並べて１枚の画像として表示および合成する連結が行われた画像であるつなぎプリを構成する撮影画像を得るための複数回の撮影を行い、
得られた複数の撮影画像から作成される前記つなぎプリに対して行われた前記編集入力作業により入力された前記編集情報に基づいて、前記つなぎプリを編集し、
編集された前記つなぎプリを前記シールシートに印刷し、前記利用者に提供し、
編集された前記つなぎプリの画像データを前記画像提供装置に送信し、
前記画像提供装置において、
前記写真シール作成装置より送信された前記つなぎプリの画像データを取得し、
取得された前記つなぎプリの画像データを記憶し、
前記利用者からの要求に基づいて、記憶されている前記つなぎプリの画像データの送信の準備として、前記つなぎプリの画像データの縦横比を、前記携帯型電話機の表示部の縦横比に一致または近似させるように、前記つなぎプリの画像データを加工し、前記つなぎプリを９０度回転させ、
縦横比が変更された前記つなぎプリの画像データを、前記携帯型電話機に提供する
ステップを含む写真シール作成方法。
【請求項３】
写真シール作成ゲームとして、利用者に、前記利用者を被写体とする撮影作業、および、前記撮影作業により得られた前記利用者の画像に対して編集情報を入力する編集入力作業を行わせ、さらに、得られた編集済みの前記利用者の画像を所定のシールシートに印刷し、印刷された前記シールシートを排出し、写真シールとして前記利用者に提供する処理を写真シール作成装置に実行させ、前記写真シール作成装置において作成された編集済みの前記利用者の画像を、前記利用者の携帯型電話機に提供する処理を画像提供装置に実行させるプログラムであって、
前記写真シール作成装置を、
複数の画像を並べて１枚の画像として表示および合成する連結が行われた画像であるつなぎプリを構成する撮影画像を得るための複数回の撮影を行う連結撮影手段、
前記連結撮影手段により得られた複数の撮影画像から作成される前記つなぎプリに対して行われた前記編集入力作業により入力された前記編集情報に基づいて、前記つなぎプリを編集する編集手段、
前記編集手段により編集された前記つなぎプリを前記シールシートに印刷し、前記利用者に提供する印刷手段、
前記編集手段により編集された前記つなぎプリの画像データを前記画像提供装置に送信する画像データ送信手段
として機能させ、
前記画像提供装置を、
前記写真シール作成装置より送信された前記つなぎプリの画像データを取得する取得手段、
前記取得手段により取得された前記つなぎプリの画像データを記憶する画像データ記憶手段、
前記利用者からの要求に基づいて、前記画像データ記憶手段により記憶されている前記つなぎプリの画像データの送信の準備として、前記つなぎプリの画像データの縦横比を、前記携帯型電話機の表示部の縦横比に一致または近似させるように、前記画像データ記憶手段より読み出した前記つなぎプリの画像データを加工し、前記つなぎプリを９０度回転させる準備手段、
前記準備手段により縦横比が変更された前記つなぎプリの画像データを、前記携帯型電話機に提供する提供手段
として機能させるためのプログラム。
【請求項４】
写真シール作成ゲームとして、利用者に、前記利用者を被写体とする撮影作業、および、前記撮影作業により得られた前記利用者の画像に対して編集情報を入力する編集入力作業を行わせ、さらに、得られた編集済みの前記利用者の画像を所定のシールシートに印刷し、印刷された前記シールシートを排出し、写真シールとして前記利用者に提供する写真シール作成装置と、前記写真シール作成装置において作成された編集済みの前記利用者の画像を、前記利用者の携帯型電話機に提供する画像提供装置とを有する写真シール提供システムであって、
前記写真シール作成装置は、
複数の画像を並べて１枚の画像として表示および合成する連結が行われた画像であるつなぎプリを構成する撮影画像を得るための複数回の撮影を行う連結撮影手段と、
前記連結撮影手段により得られた複数の撮影画像から作成される前記つなぎプリに対して行われた前記編集入力作業により入力された前記編集情報に基づいて、前記つなぎプリを編集する編集手段と、
前記編集手段により編集された前記つなぎプリを前記シールシートに印刷し、前記利用者に提供する印刷手段と、
前記編集手段により編集された前記つなぎプリの画像データを前記画像提供装置に送信する画像データ送信手段と
を備え、
前記画像提供装置は、
前記写真シール作成装置より送信された前記つなぎプリの画像データを取得する取得手段と、
前記取得手段により取得された前記つなぎプリの画像データを記憶する画像データ記憶手段と、
前記つなぎプリの上下に合成するための所定のフレーム画像を記憶するフレーム画像記憶手段と、
前記つなぎプリに対して、前記フレーム画像記憶手段により記憶されている前記フレーム画像を、前記つなぎプリの上下に繋ぎ合わせるように合成するフレーム編集を行うフレーム編集手段と、
前記利用者からの要求に基づいて、前記画像データ記憶手段により記憶されている前記つなぎプリの画像データの送信の準備として、前記つなぎプリの画像データの縦横比を、前記携帯型電話機の表示部の縦横比に一致または近似させるように、前記画像データ記憶手段より読み出した前記つなぎプリに対して、前記フレーム編集手段に前記フレーム編集を行わせる準備手段と、
前記準備手段により縦横比が変更された前記つなぎプリの画像データを、前記携帯型電話機に提供する提供手段と
を備える写真シール作成システム。
【請求項５】
前記写真シール作成装置において、
前記編集手段は、前記つなぎプリの画像データに合成したフレーム画像に対応する、フレーム画像用の識別情報であるフレーム番号を付加し、
前記画像提供装置において、
前記フレーム画像記憶手段は、前記フレーム画像を前記フレーム番号を用いて管理し、
前記フレーム編集手段は、前記つなぎプリの画像データに付加されたフレーム番号に対応するフレーム画像、または前記フレーム番号に近似するフレーム番号に対応するフレーム画像を、前記つなぎプリに合成する
請求項４に記載の写真シール作成システム。
【請求項６】
写真シール作成ゲームとして、利用者に、前記利用者を被写体とする撮影作業、および、前記撮影作業により得られた前記利用者の画像に対して編集情報を入力する編集入力作業を行わせ、さらに、得られた編集済みの前記利用者の画像を所定のシールシートに印刷し、印刷された前記シールシートを排出し、写真シールとして前記利用者に提供する写真シール作成装置と、前記写真シール作成装置において作成された編集済みの前記利用者の画像を、前記利用者の携帯型電話機に提供する画像提供装置とを有する写真シール提供システムであって、
前記写真シール作成装置は、
複数の画像を並べて１枚の画像として表示および合成する連結が行われた画像であるつなぎプリを構成する撮影画像を得るための複数回の撮影を行う連結撮影手段と、
前記連結撮影手段により得られた複数の撮影画像から作成される前記つなぎプリに対して行われた前記編集入力作業により入力された前記編集情報に基づいて、前記つなぎプリを編集する編集手段と、
前記編集手段により編集された前記つなぎプリを前記シールシートに印刷し、前記利用者に提供する印刷手段と、
前記編集手段により編集された前記つなぎプリの画像データを前記画像提供装置に送信する画像データ送信手段と
を備え、
前記画像提供装置は、
前記写真シール作成装置より送信された前記つなぎプリの画像データを取得する取得手段と、
前記取得手段により取得された前記つなぎプリの画像データを記憶する画像データ記憶手段と、
前記利用者が前記携帯型電話機を操作して入力する、前記つなぎプリの全体画像から部分画像を切抜く位置を指定する切抜き位置指定を受け付ける切抜き位置指定受付手段と、
前記切抜き位置指定受付手段により受け付けられた前記指定により指定される前記位置において、前記つなぎプリの全体画像から前記部分画像を切抜く処理を行う切抜き処理手段と、
前記利用者からの要求に基づいて、前記画像データ記憶手段により記憶されている前記つなぎプリの画像データの送信の準備として、前記つなぎプリの画像データの縦横比を、前記携帯型電話機の表示部の縦横比に一致または近似させるように、前記画像データ記憶手段より読み出した前記つなぎプリに対して、前記切抜き処理手段に切抜き処理を行わせる準備手段と、
前記準備手段により縦横比が変更された前記つなぎプリの画像データを、前記携帯型電話機に提供する提供手段と
を備える写真シール作成システム。
【請求項７】
前記画像提供装置において、
前記切抜き位置指定受付手段は、可動式の切り抜き枠で、固定的なつなぎプリの全体画像より前記切抜き位置を指定するGUIを前記携帯型電話機に提供し、前記GUIに基づいて入力された切抜き位置指定を受け付ける
請求項６に記載の写真シール作成システム。
【請求項８】
前記画像提供装置において、
前記切抜き位置指定受付手段は、固定的な切り抜き枠で、可動式のつなぎプリの全体画像より前記切抜き位置を指定するGUIを前記携帯型電話機に提供し、前記GUIに基づいて入力された切抜き位置指定を受け付ける
請求項６に記載の写真シール作成システム。
【請求項９】
写真シール作成ゲームとして、利用者に、前記利用者を被写体とする撮影作業、および、前記撮影作業により得られた前記利用者の画像に対して編集情報を入力する編集入力作業を行わせ、さらに、得られた編集済みの前記利用者の画像を所定のシールシートに印刷し、印刷された前記シールシートを排出し、写真シールとして前記利用者に提供する写真シール作成装置と、前記写真シール作成装置において作成された編集済みの前記利用者の画像を、前記利用者の携帯型電話機に提供する画像提供装置とを有する写真シール提供システムであって、
前記写真シール作成装置は、
複数の画像を並べて１枚の画像として表示および合成する連結が行われた画像であるつなぎプリを構成する撮影画像を得るための複数回の撮影を行う連結撮影手段と、
前記連結撮影手段により得られた複数の撮影画像から作成される前記つなぎプリに対して行われた前記編集入力作業により入力された前記編集情報に基づいて、前記つなぎプリを編集する編集手段と、
前記編集手段により編集された前記つなぎプリと、前記写真シール作成ゲームを行った前記利用者の組を識別する識別情報とを、前記シールシートに印刷し、前記利用者に提供する印刷手段と、
前記編集手段により編集された前記つなぎプリの画像データとともに前記識別情報を前記画像提供装置に送信する画像データ送信手段と
を備え、
前記画像提供装置は、
前記写真シール作成装置より送信された前記つなぎプリの画像データを取得する取得手段と、
前記取得手段により取得された前記つなぎプリの画像データを記憶する画像データ記憶手段と、
前記取得手段により前記つなぎプリの画像データとともに取得された前記識別情報を保管する識別情報保管手段と、
利用者からの識別情報の入力を受け付ける識別情報入力受付手段と、
前記識別情報保管手段により保管されている前記識別情報を用いて、前記識別情報入力受付手段により受け付けられた前記利用者からの識別情報を認証する認証手段と、
前記利用者からの要求に基づいて、前記画像データ記憶手段により記憶されている前記つなぎプリの画像データの送信の準備として、前記つなぎプリの画像データの縦横比を、前記携帯型電話機の表示部の縦横比に一致または近似させるように変更する準備手段と、
前記準備手段により縦横比が変更された前記つなぎプリの画像データを、前記携帯型電話機に提供する提供手段と
を備える写真シール作成システム。
【請求項１０】
前記写真シール作成装置において、
前記識別情報を電子メールで携帯型電話機に送信する識別情報送信手段をさらに備える
請求項９に記載の写真シール作成システム。
【請求項１１】
写真シール作成ゲームとして、利用者に、前記利用者を被写体とする撮影作業、および、前記撮影作業により得られた前記利用者の画像に対して編集情報を入力する編集入力作業を行わせ、さらに、得られた編集済みの前記利用者の画像を所定のシールシートに印刷し、印刷された前記シールシートを排出し、写真シールとして前記利用者に提供する写真シール作成装置において作成された編集済みの前記利用者の画像を、前記利用者の携帯型電話機に提供する画像提供装置であって、
前記写真シール作成装置より送信された、前記写真シール作成装置において行われる複数回の撮影により得られる複数の画像を並べて１枚の画像として表示および合成する連結が行われた画像であるつなぎプリの画像データを取得する取得手段と、
前記取得手段により取得された前記つなぎプリの画像データを記憶する画像データ記憶手段と、
前記利用者からの要求に基づいて、前記画像データ記憶手段により記憶されている前記つなぎプリの画像データの送信の準備として、前記つなぎプリの画像データの縦横比を、前記携帯型電話機の表示部の縦横比に一致または近似させるように、前記画像データ記憶手段より読み出した前記つなぎプリの画像データを加工し、前記つなぎプリを９０度回転させる準備手段と、
前記準備手段により縦横比が変更された前記つなぎプリの画像データを、前記携帯型電話機に提供する提供手段と
を備える画像提供装置。
【請求項１２】
写真シール作成ゲームとして、利用者に、前記利用者を被写体とする撮影作業、および、前記撮影作業により得られた前記利用者の画像に対して編集情報を入力する編集入力作業を行わせ、さらに、得られた編集済みの前記利用者の画像を所定のシールシートに印刷し、印刷された前記シールシートを排出し、写真シールとして前記利用者に提供する写真シール作成装置において作成された編集済みの前記利用者の画像を、前記利用者の携帯型電話機に提供する画像提供装置の画像提供方法であって、
前記写真シール作成装置より送信された、前記写真シール作成装置において行われる複数回の撮影により得られる複数の画像を並べて１枚の画像として表示および合成する連結が行われた画像であるつなぎプリの画像データを取得し、
取得された前記つなぎプリの画像データを記憶し、
前記利用者からの要求に基づいて、記憶されている前記つなぎプリの画像データの送信の準備として、前記つなぎプリの画像データの縦横比を、前記携帯型電話機の表示部の縦横比に一致または近似させるように、前記画像データ記憶手段より読み出した前記つなぎプリの画像データを加工し、前記つなぎプリを９０度回転させ、
縦横比が変更された前記つなぎプリの画像データを、前記携帯型電話機に提供する
ステップを含む画像提供方法。
【請求項１３】
写真シール作成ゲームとして、利用者に、前記利用者を被写体とする撮影作業、および、前記撮影作業により得られた前記利用者の画像に対して編集情報を入力する編集入力作業を行わせ、さらに、得られた編集済みの前記利用者の画像を所定のシールシートに印刷し、印刷された前記シールシートを排出し、写真シールとして前記利用者に提供する写真シール作成装置において作成された編集済みの前記利用者の画像を、前記利用者の携帯型電話機に提供する処理を行うコンピュータを、
前記写真シール作成装置より送信された、前記写真シール作成装置において行われる複数回の撮影により得られる複数の画像を並べて１枚の画像として表示および合成する連結が行われた画像であるつなぎプリの画像データを取得する取得手段、
前記取得手段により取得された前記つなぎプリの画像データを記憶する画像データ記憶手段、
前記利用者からの要求に基づいて、前記画像データ記憶手段により記憶されている前記つなぎプリの画像データの送信の準備として、前記つなぎプリの画像データの縦横比を、前記携帯型電話機の表示部の縦横比に一致または近似させるように、前記画像データ記憶手段より読み出した前記つなぎプリの画像データを加工し、前記つなぎプリを９０度回転させる準備手段、
前記準備手段により縦横比が変更された前記つなぎプリの画像データを、前記携帯型電話機に提供する提供手段
として機能させるためのプログラム。
【請求項１４】
写真シール作成ゲームとして、利用者に、前記利用者を被写体とする撮影作業、および、前記撮影作業により得られた前記利用者の画像に対して編集情報を入力する編集入力作業を行わせ、さらに、得られた編集済みの前記利用者の画像を所定のシールシートに印刷し、印刷された前記シールシートを排出し、写真シールとして前記利用者に提供する写真シール作成装置において作成された編集済みの前記利用者の画像を、前記利用者の携帯型電話機に提供する画像提供装置であって、
前記写真シール作成装置より送信された、前記写真シール作成装置において行われる複数回の撮影により得られる複数の画像を並べて１枚の画像として表示および合成する連結が行われた画像であるつなぎプリの画像データを取得する取得手段と、
前記取得手段により取得された前記つなぎプリの画像データを記憶する画像データ記憶手段と、
前記つなぎプリの上下に合成するための所定のフレーム画像を記憶するフレーム画像記憶手段と、
前記つなぎプリに対して、前記フレーム画像記憶手段により記憶されている前記フレーム画像を、前記つなぎプリの上下に繋ぎ合わせるように合成するフレーム編集を行うフレーム編集手段と、
前記利用者からの要求に基づいて、前記画像データ記憶手段により記憶されている前記つなぎプリの画像データの送信の準備として、前記つなぎプリの画像データの縦横比を、前記携帯型電話機の表示部の縦横比に一致または近似させるように、前記画像データ記憶手段より読み出した前記つなぎプリに対して、前記フレーム編集手段に前記フレーム編集を行わせる準備手段と、
前記準備手段により縦横比が変更された前記つなぎプリの画像データを、前記携帯型電話機に提供する提供手段と
を備える画像提供装置。
【請求項１５】
前記フレーム画像記憶手段は、前記フレーム画像を前記フレーム番号を用いて管理し、
前記フレーム編集手段は、前記つなぎプリの画像データに付加されたフレーム番号に対応するフレーム画像、または前記フレーム番号に近似するフレーム番号に対応するフレーム画像を、前記つなぎプリに合成する
請求項１４に記載の画像提供装置。
【請求項１６】
写真シール作成ゲームとして、利用者に、前記利用者を被写体とする撮影作業、および、前記撮影作業により得られた前記利用者の画像に対して編集情報を入力する編集入力作業を行わせ、さらに、得られた編集済みの前記利用者の画像を所定のシールシートに印刷し、印刷された前記シールシートを排出し、写真シールとして前記利用者に提供する写真シール作成装置において作成された編集済みの前記利用者の画像を、前記利用者の携帯型電話機に提供する画像提供装置であって、
前記写真シール作成装置より送信された、前記写真シール作成装置において行われる複数回の撮影により得られる複数の画像を並べて１枚の画像として表示および合成する連結が行われた画像であるつなぎプリの画像データを取得する取得手段と、
前記取得手段により取得された前記つなぎプリの画像データを記憶する画像データ記憶手段と、
前記利用者が前記携帯型電話機を操作して入力する、前記つなぎプリの全体画像から部分画像を切抜く位置を指定する切抜き位置指定を受け付ける切抜き位置指定受付手段と、
前記切抜き位置指定受付手段により受け付けられた前記指定により指定される前記位置において、前記つなぎプリの全体画像から前記部分画像を切抜く処理を行う切抜き処理手段と、
前記利用者からの要求に基づいて、前記画像データ記憶手段により記憶されている前記つなぎプリの画像データの送信の準備として、前記つなぎプリの画像データの縦横比を、前記携帯型電話機の表示部の縦横比に一致または近似させるように、前記画像データ記憶手段より読み出した前記つなぎプリに対して、前記切抜き処理手段に切抜き処理を行わせる準備手段と、
前記準備手段により縦横比が変更された前記つなぎプリの画像データを、前記携帯型電話機に提供する提供手段と
を備える画像提供装置。
【請求項１７】
前記切抜き位置指定受付手段は、可動式の切り抜き枠で、固定的なつなぎプリの全体画像より前記切抜き位置を指定するGUIを前記携帯型電話機に提供し、前記GUIに基づいて入力された切抜き位置指定を受け付ける
請求項１６に記載の画像提供装置。
【請求項１８】
前記切抜き位置指定受付手段は、固定的な切り抜き枠で、可動式のつなぎプリの全体画像より前記切抜き位置を指定するGUIを前記携帯型電話機に提供し、前記GUIに基づいて入力された切抜き位置指定を受け付ける
請求項１６に記載の画像提供装置。
【請求項１９】
写真シール作成ゲームとして、利用者に、前記利用者を被写体とする撮影作業、および、前記撮影作業により得られた前記利用者の画像に対して編集情報を入力する編集入力作業を行わせ、さらに、得られた編集済みの前記利用者の画像を所定のシールシートに印刷し、印刷された前記シールシートを排出し、写真シールとして前記利用者に提供する写真シール作成装置において作成された編集済みの前記利用者の画像を、前記利用者の携帯型電話機に提供する画像提供装置であって、
前記写真シール作成装置より送信された、前記写真シール作成装置において行われる複数回の撮影により得られる複数の画像を並べて１枚の画像として表示および合成する連結が行われた画像であるつなぎプリの画像データを取得する取得手段と、
前記取得手段により取得された前記つなぎプリの画像データを記憶する画像データ記憶手段と、
前記取得手段により前記つなぎプリの画像データとともに取得された、前記写真シール作成装置において前記写真シール作成ゲームを行った前記利用者の組を識別する識別情報を保管する識別情報保管手段と、
利用者からの識別情報の入力を受け付ける識別情報入力受付手段と、
前記識別情報保管手段により保管されている前記識別情報を用いて、前記識別情報入力受付手段により受け付けられた前記利用者からの識別情報を認証する認証手段と、
前記利用者からの要求に基づいて、前記画像データ記憶手段により記憶されている前記つなぎプリの画像データの送信の準備として、前記つなぎプリの画像データの縦横比を、前記携帯型電話機の表示部の縦横比に一致または近似させるように変更する準備手段と、
前記準備手段により縦横比が変更された前記つなぎプリの画像データを、前記携帯型電話機に提供する提供手段と
を備える画像提供装置。
【発明の詳細な説明】
【技術分野】
【０００１】
本発明は、写真シール提供システムおよび方法、画像提供装置および方法、並びにプログラムに関し、特に、撮影画像を画像データとして利用者に提供する際に、表示領域に応じた編集を行うようにし、利用者の満足度を向上させ、収益性を向上させることができるようにした写真シール提供システムおよび方法、画像提供装置および方法、並びにプログラムに関する。
【背景技術】
【０００２】
従来、利用者（被写体）を撮影し、得られた被写体の画像を予め用意されたフレーム画像、スタンプ画像、または手書きの線画像の落書き入力画像と合成する編集処理を行い、シール紙に印刷し、利用者に提供する写真シール機が知られている。
【０００３】
近年では、このような写真シール機において、編集済みの画像を、シール紙として利用者に提供するだけでなく、画像データとして利用者の携帯型電話機等に送信して提供するものもある（例えば、特許文献１参照）。
【０００４】
通常、写真シール機で撮影する画像も携帯型電話機の画面も縦長である。そのため、撮影した画像をそのまま携帯型電話機に送信しても、画面に画像を表示するのに問題は無かった。
【０００５】
【特許文献１】特開２００３−２９８８０３号公報
【発明の開示】
【発明が解決しようとする課題】
【０００６】
しかしながら、近年においては、写真シール機も多機能化し、様々なサービスを提供するようになり、画像のサイズの縦横比が統一されていない（画像によって縦横比が異なる）写真シールを提供するものも存在する。例えば、利用者がある１つのテーマに沿って２回連続して撮影し、得られた画像を横（もしくは縦）に並べることによって、個別の画像に関連性を持たせて閲覧する遊びを提供するものもある。例えば、糸電話で話している撮影画像Ａと糸電話で聞いている撮影画像Ｂを個別で撮影し、後で利用者の携帯型電話機の画面を横に並べて表示させることによって、『糸電話』をテーマにした写真が出来上がる。
【０００７】
このように撮影画像Ａと撮影画像Ｂを並べて表示させるように合成して１枚の画像とした場合、縦幅より横幅の方が長くなるので、この合成画像をそのまま携帯型電話機に送信しても、携帯型電話機の表示画面に合成画像が入りきらない。また、この合成画像が携帯型電話機の表示画面に収まるように横幅を縮小しても、今度は縦幅が表示画面より小さくなってしまい、上下に空白ができてしまう。このように、合成画像の縦横比と表示画面の縦横比が異なることにより、合成画像を好ましい状態で携帯型電話機の表示画面に表示させることができない恐れがあった。このため、この合成画像を携帯型電話機に送信しても、利用者は、写真シールに印刷された画像と同じように、十分に楽しむことができない恐れがあった。
【０００８】
本発明は、このような状況に鑑みてなされたものであり、撮影画像を画像データとして利用者に提供する際に、表示領域に応じた編集を行うようにすることにより、利用者の満足度を向上させ、収益性を向上させるようにするものである。
【課題を解決するための手段】
【０００９】
本発明の第１の側面は、写真シール作成ゲームとして、利用者に、前記利用者を被写体とする撮影作業、および、前記撮影作業により得られた前記利用者の画像に対して編集情報を入力する編集入力作業を行わせ、さらに、得られた編集済みの前記利用者の画像を所定のシールシートに印刷し、印刷された前記シールシートを排出し、写真シールとして前記利用者に提供する写真シール作成装置と、前記写真シール作成装置において作成された編集済みの前記利用者の画像を、前記利用者の携帯型電話機に提供する画像提供装置とを有する写真シール提供システムであって、前記写真シール作成装置は、複数の画像を並べて１枚の画像として表示および合成する連結が行われた画像であるつなぎプリを構成する撮影画像を得るための複数回の撮影を行う連結撮影手段と、前記連結撮影手段により得られた複数の撮影画像から作成される前記つなぎプリに対して行われた前記編集入力作業により入力された前記編集情報に基づいて、前記つなぎプリを編集する編集手段と、前記編集手段により編集された前記つなぎプリを前記シールシートに印刷し、前記利用者に提供する印刷手段と、前記編集手段により編集された前記つなぎプリの画像データを前記画像提供装置に送信する画像データ送信手段とを備え、前記画像提供装置は、前記写真シール作成装置より送信された前記つなぎプリの画像データを取得する取得手段と、前記取得手段により取得された前記つなぎプリの画像データを記憶する画像データ記憶手段と、前記利用者からの要求に基づいて、前記画像データ記憶手段により記憶されている前記つなぎプリの画像データの送信の準備として、前記つなぎプリの画像データの縦横比を、前記携帯型電話機の表示部の縦横比に一致または近似させるように、前記画像データ記憶手段より読み出した前記つなぎプリの画像データを加工し、前記つなぎプリを９０度回転させる準備手段と、前記準備手段により縦横比が変更された前記つなぎプリの画像データを、前記携帯型電話機に提供する提供手段とを備える写真シール作成システムである。
【００１０】
この写真シール作成装置の、連結撮影手段は、例えば、連結撮影処理部により構成され、編集手段は、例えば、編集処理部により構成され、印刷手段は、例えば、印刷処理部により構成され、送信手段は、例えば、管理部により構成される。また、画像提供装置の、取得手段は、例えば、画像取得処理部により構成され、画像データ記憶手段は、例えば、画像記憶部により構成され、準備手段は、例えば、画像準備処理部により構成され、提供手段は、例えば、提供処理部により構成される。
【００１１】
本発明の写真シール作成システムにおいては、写真シール作成装置では、複数の画像を並べて１枚の画像として表示および合成する連結が行われた画像であるつなぎプリを構成する撮影画像を得るための複数回の撮影が行われ、得られた複数の撮影画像から作成されるつなぎプリに対して行われた編集入力作業により入力された編集情報に基づいて、つなぎプリが編集され、編集されたつなぎプリがシールシートに印刷され、利用者に提供され、編集されたつなぎプリの画像データが画像提供装置に送信され、画像提供装置では、写真シール作成装置より送信されたつなぎプリの画像データが取得され、取得されたつなぎプリの画像データが記憶され、利用者からの要求に基づいて、記憶されているつなぎプリの画像データの送信の準備として、つなぎプリの画像データの縦横比が、携帯型電話機の表示部の縦横比に一致または近似させるように、読み出したつなぎプリの画像データが加工され、９０度回転されることにより縦横比が変更されたつなぎプリの画像データがその携帯型電話機に提供される。
【００１２】
従って、写真シール作成システムは、撮影画像を画像データとして利用者に提供する際に、表示領域に応じた編集を行うようにすることにより、より好ましい状態で画像を表示領域に表示させるようにすることができ、これにより、利用者の満足度を向上させ、収益性を向上させることができる。
本発明の第１の側面は、また、写真シール作成ゲームとして、利用者に、前記利用者を被写体とする撮影作業、および、前記撮影作業により得られた前記利用者の画像に対して編集情報を入力する編集入力作業を行わせ、さらに、得られた編集済みの前記利用者の画像を所定のシールシートに印刷し、印刷された前記シールシートを排出し、写真シールとして前記利用者に提供する写真シール作成装置と、前記写真シール作成装置において作成された編集済みの前記利用者の画像を、前記利用者の携帯型電話機に提供する画像提供装置とを有する写真シール提供システムの写真シール提供方法であって、前記写真シール作成装置において、複数の画像を並べて１枚の画像として表示および合成する連結が行われた画像であるつなぎプリを構成する撮影画像を得るための複数回の撮影を行い、得られた複数の撮影画像から作成される前記つなぎプリに対して行われた前記編集入力作業により入力された前記編集情報に基づいて、前記つなぎプリを編集し、編集された前記つなぎプリを前記シールシートに印刷し、前記利用者に提供し、編集された前記つなぎプリの画像データを前記画像提供装置に送信し、前記画像提供装置において、前記写真シール作成装置より送信された前記つなぎプリの画像データを取得し、取得された前記つなぎプリの画像データを記憶し、前記利用者からの要求に基づいて、記憶されている前記つなぎプリの画像データの送信の準備として、前記つなぎプリの画像データの縦横比を、前記携帯型電話機の表示部の縦横比に一致または近似させるように、前記つなぎプリの画像データを加工し、前記つなぎプリを９０度回転させ、縦横比が変更された前記つなぎプリの画像データを、前記携帯型電話機に提供するステップを含む写真シール作成方法である。
【００１５】
本発明の第２の側面は、写真シール作成ゲームとして、利用者に、前記利用者を被写体とする撮影作業、および、前記撮影作業により得られた前記利用者の画像に対して編集情報を入力する編集入力作業を行わせ、さらに、得られた編集済みの前記利用者の画像を所定のシールシートに印刷し、印刷された前記シールシートを排出し、写真シールとして前記利用者に提供する写真シール作成装置と、前記写真シール作成装置において作成された編集済みの前記利用者の画像を、前記利用者の携帯型電話機に提供する画像提供装置とを有する写真シール提供システムであって、前記写真シール作成装置は、複数の画像を並べて１枚の画像として表示および合成する連結が行われた画像であるつなぎプリを構成する撮影画像を得るための複数回の撮影を行う連結撮影手段と、前記連結撮影手段により得られた複数の撮影画像から作成される前記つなぎプリに対して行われた前記編集入力作業により入力された前記編集情報に基づいて、前記つなぎプリを編集する編集手段と、前記編集手段により編集された前記つなぎプリを前記シールシートに印刷し、前記利用者に提供する印刷手段と、前記編集手段により編集された前記つなぎプリの画像データを前記画像提供装置に送信する画像データ送信手段とを備え、前記画像提供装置は、前記写真シール作成装置より送信された前記つなぎプリの画像データを取得する取得手段と、前記取得手段により取得された前記つなぎプリの画像データを記憶する画像データ記憶手段と、前記つなぎプリの上下に合成するための所定のフレーム画像を記憶するフレーム画像記憶手段と、前記つなぎプリに対して、前記フレーム画像記憶手段により記憶されている前記フレーム画像を、前記つなぎプリの上下に繋ぎ合わせるように合成するフレーム編集を行うフレーム編集手段と、前記利用者からの要求に基づいて、前記画像データ記憶手段により記憶されている前記つなぎプリの画像データの送信の準備として、前記つなぎプリの画像データの縦横比を、前記携帯型電話機の表示部の縦横比に一致または近似させるように、前記画像データ記憶手段より読み出した前記つなぎプリに対して、前記フレーム編集手段に前記フレーム編集を行わせる準備手段と、前記準備手段により縦横比が変更された前記つなぎプリの画像データを、前記携帯型電話機に提供する提供手段とを備える写真シール作成システムである。
【００１６】
このフレーム画像記憶手段は、例えば、フレーム記憶部により構成され、フレーム編集手段は、例えば、フレーム編集処理部により構成される。
本発明の写真シール提供システムにおいては、写真シール作成装置では、複数の画像を並べて１枚の画像として表示および合成する連結が行われた画像であるつなぎプリを構成する撮影画像を得るための複数回の撮影が行われ、得られた複数の撮影画像から作成されるつなぎプリに対して行われた編集入力作業により入力された編集情報に基づいて、つなぎプリが編集され、編集されたつなぎプリがシールシートに印刷され、利用者に提供され、編集されたつなぎプリの画像データが画像提供装置に送信され、画像提供装置では、写真シール作成装置より送信されたつなぎプリの画像データが取得され、取得されたつなぎプリの画像データが記憶され、つなぎプリの上下に合成するための所定のフレーム画像が記憶され、利用者からの要求に基づいて、記憶されているつなぎプリの画像データの送信の準備として、つなぎプリの画像データの縦横比を、携帯型電話機の表示部の縦横比に一致または近似させるように、記憶されているフレーム画像を、読み出したつなぎプリの上下に繋ぎ合わせるように合成するフレーム編集が行われ、その縦横比が変更されたつなぎプリの画像データが携帯型電話機に提供される。
このようにすることにより、つなぎプリの全体画像の表示画面の縦横比が携帯型電話機の表示部の縦横比に近くなるので、つなぎプリの全体画像の上下の隙間の発生を抑制することができる。これにより、この表示画面としての価値が向上し、その表示画面を閲覧する利用者の満足度を向上させることができる。
【００１７】
前記写真シール作成装置において、前記編集手段は、前記つなぎプリの画像データに合成したフレーム画像に対応する、フレーム画像用の識別情報であるフレーム番号を付加し、前記画像提供装置において、前記フレーム画像記憶手段は、前記フレーム画像を、前記フレーム番号を用いて管理し、前記フレーム編集手段は、前記つなぎプリの画像データに付加されたフレーム番号に対応するフレーム画像、または前記フレーム番号に近似するフレーム番号に対応するフレーム画像を、前記つなぎプリに合成するようにすることができる。
【００１８】
これにより、利用者が望むフレーム画像に近いフレーム画像を撮影画像に付加することができ、単につなぎプリの上下に発生する隙間を埋める以上の効果を得ることができ、利用者の満足度をより大きく向上させることができる。
【００１９】
本発明の第３の側面は、写真シール作成ゲームとして、利用者に、前記利用者を被写体とする撮影作業、および、前記撮影作業により得られた前記利用者の画像に対して編集情報を入力する編集入力作業を行わせ、さらに、得られた編集済みの前記利用者の画像を所定のシールシートに印刷し、印刷された前記シールシートを排出し、写真シールとして前記利用者に提供する写真シール作成装置と、前記写真シール作成装置において作成された編集済みの前記利用者の画像を、前記利用者の携帯型電話機に提供する画像提供装置とを有する写真シール提供システムであって、前記写真シール作成装置は、複数の画像を並べて１枚の画像として表示および合成する連結が行われた画像であるつなぎプリを構成する撮影画像を得るための複数回の撮影を行う連結撮影手段と、前記連結撮影手段により得られた複数の撮影画像から作成される前記つなぎプリに対して行われた前記編集入力作業により入力された前記編集情報に基づいて、前記つなぎプリを編集する編集手段と、前記編集手段により編集された前記つなぎプリを前記シールシートに印刷し、前記利用者に提供する印刷手段と、前記編集手段により編集された前記つなぎプリの画像データを前記画像提供装置に送信する画像データ送信手段とを備え、前記画像提供装置は、前記写真シール作成装置より送信された前記つなぎプリの画像データを取得する取得手段と、前記取得手段により取得された前記つなぎプリの画像データを記憶する画像データ記憶手段と、前記利用者が前記携帯型電話機を操作して入力する、前記つなぎプリの全体画像から部分画像を切抜く位置を指定する切抜き位置指定を受け付ける切抜き位置指定受付手段と、前記切抜き位置指定受付手段により受け付けられた前記指定により指定される前記位置において、前記つなぎプリの全体画像から前記部分画像を切抜く処理を行う切抜き処理手段と、前記利用者からの要求に基づいて、前記画像データ記憶手段により記憶されている前記つなぎプリの画像データの送信の準備として、前記つなぎプリの画像データの縦横比を、前記携帯型電話機の表示部の縦横比に一致または近似させるように、前記画像データ記憶手段より読み出した前記つなぎプリに対して、前記切抜き処理手段に切抜き処理を行わせる準備手段と、前記準備手段により縦横比が変更された前記つなぎプリの画像データを、前記携帯型電話機に提供する提供手段とを備える写真シール作成システムである。
【００２０】
この切抜き位置指定受付手段は、例えば、GUI処理部により構成され、切抜き処理手段は、例えば、画像切抜き処理部により構成される。
本発明の写真シール作成システムにおいては、写真シール作成装置では、複数の画像を並べて１枚の画像として表示および合成する連結が行われた画像であるつなぎプリを構成する撮影画像を得るための複数回の撮影が行われ、得られた複数の撮影画像から作成されるつなぎプリに対して行われた編集入力作業により入力された編集情報に基づいて、つなぎプリが編集され、編集されたつなぎプリがシールシートに印刷され、利用者に提供され、編集されたつなぎプリの画像データが画像提供装置に送信され、画像提供装置では、写真シール作成装置より送信されたつなぎプリの画像データが取得され、取得されたつなぎプリの画像データが記憶され、利用者が携帯型電話機を操作して入力する、つなぎプリの全体画像から部分画像を切抜く位置を指定する切抜き位置指定が受け付けられ、受け付けられた指定により指定される位置において、つなぎプリの全体画像から部分画像を切抜く処理が行われ、利用者からの要求に基づいて、記憶されているつなぎプリの画像データの送信の準備として、つなぎプリの画像データの縦横比を、携帯型電話機の表示部の縦横比に一致または近似させるように、読み出したつなぎプリに対して、切抜き処理が行われ、縦横比が変更されたつなぎプリの画像データが、携帯型電話機に提供される。
このようにすることにより、つなぎプリの全体画像のうち、必要な部分を、携帯画像電話機に大きく表示させることができ、利用者の満足度を向上させることができる。
【００２１】
前記画像提供装置において、前記切抜き位置指定受付手段は、可動式の切り抜き枠で、固定的なつなぎプリの全体画像より前記切抜き位置を指定するGUIを前記携帯型電話機に提供し、前記GUIに基づいて入力された切抜き位置指定を受け付けるようにすることができる。
【００２２】
このようにすることにより、利用者は、つなぎプリの全体画像に対する切抜き位置を把握しながら、作業を行うことができるので、容易に切抜き位置指定作業を行うことができる。
【００２３】
前記画像提供装置において、前記切抜き位置指定受付手段は、固定的な切り抜き枠で、可動式のつなぎプリの全体画像より前記切抜き位置を指定するGUIを前記携帯型電話機に提供し、前記GUIに基づいて入力された切抜き位置指定を受け付けるようにすることができる。
【００２４】
このようにすることにより、利用者は、大きな画像で容易に切抜き位置指定作業を行うことができる。また、画像の拡大または縮小等を行わずに切り抜き処理を実現することができる。
【００２７】
本発明の第４の側面は、写真シール作成ゲームとして、利用者に、前記利用者を被写体とする撮影作業、および、前記撮影作業により得られた前記利用者の画像に対して編集情報を入力する編集入力作業を行わせ、さらに、得られた編集済みの前記利用者の画像を所定のシールシートに印刷し、印刷された前記シールシートを排出し、写真シールとして前記利用者に提供する写真シール作成装置と、前記写真シール作成装置において作成された編集済みの前記利用者の画像を、前記利用者の携帯型電話機に提供する画像提供装置とを有する写真シール提供システムであって、前記写真シール作成装置は、複数の画像を並べて１枚の画像として表示および合成する連結が行われた画像であるつなぎプリを構成する撮影画像を得るための複数回の撮影を行う連結撮影手段と、前記連結撮影手段により得られた複数の撮影画像から作成される前記つなぎプリに対して行われた前記編集入力作業により入力された前記編集情報に基づいて、前記つなぎプリを編集する編集手段と、前記編集手段により編集された前記つなぎプリと、前記写真シール作成ゲームを行った前記利用者の組を識別する識別情報とを、前記シールシートに印刷し、前記利用者に提供する印刷手段と、前記編集手段により編集された前記つなぎプリの画像データとともに前記識別情報を前記画像提供装置に送信する画像データ送信手段とを備え、前記画像提供装置は、前記写真シール作成装置より送信された前記つなぎプリの画像データを取得する取得手段と、前記取得手段により取得された前記つなぎプリの画像データを記憶する画像データ記憶手段と、前記取得手段により前記つなぎプリの画像データとともに取得された前記識別情報を保管する識別情報保管手段と、利用者からの識別情報の入力を受け付ける識別情報入力受付手段と、前記識別情報保管手段により保管されている前記識別情報を用いて、前記識別情報入力受付手段により受け付けられた前記利用者からの識別情報を認証する認証手段と、前記利用者からの要求に基づいて、前記画像データ記憶手段により記憶されている前記つなぎプリの画像データの送信の準備として、前記つなぎプリの画像データの縦横比を、前記携帯型電話機の表示部の縦横比に一致または近似させるように変更する準備手段と、前記準備手段により縦横比が変更された前記つなぎプリの画像データを、前記携帯型電話機に提供する提供手段とを備える写真シール作成システムである。
【００２８】
この識別情報保管手段は、例えば、ID保管部により構成され、識別情報入力受付手段は、例えば、GUI処理部により構成され、認証手段は、例えば、認証処理部により構成される。
本発明の写真シール作成システムにおいては、写真シール作成装置では、複数の画像を並べて１枚の画像として表示および合成する連結が行われた画像であるつなぎプリを構成する撮影画像を得るための複数回の撮影が行われ、得られた複数の撮影画像から作成されるつなぎプリに対して行われた編集入力作業により入力された編集情報に基づいて、つなぎプリが編集され、編集されたつなぎプリと、写真シール作成ゲームを行った利用者の組を識別する識別情報とが、シールシートに印刷され、利用者に提供され、編集されたつなぎプリの画像データとともに識別情報が画像提供装置に送信され、画像提供装置では、写真シール作成装置より送信されたつなぎプリの画像データが取得され、取得されたつなぎプリの画像データが記憶され、つなぎプリの画像データとともに取得された識別情報が保管され、利用者からの識別情報の入力が受け付けられ、保管されている識別情報を用いて、受け付けられた利用者からの識別情報が認証され、利用者からの要求に基づいて、記憶されているつなぎプリの画像データの送信の準備として、つなぎプリの画像データの縦横比が、携帯型電話機の表示部の縦横比に一致または近似させるように変更され、その縦横比が変更されたつなぎプリの画像データが、携帯型電話機に提供される。
このようにすることにより、画像を、より正確に、その画像に対応する利用者に対して提供することができるので、利用者は安心してサーバ２による画像提供サービスを利用することができる。
【００２９】
前記写真シール作成装置において、前記識別情報を電子メールで携帯型電話機に送信する識別情報送信手段をさらに備えるようにすることができる。
【００３０】
この識別情報送信手段は、例えば、事後接客処理部により構成される。これにより、容易にアクセス先アドレスにアクセスすることができ、さらに、撮影IDやパスワードの入力も容易に行うことができる。
【００３３】
本発明の第５の側面は、写真シール作成ゲームとして、利用者に、前記利用者を被写体とする撮影作業、および、前記撮影作業により得られた前記利用者の画像に対して編集情報を入力する編集入力作業を行わせ、さらに、得られた編集済みの前記利用者の画像を所定のシールシートに印刷し、印刷された前記シールシートを排出し、写真シールとして前記利用者に提供する写真シール作成装置において作成された編集済みの前記利用者の画像を、前記利用者の携帯型電話機に提供する画像提供装置であって、前記写真シール作成装置より送信された、前記写真シール作成装置において行われる複数回の撮影により得られる複数の画像を並べて１枚の画像として表示および合成する連結が行われた画像であるつなぎプリの画像データを取得する取得手段と、前記取得手段により取得された前記つなぎプリの画像データを記憶する画像データ記憶手段と、前記利用者からの要求に基づいて、前記画像データ記憶手段により記憶されている前記つなぎプリの画像データの送信の準備として、前記つなぎプリの画像データの縦横比を、前記携帯型電話機の表示部の縦横比に一致または近似させるように、前記画像データ記憶手段より読み出した前記つなぎプリの画像データを加工し、前記つなぎプリを９０度回転させる準備手段と、前記準備手段により縦横比が変更された前記つなぎプリの画像データを、前記携帯型電話機に提供する提供手段とを備える画像提供装置である。
【００３４】
この取得手段は、例えば、画像取得処理部により構成され、画像データ記憶手段は、例えば、画像記憶部により構成され、準備手段は、例えば、画像準備処理部により構成され、提供手段は、例えば、提供処理部により構成される。
【００３５】
本発明の画像提供装置においては、写真シール作成装置より送信されたつなぎプリの画像データが取得され、取得されたつなぎプリの画像データが記憶され、利用者からの要求に基づいて、記憶されているつなぎプリの画像データの送信の準備として、つなぎプリの画像データの縦横比が、携帯型電話機の表示部の縦横比に一致または近似させるように、読み出した前記つなぎプリの画像データが加工され、９０度回転されて縦横比が変更されたつなぎプリの画像データがその携帯型電話機に提供される。
【００３６】
従って、画像提供装置は、撮影画像を画像データとして利用者に提供する際に、表示領域に応じた編集を行うようにすることにより、より好ましい状態で画像を表示領域に表示させるようにすることができ、これにより、利用者の満足度を向上させ、収益性を向上させることができる。
本発明の第５の側面は、また、写真シール作成ゲームとして、利用者に、前記利用者を被写体とする撮影作業、および、前記撮影作業により得られた前記利用者の画像に対して編集情報を入力する編集入力作業を行わせ、さらに、得られた編集済みの前記利用者の画像を所定のシールシートに印刷し、印刷された前記シールシートを排出し、写真シールとして前記利用者に提供する写真シール作成装置において作成された編集済みの前記利用者の画像を、前記利用者の携帯型電話機に提供する画像提供装置の画像提供方法であって、前記写真シール作成装置より送信された、前記写真シール作成装置において行われる複数回の撮影により得られる複数の画像を並べて１枚の画像として表示および合成する連結が行われた画像であるつなぎプリの画像データを取得し、取得された前記つなぎプリの画像データを記憶し、前記利用者からの要求に基づいて、記憶されている前記つなぎプリの画像データの送信の準備として、前記つなぎプリの画像データの縦横比を、前記携帯型電話機の表示部の縦横比に一致または近似させるように、前記画像データ記憶手段より読み出した前記つなぎプリの画像データを加工し、前記つなぎプリを９０度回転させ、縦横比が変更された前記つなぎプリの画像データを、前記携帯型電話機に提供するステップを含む画像提供方法である。
【００３９】
本発明の第６の側面は、写真シール作成ゲームとして、利用者に、前記利用者を被写体とする撮影作業、および、前記撮影作業により得られた前記利用者の画像に対して編集情報を入力する編集入力作業を行わせ、さらに、得られた編集済みの前記利用者の画像を所定のシールシートに印刷し、印刷された前記シールシートを排出し、写真シールとして前記利用者に提供する写真シール作成装置において作成された編集済みの前記利用者の画像を、前記利用者の携帯型電話機に提供する画像提供装置であって、前記写真シール作成装置より送信された、前記写真シール作成装置において行われる複数回の撮影により得られる複数の画像を並べて１枚の画像として表示および合成する連結が行われた画像であるつなぎプリの画像データを取得する取得手段と、前記取得手段により取得された前記つなぎプリの画像データを記憶する画像データ記憶手段と、前記つなぎプリの上下に合成するための所定のフレーム画像を記憶するフレーム画像記憶手段と、前記つなぎプリに対して、前記フレーム画像記憶手段により記憶されている前記フレーム画像を、前記つなぎプリの上下に繋ぎ合わせるように合成するフレーム編集を行うフレーム編集手段と、前記利用者からの要求に基づいて、前記画像データ記憶手段により記憶されている前記つなぎプリの画像データの送信の準備として、前記つなぎプリの画像データの縦横比を、前記携帯型電話機の表示部の縦横比に一致または近似させるように、前記画像データ記憶手段より読み出した前記つなぎプリに対して、前記フレーム編集手段に前記フレーム編集を行わせる準備手段と、前記準備手段により縦横比が変更された前記つなぎプリの画像データを、前記携帯型電話機に提供する提供手段とを備える画像提供装置である。
【００４０】
このフレーム画像記憶手段は、例えば、フレーム記憶部により構成され、フレーム編集手段は、例えば、フレーム編集処理部により構成される。
本発明の画像提供装置においては、写真シール作成装置より送信された、写真シール作成装置において行われる複数回の撮影により得られる複数の画像を並べて１枚の画像として表示および合成する連結が行われた画像であるつなぎプリの画像データが取得され、取得されたつなぎプリの画像データが記憶され、つなぎプリの上下に合成するための所定のフレーム画像が記憶され、利用者からの要求に基づいて、記憶されているつなぎプリの画像データの送信の準備として、つなぎプリの画像データの縦横比を、携帯型電話機の表示部の縦横比に一致または近似させるように、記憶されているフレーム画像を読み出したつなぎプリの上下に繋ぎ合わせるように合成するフレーム編集が行われ、縦横比が変更されたつなぎプリの画像データが携帯型電話機に提供される。
このようにすることにより、つなぎプリの全体画像の表示画面の縦横比が携帯型電話機の表示部の縦横比に近くなるので、つなぎプリの全体画像の上下の隙間の発生を抑制することができる。これにより、この表示画面としての価値が向上し、その表示画面を閲覧する利用者の満足度を向上させることができる。
【００４１】
前記フレーム画像記憶手段は、前記フレーム画像を、前記フレーム番号を用いて管理し、前記フレーム編集手段は、前記つなぎプリの画像データに付加されたフレーム番号に対応するフレーム画像、または前記フレーム番号に近似するフレーム番号に対応するフレーム画像を、前記つなぎプリに合成するようにすることができる。
【００４２】
これにより、利用者が望むフレーム画像に近いフレーム画像を撮影画像に付加することができ、単につなぎプリの上下に発生する隙間を埋める以上の効果を得ることができ、利用者の満足度をより大きく向上させることができる。
【００４３】
本発明の第７の側面は、写真シール作成ゲームとして、利用者に、前記利用者を被写体とする撮影作業、および、前記撮影作業により得られた前記利用者の画像に対して編集情報を入力する編集入力作業を行わせ、さらに、得られた編集済みの前記利用者の画像を所定のシールシートに印刷し、印刷された前記シールシートを排出し、写真シールとして前記利用者に提供する写真シール作成装置において作成された編集済みの前記利用者の画像を、前記利用者の携帯型電話機に提供する画像提供装置であって、前記写真シール作成装置より送信された、前記写真シール作成装置において行われる複数回の撮影により得られる複数の画像を並べて１枚の画像として表示および合成する連結が行われた画像であるつなぎプリの画像データを取得する取得手段と、前記取得手段により取得された前記つなぎプリの画像データを記憶する画像データ記憶手段と、前記利用者が前記携帯型電話機を操作して入力する、前記つなぎプリの全体画像から部分画像を切抜く位置を指定する切抜き位置指定を受け付ける切抜き位置指定受付手段と、前記切抜き位置指定受付手段により受け付けられた前記指定により指定される前記位置において、前記つなぎプリの全体画像から前記部分画像を切抜く処理を行う切抜き処理手段と、前記利用者からの要求に基づいて、前記画像データ記憶手段により記憶されている前記つなぎプリの画像データの送信の準備として、前記つなぎプリの画像データの縦横比を、前記携帯型電話機の表示部の縦横比に一致または近似させるように、前記画像データ記憶手段より読み出した前記つなぎプリに対して、前記切抜き処理手段に切抜き処理を行わせる準備手段と、前記準備手段により縦横比が変更された前記つなぎプリの画像データを、前記携帯型電話機に提供する提供手段とを備える画像提供装置である。
【００４４】
この切抜き位置指定受付手段は、例えば、GUI処理部により構成され、切抜き処理手段は、例えば、画像切抜き処理部により構成される。
本発明の画像提供装置においては、写真シール作成装置より送信された、写真シール作成装置において行われる複数回の撮影により得られる複数の画像を並べて１枚の画像として表示および合成する連結が行われた画像であるつなぎプリの画像データが取得され、取得されたつなぎプリの画像データが記憶され、利用者が携帯型電話機を操作して入力する、つなぎプリの全体画像から部分画像を切抜く位置を指定する切抜き位置指定が受け付けられ、受け付けられた指定により指定される位置において、つなぎプリの全体画像から部分画像を切抜く処理が行われ、利用者からの要求に基づいて、記憶されているつなぎプリの画像データの送信の準備として、つなぎプリの画像データの縦横比を、携帯型電話機の表示部の縦横比に一致または近似させるように、読み出したつなぎプリに対して、切抜き処理が行われ、縦横比が変更されたつなぎプリの画像データが、携帯型電話機に提供される。
このようにすることにより、つなぎプリの全体画像のうち、必要な部分を、携帯画像電話機に大きく表示させることができ、利用者の満足度を向上させることができる。
【００４５】
前記切抜き位置指定受付手段は、可動式の切り抜き枠で、固定的なつなぎプリの全体画像より前記切抜き位置を指定するGUIを前記携帯型電話機に提供し、前記GUIに基づいて入力された切抜き位置指定を受け付けるようにすることができる。
【００４６】
このようにすることにより、利用者は、つなぎプリの全体画像に対する切抜き位置を把握しながら、作業を行うことができるので、容易に切抜き位置指定作業を行うことができる。
【００４７】
前記切抜き位置指定受付手段は、固定的な切り抜き枠で、可動式のつなぎプリの全体画像より前記切抜き位置を指定するGUIを前記携帯型電話機に提供し、前記GUIに基づいて入力された切抜き位置指定を受け付けるようにすることができる。
【００４８】
このようにすることにより、利用者は、大きな画像で容易に切抜き位置指定作業を行うことができる。また、画像の拡大または縮小等を行わずに切り抜き処理を実現することができる。
【００５１】
本発明の第８の側面は、写真シール作成ゲームとして、利用者に、前記利用者を被写体とする撮影作業、および、前記撮影作業により得られた前記利用者の画像に対して編集情報を入力する編集入力作業を行わせ、さらに、得られた編集済みの前記利用者の画像を所定のシールシートに印刷し、印刷された前記シールシートを排出し、写真シールとして前記利用者に提供する写真シール作成装置において作成された編集済みの前記利用者の画像を、前記利用者の携帯型電話機に提供する画像提供装置であって、前記写真シール作成装置より送信された、前記写真シール作成装置において行われる複数回の撮影により得られる複数の画像を並べて１枚の画像として表示および合成する連結が行われた画像であるつなぎプリの画像データを取得する取得手段と、前記取得手段により取得された前記つなぎプリの画像データを記憶する画像データ記憶手段と、前記取得手段により前記つなぎプリの画像データとともに取得された、前記写真シール作成装置において前記写真シール作成ゲームを行った前記利用者の組を識別する識別情報を保管する識別情報保管手段と、利用者からの識別情報の入力を受け付ける識別情報入力受付手段と、前記識別情報保管手段により保管されている前記識別情報を用いて、前記識別情報入力受付手段により受け付けられた前記利用者からの識別情報を認証する認証手段と、前記利用者からの要求に基づいて、前記画像データ記憶手段により記憶されている前記つなぎプリの画像データの送信の準備として、前記つなぎプリの画像データの縦横比を、前記携帯型電話機の表示部の縦横比に一致または近似させるように変更する準備手段と、前記準備手段により縦横比が変更された前記つなぎプリの画像データを、前記携帯型電話機に提供する提供手段とを備える画像提供装置である。
【００５２】
この識別情報保管手段は、例えば、ID保管部により構成され、識別情報入力受付手段は、例えば、GUI処理部により構成され、認証手段は、例えば、認証処理部により構成される。
本発明の画像提供装置においては、写真シール作成装置より送信された、写真シール作成装置において行われる複数回の撮影により得られる複数の画像を並べて１枚の画像として表示および合成する連結が行われた画像であるつなぎプリの画像データが取得され、取得されたつなぎプリの画像データが記憶され、つなぎプリの画像データとともに取得された、写真シール作成装置において写真シール作成ゲームを行った利用者の組を識別する識別情報が保管され、利用者からの識別情報の入力が受け付けられ、保管されている識別情報を用いて、受け付けられた利用者からの識別情報が認証され、利用者からの要求に基づいて、記憶されているつなぎプリの画像データの送信の準備として、つなぎプリの画像データの縦横比が、携帯型電話機の表示部の縦横比に一致または近似させるように変更され、縦横比が変更されたつなぎプリの画像データが携帯型電話機に提供される。
このようにすることにより、画像を、より正確に、その画像に対応する利用者に対して提供することができるので、利用者は安心してサーバ２による画像提供サービスを利用することができる。
【００５５】
本発明のプログラムは、所定の記録媒体に記録されて、例えば、ドライブにより読み出され、画像印刷装置にインストールされる。記録媒体は、フロッピ（登録商標）ディスクなどよりなる磁気ディスク、CD-ROM(Compact Disk Read Only Memory)、DVD-ROM(Digital Versatile Disk)などよりなる光ディスク、MD(Mini Disk)（登録商標）などよりなる光磁気ディスク、または半導体メモリなどのリムーバブルメディアにより構成される。
【発明の効果】
【００５６】
本発明によれば、画像を利用者に提供することができる。特に、撮影画像を画像データとして利用者に提供する際に、表示領域に応じた編集を行うようにすることにより、より好ましい状態で画像を表示領域に表示させるようにすることができ、これにより、利用者の満足度を向上させ、収益性を向上させることができる。
【発明を実施するための最良の形態】
【００５７】
以下、本発明を適用した具体的な実施の形態について、図面を参照しながら詳細に説明する。
【００５８】
図１は、本発明を適用した写真シール提供システムの一実施の形態の例を示す図である。
【００５９】
図１に示される写真シール提供システム１は、撮影や編集等の作業の娯楽性を高め、それらの作業を利用者にゲーム（遊戯サービス）として行わせ、その撮影・編集した画像を、写真シールやデータとして利用者に提供する代わりに、利用者より代金を受け取る遊戯用システムであり、画像提供装置として動作し、利用者が作成した画像を利用者にデータとして提供するサービスを行うサーバ２、利用者が撮影や編集等を行う写真シール作成装置３Ａおよび写真シール作成装置３Ｂ、写真シール作成装置３Ａとサーバ２が接続されるネットワーク４Ａ、並びに、写真シール作成装置３Ｂとサーバ２が接続されるネットワーク４Ｂを有している。
【００６０】
サーバ２は、写真シール作成装置３Ａまたは写真シール作成装置３Ｂにおいて作成（撮影および編集）され、その写真シール作成装置３Ａまたは写真シール作成装置３Ｂよりネットワーク４Ａまたはネットワーク４Ｂを介して供給される画像データを取得し保存する。その画像データの作成作業（撮影や編集）を行った利用者が、自分自身の携帯型電話機５Ａまたは携帯型電話機５Ｂを用いて、ネットワーク４Ａまたはネットワーク４Ｂを介してサーバ２にアクセスすると、サーバ２は、要求された画像データを読み出し、要求元の携帯型電話機５Ａまたは携帯型電話機５Ｂの表示部（表示領域）のサイズに応じて画像を編集し、その編集後の画像を、要求元の携帯型電話機５Ａまたは携帯型電話機５Ｂに、ネットワーク４Ａまたはネットワーク４Ｂを介して提供する。
【００６１】
写真シール作成装置３Ａおよび写真シール作成装置３Ｂは、互いに同様の装置であり、利用者に写真シールを作成する写真シール作成ゲームをプレイさせ、成果物として写真シールを提供する。つまり、この、写真シール作成装置３Ａおよび写真シール作成装置３Ｂは、ゲーム装置（遊戯サービス提供装置）であり、通常、ゲームセンタや観光地等の店舗等に設置される。利用者（主に複数人のグループである場合が多い）は、その写真シール作成ゲームにおいて、硬貨投入後に筐体内に設置されたCCD（Charge Coupled Device）カメラで利用者自身を撮影し、記録された利用者の画像を液晶パネル上で付属のペン等を用いて所定または任意の文字や図形等を書き込んで編集を行い、個性的な画像を作成してシール紙に分割印刷させる。このように作成され利用者に提供されたシール紙は、例えば、利用者によって、利用者の友人や知人と交換したり、手帳に貼り付けてアルバムのようにしたり、ポストカードに貼り付けたりされる。
【００６２】
さらに、写真シール作成装置３Ａおよび写真シール作成装置３Ｂは、作成された画像および関連情報を画像データとして、ネットワーク４Ａまたはネットワーク４Ｂを介してサーバ２に送信（アップロード）する。以下において、写真シール作成装置３Ａおよび写真シール作成装置３Ｂを互いに区別して説明する必要の無い場合、写真シール作成装置３と称する。
【００６３】
ネットワーク４Ａおよびネットワーク４Ｂは、例えば、インターネット、LAN、WAN、または公衆回線網等に代表される、有線または無線からなる、１つまたは複数のネットワークにより構成される。なお、以下において、ネットワーク４Ａおよびネットワーク４Ｂを互いに区別して説明する必要の無い場合、ネットワーク４と称する。
【００６４】
携帯型電話機５Ａは、写真シール作成装置３Ａにおいて写真シール作成ゲームを行った利用者の所有する電話機であり、携帯型電話機５Ｂは、写真シール作成装置３Ｂにおいて写真シール作成ゲームを行った利用者の所有する電話機である。携帯型電話機５Ａおよび携帯型電話機５Ｂは、それぞれ、図示せぬ基地局と無線通信を行うことにより、他の電話機と通話通信を行ったり、他の情報処理装置（例えばサーバ２）とパケット通信（通信データの授受）を行ったりすることができる。なお、図１において、携帯型電話機５Ａが、ネットワーク４Ａに接続されているように示されているが、これは、携帯型電話機５Ａが、ネットワーク４Ａに接続される基地局との無線通信を確立し、ネットワーク４Ａに接続されている状態（ネットワーク４Ａを介して通信を行うことができる状態）にあることを示している。携帯型電話機５Ｂについても同様である（ネットワーク４Ｂを介して通信を行うことができる状態が示されている）。また、以下において、携帯型電話機５Ａおよび携帯型電話機５Ｂを互いに区別して説明する必要の無い場合、携帯型電話機５と称する。
【００６５】
図１に示されるように、サーバ２は、複数の写真シール作成装置３に対応することができ、複数の写真シール作成装置３より供給される画像データを取得し、保存することができる。なお、写真シール作成装置３の台数に制限は無く、何台であってもよい。また、ネットワーク４の数も制限は無く、サーバ２が接続されるネットワーク４の数は、１つであっても複数であってもよい。つまり、例えば、サーバ２が、１つのネットワーク４を介して、複数の写真シール作成装置３に接続されるようにしてもよい。
【００６６】
また、携帯型電話機５についても同様であり、設備の都合を考慮しなければ、ネットワーク４に対して携帯型電話機５が何台接続されるようにしてもよい。
【００６７】
このような写真シール提供システム１において、サーバ２は、上述したように、写真シール作成装置３において作成された画像を、画像データとして、利用者の携帯型電話機５に供給（ダウンロード）し、表示させる。つまり、写真シール作成装置３において写真シールを作成した利用者は、写真シール作成装置３においてプレイした写真シール作成ゲームの成果物として、写真シール作成装置３より写真シールを得るだけでなく、サーバ２よりその撮影画像（落書き編集等が行われた画像）を携帯型電話機５にダウンロードして表示させることができる。
【００６８】
このように、写真シール提供システム１は、写真シール作成装置３において、単純に、作成した写真シールを提供する以外に、サーバ２から撮影画像を画像データとして、利用者の携帯型電話機５に提供することができるので、利用者の満足度をより向上させることができ、繰り返し写真シール作成ゲームをプレイする、所謂リピータ率を増加させることができ、収益率の向上を期待することができる。
【００６９】
また、画像データを提供する際に、サーバ２は、利用者の要求に応じて、後述するように画像の縦横比が特殊な場合、携帯型電話機５の表示領域の縦横比に合うようにするために、専用のフレーム画像をその画像に付加（合成）したり、画像を切り抜いたり、画像を９０度回転させたりする編集を行うので、利用者は、より好ましい状態で携帯型電話機５に表示された画像を閲覧することが出来る。このように、写真シール提供システム１は、利用者の満足度をより向上させることができ、収益率の向上をさらに期待することができる。
【００７０】
図２は、写真シール作成装置３の外観構成例を示す斜視図である。
【００７１】
図２の写真シール作成装置３の筐体１０は、複数のユニット等により構成されており、第１ユニット１１と第２ユニット１２が、所定の距離をおいて、フレーム１４Ａ、フレーム１４Ｂ並びに床部１３により接続されるように構成されている。
【００７２】
図２に示されるように、直方体の形状の第１ユニット１１の、地上面（床部１３の上面）に対して垂直な４側面の内、第２ユニット１２に対向する面を正面１１−１と称し、その正面１１−１の右側に隣接する側面を右側面１１−２と称し、正面１１−１に対向する側面を背面１１−３と称し、正面１１−１の左側に隣接する側面（右側面１１−３に対向する側面）を左側面１１−４と称する。各面の構成については後述する。
【００７３】
第１ユニット１１と第２ユニット１２は、図１に示されるように、それらの左右上部において、フレーム１４Ａとフレーム１４Ｂにより所定の距離を保つように連結されている。また、第１ユニット１１と第２ユニット１２は、その下部において、床部１３により一定の距離を保つように連結されている。床部１３は、利用者が第１ユニット１１と第２ユニット１２との間において後述するように撮影を行う場合の床（撮影空間の床）となる部材である。また、床部１３には、例えば、第１ユニット１１と第２ユニットを電気的に接続するケーブル等が格納される。
【００７４】
なお、第１ユニット１１と第２ユニット１２の形状は直方体でなくても勿論よい。また、第１ユニット１１と第２ユニット１２とが１つのユニット（１個の筺体）として構成されるようにしても勿論よい。
【００７５】
図３は、写真シール作成装置３の設置例を示す外観図である。
【００７６】
図３において、第１ユニット１１と第２ユニット１２の上部には、第１ユニット１１と第２ユニット１２との間の（床部１３上の空間）空間である撮影空間の閉鎖性を向上させるために、図２の場合に加えて、フレーム１４Ａとフレーム１４Ｂの上に天井部２１が覆うように設けられており、フレーム１４Ａおよびフレーム１４Ｂとともに天井部２１によって第１ユニット１１と第２ユニット１２が連結されている。なお、天井部２１の左右（撮影空間の出入り口となる側面）からは、さらに閉鎖性を向上させ、環境の安定した撮影空間を形成することができるだけでなく、撮影空間の外部に位置する人物から撮影の様子を閲覧されることを抑制するために、カーテン２３が吊設されている。
【００７７】
第１ユニット１１の背面１１−３側の上部には、コの字型のカーテンフレーム２２が設けられている。この背面１１−３の前面近傍には、後述するように編集空間が設けられるが、その編集空間を囲むように、カーテン２３−１乃至カーテン２３−４が設けられている。これにより、編集空間の外に位置する他人により編集作業内容がのぞき見されることを抑制することができる。
【００７８】
図４は、写真シール作成装置３の第１ユニット１１の正面１１−１の構成例を示す図である。
【００７９】
正面１１−１には、例えば、照明部３１Ａ、照明部３１Ｂ、撮影ユニット３２、CCDカメラ３３、取り込み画像表示用モニタ３４、撮影用モニタ３５、音声出力部３６Ａ、音声出力部３６Ｂ、および硬貨投入排出口３７等の、撮影処理に関する機能が設けられている。
【００８０】
照明部３１−Ａ、照明部３１−Ｂは、ストロボ発光可能な照明装置により構成され、CCDカメラ３３による利用者の撮影時に所定のタイミングでストロボ発光し、撮影を行う利用者に光を照射する。なお、照明部３１の数は、照明部３１−Ａ、照明部３１−Ｂの２個に限らず、１個であっても３個以上であっても良い。また、各照明部の発光タイミングは互いに同時でなくてもよい。なお、以下において、照明部３１−Ａ、照明部３１−Ｂを互いに分けて説明する必要の無い場合、照明部３１と称する。
【００８１】
正面１１−１の略中央には、利用者を撮影するための撮影ユニット３２が設けられている。撮影ユニット３２には、CCDカメラ３３と取り込み画像表示用モニタ３４が設けられている。
【００８２】
CCDカメラ３３は、利用者を撮影し、画像を得るためのCCDを利用した撮影素子等により構成される。なお、CCDカメラ３３の代わりに、例えばCMOS（Complementary Metal Oxide Semiconductor）センサカメラを用いるようにしてもよい。さらに、利用者を撮影し、デジタル画像データを得られるものであればどのようなものであってもよい。
【００８３】
CCDカメラ３３近傍の、図中下側にある取り込み画像表示用モニタ３４は、CRT（Cathode Ray Tube）ディスプレイやLCD（Liquid Crystal Display）により構成される。取り込み画像表示用モニタ３４には、CCDカメラ３３により撮像された利用者のライブビュー画像（取り込み動画像）を表示する。ライブビュー画像についての具体的な説明は後述する。このCCDカメラ３３近傍に設けられた取り込み画像表示用モニタ３４に表示される画像により利用者は、撮影直前の自分自身の画像を、CCDカメラ３３より大幅に視線をずらすことなく確認することができる。
【００８４】
撮影用モニタ３５は、CRTディスプレイやLCDにより構成され、撮影作業の設定を行う画面や設定内容の確認画面等が表示されるモニタである。なお、後述するように、撮影用モニタ３５の表示面には無色透明の感圧式のタッチパネルが重畳されており、利用者は画面上を指等によりタップ（接触）することにより、撮影用モニタ３５に表示されているGUI（Graphical User Interface）画面を操作することができる。なお、上述の感圧式のタッチパネルの代わりに、電磁誘導式のタッチペンおよびタッチパネルを用いるようにしても良いし、撮影用モニタ３５の近傍等に、スイッチ等の入力デバイスを撮影用モニタ３５とは別に設けるようにしてもよい。勿論それ以外の入力デバイスを用いるようにしてもよい。
【００８５】
音声出力部３６Ａおよび音声出力部３６Ｂは、スピーカにより構成され、左右２チャンネル（互いに異なるチャンネル）の音声（例えば、撮影作業案内用音声やBGM（Back Ground Music））を出力する。以下において、音声出力部３６Ａおよび音声出力部３６Ｂを区別して説明する必要の無い場合、それらをまとめて音声出力部３６と称する。硬貨投入排出口３７は、硬貨を投入する投入口と、硬貨が排出される排出口を有している。利用者は、この硬貨投入排出口３７の投入口に、予め定められた所定の料金の硬貨を投入することにより、写真シール作成ゲーム（撮影作業や編集作業等の、写真シールを写真シール作成装置３より提供されるまでの一連の作業）のプレイを開始する。なお、この硬貨投入排出口３７は、正面１１−１以外の面に設けるようにしても勿論よい。
【００８６】
図５は、第１ユニット１１の右側面１１−２の構成例を示す図である。
【００８７】
図５において、右側面１１−２には、事後接客ユニット４０が設けられている。事後接客ユニット４０には、事後接客用モニタ４１、音声出力部４２−１、および音声出力部４２−２が設けられている。事後接客用モニタ４１は、その表示面に無色透明の感圧式等のタッチパネルが重畳されており、ゲームや付加サービスに対する個人設定等の入力に関するGUI画像を表示し、それに対する入力を受け付ける。音声出力部４２−１および音声出力部４２−２は、スピーカにより構成され、左右２チャンネル（互いに異なるチャンネル）の音声（例えば、事後接客用音声やBGM）を出力する。以下において、音声出力部４２−１および音声出力部４２−２を区別して説明する必要の無い場合、それらをまとめて音声出力部４２と称する。
【００８８】
このような事後接客ユニット４０を設けることにより、編集作業を終了し、印刷処理が終了してシールシートが排出されるまでの間待機する利用者は、この事後接客ユニット４０による事後接客処理（ゲームやアクセス先通知等の追加サービス等）によって、退屈せずに時間を過ごすことができる。これにより利用者の満足度が向上する。また、その利用者の満足度の向上が集客数の上昇に繋がることが期待できるので、店舗側としては収益性の向上を見込むことができる。なお、この事後接客処理の詳細については後述する。
【００８９】
右側面１１−２の事後接客ユニット４０の下には、メンテナンス用ドア部４３が設けられている。メンテナンス用ドア部４３は、蝶番４４−１および蝶番４４−２を軸として回転するように開閉する。メンテナンス用ドア部４３には、またドアノブ４５も設けられている。メンテナンス用ドア部４３には、さらに、シール紙排出口４６が設けられている。シール紙排出口４６には、内部のプリンタ（図示せず）で印刷された後排出されたシール紙がシール紙排出口４６より飛び出さないようにする止め部４７も設けられている。
【００９０】
図６は、写真シール作成装置３の第１ユニット１１の背面１１−３の構成例を示す図である。
【００９１】
図６において、背面１１−３には、利用者が編集作業を行う際に利用するアイテムがまとめられた編集ユニット５１−１および編集ユニット５１−２が設置されている。編集ユニット５１−１は、編集入力用モニタ５２−１、２本のタッチペン５３−１および５３−２、並びに、２つの音声出力部５４−１および５４−２を有している。編集ユニット５１−２も、編集ユニット５１−１の場合と同様に、編集入力用モニタ５２−２、２本のタッチペン５３−３および５３−４、並びに、２つの音声出力部５４−３および５４−４を有している。
【００９２】
以下において、編集ユニット５１−１および編集ユニット５１−２を互いに区別して説明する必要の無い場合、それらをまとめて編集ユニット５１と称する。
【００９３】
編集入力用モニタ５２−１は、CRTディスプレイやLCDにより構成され、撮影空間における撮影作業により得られた撮影画像を編集するためのGUI画像である編集画面等を表示する。この編集入力用モニタ５２−１の画面上には無色透明のタッチパネル（例えば電磁誘導式）が重畳されている。また、この編集入力用モニタ５２−１の左右近傍には、このタッチパネルに対応するタッチペン５３−１とタッチペン５３−２が左右１本ずつ所定のアタッチメントにより編集ユニット５１−１に対して着脱可能に固定されている。編集入力用モニタ５２−１は、例えば、複数の利用者が同時に編集作業を行うことができるように、２つの編集画面が並べられた画像を表示させる。その場合の各編集画面は、利用者が混乱しないように、それぞれ、タッチペン５３−１とタッチペン５３−２の内、互いに異なる方に対応するようになされており、基本的に、対応しない他方のタッチペンでは編集作業を行うことができないようになされている。
【００９４】
編集入力用モニタ５２−２も、編集入力用モニタ５２−１の場合と同様であり、CRTディスプレイやLCDにより構成され、画面上には無色透明のタッチパネル（例えば電磁誘導式）が重畳されている。また、この編集入力用モニタ５２−２の左右近傍には、このタッチパネルに対応するタッチペン５３−３とタッチペン５３−４が左右１本ずつ所定のアタッチメントにより編集ユニット５１−２に対して着脱可能に固定されている。
【００９５】
以下において、編集入力用モニタ５２−１および編集入力用モニタ５２−２を互いに区別して説明する必要の無い場合、それらをまとめて編集入力用モニタ５２と称する。
【００９６】
タッチペン５３−１およびタッチペン５３−２は、編集ユニット５１−１と有線（または無線）により（電気的に）接続されている。タッチペン５３−１およびタッチペン５３−２は、編集入力用モニタ５２−１の画面上のタッチパネル（例えば電磁誘導式）と連携して動作する。利用者がこれらのタッチペン５３−１およびタッチペン５３−２を操作して、このタッチパネルをタップする（タッチペン５３−１およびタッチペン５３−２とタッチパネルを接触（または近接）させる）ことにより、これらは、利用者からの入力を受け付ける入力手段として動作する。なお、タッチペン５３−１およびタッチペン５３−２からは、後述するように、例えばタッチパネルを介して互いに異なる信号が入力される。これにより写真シール作成装置３は、タッチペン５３−１およびタッチペン５３−２のそれぞれについて、タッチパネルのどこにタップされたかを識別することができる。つまり、写真シール作成装置３は、タッチペン５３−１およびタッチペン５３−２がタップされた位置の位置情報だけでなく、タッチペン５３−１およびタッチペン５３−２の識別情報も取得することができる。
【００９７】
タッチペン５３−３およびタッチペン５３−４も、タッチペン５３−１およびタッチペン５３−２の場合と同様に、編集ユニット５１−２と有線（または無線）により（電気的に）接続されている。タッチペン５３−３およびタッチペン５３−４は、編集入力用モニタ５２−２の画面上のタッチパネル（例えば電磁誘導式）と連携して動作する。つまり、利用者が操作してこのタッチパネルをタップすることにより、これらのタッチペン５３−３およびタッチペン５３−４も、タッチペン５３−１およびタッチペン５３−２の場合と同様に、利用者からの入力を受け付ける入力手段として動作する。なお、タッチペン５３−３およびタッチペン５３−４も、タッチペン５３−１およびタッチペン５３−２の場合と同様に、互いを識別可能にするために、例えばタッチパネルを介して互いに異なる信号を入力する。
【００９８】
以下において、タッチペン５３−１乃至タッチペン５３−４を互いに区別して説明する必要の無い場合、それらをまとめてタッチペン５３と称する。
【００９９】
また、編集入力用モニタ５２−１の下側近傍には、左右に並ぶように、音声出力部５４−１および音声出力部５４−２が設けられている。音声出力部５４−１および音声出力部５４−２は、それぞれスピーカにより構成され、左右２チャンネル（互いに異なるチャンネル）の音声（例えば、編集作業案内用音声やBGM）を出力する。
【０１００】
音声出力部５４−３および音声出力部５４−４も、音声出力部５４−１および音声出力部５４−２の場合と同様に、編集入力用モニタ５２−２の下側近傍に、左右に並ぶように設けられている。この音声出力部５４−３および音声出力部５４−４は、それぞれスピーカにより構成され、左右２チャンネル（互いに異なるチャンネル）の音声（例えば、編集作業案内用音声やBGM）を出力する。
【０１０１】
以下において、音声出力部５４−１乃至音声出力部５４−４を互いに区別して説明する必要の無い場合、それらをまとめて音声出力部５４と称する。
【０１０２】
図７は、ゲーム中に利用者が、写真シール作成装置３が有する空間を移動する様子について説明する図である。
【０１０３】
図７に示されるように、写真シール作成装置３は、撮影空間６１、編集空間６２、および事後接客空間６３を有する。
【０１０４】
撮影空間６１は、利用者が、CCDカメラ３３を用いて、自分自身を撮影する撮影作業を行う空間である。編集空間６２は、撮影空間６１において撮影作業を行った利用者が、背面１１−３に設置されている編集ユニット５１を利用して、撮影画像に対する落書き編集入力作業を行うための空間である。事後接客空間６３は、第１ユニット１１の右側面１１−２近傍の空間であり、編集空間６２において落書き編集作業を行った利用者が、写真シールの印刷が完了するまでの間に行われる事後接客に対する作業を行うための空間である。例えば、利用者の暇つぶしのためのミニゲームや、サーバ２にアップロードする撮影画像を選択したり、その撮影画像をダウンロードするためのアクセス先の情報を通知する電子メールの送信先の情報（例えば携帯型電話機５の電子メールアドレス）を入力したりする作業が行われる。なお、図３においては、カーテン等を用いて事後接客空間６３とその外部を仕切るようにしてはいないが、編集空間６２のように、この事後接客空間６３がその外部とカーテン等により（簡易的に）仕切られるようにしてももちろんよい。
【０１０５】
次に、この図７を参照して、利用者が案内される様子（写真シール作成装置３の接客方法）を説明する。
【０１０６】
上述したように、１つのゲームは、大きく分けて、利用者を撮影する撮影作業、撮影作業により得られた利用者の画像を編集する編集作業、および編集作業により編集した利用者の画像をシール紙に印刷する印刷作業（その待ち時間に行う事後接客も含む）の３つの行程により構成される。
【０１０７】
まず、１組目の２人の利用者（Ａ０およびＢ０）は、順番が回ってくると、案内に従うなどして撮影空間６１に入場し、ゲームを開始し、撮影ユニット３２（CCDカメラ３３）を利用して自分自身の撮影を行う（Ａ１およびＢ１）。撮影作業が終了すると、この写真シール作成装置３は、撮影空間６１の利用者（Ａ１およびＢ１）に対して編集空間６２への移動案内の画像を表示したり、移動を促すメッセージを音声出力したりする。利用者はその案内に従い、撮影空間６１から退出して編集空間６２に移動する。編集空間６２に入場した利用者（Ａ２およびＢ２）は、編集ユニット５１を利用して撮影画像に対する編集作業を行う。そして、編集作業が終了すると、写真シール作成装置３は、編集空間６２の利用者（Ａ２およびＢ２）に対してシール紙排出口４６近傍（事後接客ユニット４０近傍）への移動案内（画像表示および音声出力による移動案内）を行う。利用者はその案内に従い、編集空間６２から退出して事後接客空間６３に移動する（Ａ３およびＢ３）。事後接客空間６３に移動した利用者（Ａ３およびＢ３）は、事後接客ユニット４０を操作してミニゲームや情報の入力等を行いながら、写真シール（画像が印刷されたシール紙）が排出されるまで待機する。写真シールが排出されると、利用者はその写真シールを受け取り、ゲームが終了する。
【０１０８】
なお、１組目の利用者が撮影空間６１から退出して編集空間６２に移動すると、撮影空間６１が空くので、その時点で、次に順番待ちをしていた利用者（Ａ０およびＢ０）は、撮影空間６１に入場し、ゲームを開始することができる（Ａ１およびＢ１）。この２組目の利用者も、１組目の利用者と同様の手順で写真シール作成ゲームをプレイする。
【０１０９】
このように、写真シール作成装置３においては、撮影空間６１と編集空間６２を用いて、２組の利用者がそれぞれ撮影作業と編集作業を同時に行うことができる（２組の利用者による２つのゲームを並行して進行させることができる）。つまり写真シール作成装置３は、最大２組の利用者を同時に接客することができる。このことを以下において「２重接客」と称する。なお、写真シール作成装置３は、正確には、事後接客空間６３の利用者も含めると３組の利用者を同時接客可能であるが、ここでは同時接客数に含めないことにして説明を続ける。
【０１１０】
図８は、写真シール作成装置３の機能的構成例を示すブロック図である。以上において説明した部分と同じ部分については、同じ番号を付し、その説明を省略する。
【０１１１】
図８において、写真シール作成装置３は、バス１００を介して互いに接続された、制御部７１、制御情報記憶部７２、画像データ保持部７３、プレイ情報記憶部７４、利用者情報記憶部７５、硬貨部８１、撮影部８２、第１編集部８３Ａ、第２編集部８３Ｂ、印刷部８４、事後接客部８５、通信部８６、およびドライブ８７により構成される。
【０１１２】
制御部７１は、写真シール作成装置３の装置全体を制御する処理部であり、ゲーム管理部９１、硬貨処理部９２、撮影処理部９３、編集処理部９４、印刷処理部９５、事後接客処理部９６、計時部９７、および管理部９８により構成される。
【０１１３】
ゲーム管理部９１は、写真シールを作成し、利用者に提供するゲーム（写真シール作成ゲーム）の進行状況等の管理制御に関する処理を実行する。硬貨処理部９２は、利用者による硬貨投入に関する制御処理を行う。撮影処理部９３は、主に第１ユニット１１の正面１１−１に設けられた各部を制御し、ゲーム処理中の利用者の撮影作業に関する処理を実行する。編集処理部９４は、主に第１編集部８３Ａおよび第２編集部８３Ｂを制御し、ゲーム処理中の利用者の編集作業に関する処理を実行する。印刷処理部９５は、印刷部８４を制御する等して、写真シール作成ゲーム中の印刷作業に関する処理を制御する。事後接客処理部９６は、利用者が印刷終了まで待機している間に行うミニゲームや追加サービスに関する処理を実行する。計時部９７は、各部の要求に基づいて、あらゆる時刻情報を生成し、供給する等、時間制御に関する処理を行う。管理部９８は、主に通信部８６を制御し、写真シール作成ゲームがプレイされることにより作成された編集済み撮影画像の一部または全部を、サーバ２に送信（アップロード）するための処理を行う。
【０１１４】
制御情報記憶部７２は、例えば、ハードディスクやフラッシュメモリ等により構成され、写真シール作成装置３全体を制御するプログラム（例えば、写真シール作成ゲームを実行するプログラム）やデータ等を記憶する。画像データ保持部７３は、例えば、ハードディスク、フラッシュメモリ、またはRAM（Random Access Memory）等により構成され、CCDカメラ３３により撮影されて得られた画像データを保持する。プレイ情報記憶部７４は、例えば、ハードディスク、フラッシュメモリ、またはRAM等により構成され、写真シール作成ゲームの実行中（プレイ中）に発生した各種の情報（例えば、利用者が設定した、画像の明るさやサイズ等に関する設定情報）をプレイ情報としてそのプレイ毎に記憶し、管理する。つまり、プレイ情報記憶部７４には、どのようなプレイが行われているかを示す情報（プレイ情報）と、各プレイにおいて必要な設定情報（プレイ情報ごとに管理される設定情報）が記憶される。利用者情報記憶部７５は、例えば、ハードディスク、フラッシュメモリ、またはRAM等により構成され、例えば、事後接客処理において利用者が入力したメールアドレス等の個人情報をセキュアに記憶する。
【０１１５】
なお、これらの記憶部の一部または全部が１つの記憶媒体により構成されるようにしてももちろんよいし、上述した各記憶部のそれぞれが複数の記憶媒体により構成されるようにしてもよい。
【０１１６】
硬貨部８１は、主に硬貨処理部９２に制御され、硬貨投入排出口３７における硬貨投入や硬貨排出等の処理を実行する。撮影部８２は、撮影ユニット３２を有し、主に撮影処理部９３に制御されて、CCDカメラ３３による撮影処理を行ったり、撮影により得られた画像データを表示したり、得られた画像データを、バス１００を介して画像データ保持部７３に供給したりする。第１編集部８３Ａは、編集ユニット５１−１を有し、主に編集処理部９４に制御されて、撮影により得られた画像データに対する編集入力に関する処理を行う。第２編集部８３Ｂの構成は、編集ユニット５１−２を有し、主に編集処理部９４に制御されて、撮影により得られた画像データに対する編集入力に関する処理を行う。
【０１１７】
以下において、第１編集部８３Ａおよび第２編集部８３Ｂを区別して説明する必要の無い場合、それらをまとめて編集部８３と称する。
【０１１８】
印刷部８４は、プリンタを有しており、主に印刷処理部９５等に制御され、所定のシール紙に、供給された編集済みの撮影画像等を含む印刷用データを印刷する処理等を行う。事後接客部８５は、事後接客ユニット４０を含み、主に事後接客処理部９６に制御され、シール紙の印刷中に待機している利用者に対してゲームや追加サービス等を提供する。通信部８６は、外部のネットワーク４に接続され、サーバ２や携帯型電話機５と通信処理を行う。ドライブ８７には、磁気ディスク（フレキシブルディスクを含む）、光ディスク（CD-ROM(Compact Disc-Read Only Memory)、DVD(Digital Versatile Disc)を含む）、光磁気ディスク、および、半導体メモリなどのリムーバブルメディア１０２が適宜装着され、それらから読み出されたコンピュータプログラムやデータが、必要に応じて制御情報記憶部７２に保存されたり、インストールされたりする。
【０１１９】
図９は、撮影処理部９３の詳細な構成例を示すブロック図である。
【０１２０】
撮影処理部９３は、撮影制御部１１１、連結パターン選択処理部１１２、連結撮影処理部１１３、通常撮影処理部１１４、およびキープ画像選択処理部１１５によって構成されている。
【０１２１】
撮影制御部１１１は、撮影処理部９３を構成する各部を制御し、写真シール作成ゲームの一連の処理の間、利用者自身を撮影する撮影作業に対する処理の進行を制御する。
【０１２２】
連結パターン選択処理部１１２は、撮影制御部１１１によって制御され、バス１００を介して撮影部８２を制御し、選択された各種の連結パターンに関する処理を実行する。ここでは、連結とは、複数の撮影画像が並べて表示されることである。この連結を行う場合、写真シール作成装置３は、各撮影画像データを１つにまとめる（つまり、それらの画像を合成し、１つの画像データを作成する）ようにしてもよいし、各撮影画像データはまとめず、それらを互いに関連付ける（配置パターンを定義する）情報を作成する（例えば、各データのヘッダにそのような情報を追加する、または各データの関連を定義する定義データを新たに作成する）ようにしてもよい。つまり、この「連結された画像」は、表示される際に、連結されて１枚の画像として表示されるようになされていればよく、そのデータの形態はどのようなものであってもよい。なお、以下において、この連結が行われた画像（連結された画像）のことを「つなぎプリ」と称する。
【０１２３】
また、連結パターンとは、連結される画像（「つなぎプリ」を構成する画像）の枚数、各画像の大きさや形状、または各画像の並べ方（配置パターン）等の連結の仕方を定義するものである。なお、以下において、例えば２枚連結や３枚連結等のように、画像数のみによる連結パターンの識別を行い、さらに、単数（つまり非連結）も連結パターンの１つとしてみなしている場合もある。なお、連結モードによる撮影処理とは、繋ぎ合わせるための複数の画像（「つなぎプリ」を構成する画像群）を撮影する処理をいう。
【０１２４】
例えば、連結パターン選択処理部１１２は、撮影用モニタ３５を介して連結パターン選択画像（利用者に連結パターン（撮影方法）を選択させるGUI画像）を表示し、その連結パターン選択画像を撮影制御部１１１に供給する。
【０１２５】
連結撮影処理部１１３は、連結モードによる撮影処理を行う。この連結モードの場合、取り込み画像表示用モニタ３４には、ライブビュー画像として、現在の取り込み動画像と、前回までに撮影された（採用された）撮影画像（静止画像）が並べられて表示される。つまり、取り込み画像表示用モニタ３４には、（現在までの）擬似的なつなぎプリの状態でライブビュー画像が表示される。なお、この連結モードの場合、プレビュー画像も、前回までの撮影静止画像と今回の撮影静止画像が並べて表示される。つまり、撮影用モニタ３５（および取り込み画像表示用モニタ３４）には、（現在までの）つなぎプリの状態でプレビュー画像が表示される。連結撮影処理部１１３は、このような撮影処理を繰り返し、撮影画像を保持していき、連結予定枚数（連結用の１組の撮影画像枚数）が揃ったらそれらの撮影画像データを連結させ（連結に関する情報を作成し）、キープ画像選択処理部１１５へ供給する。
【０１２６】
通常撮影処理部１１４は、撮影制御部１１１によって制御され、バス１００を介して撮影部８２を制御し、通常の撮影に関する処理を実行する。例えば、通常撮影処理部１１４は、CCDカメラ３３を用いて撮影画像を取り込み、取り込み画像表示用モニタ３４にライブビュー画像を表示し、利用者の指示を受け付けて撮影画像をキャプチャする。キャプチャされた撮影画像は、撮影用モニタ３５に表示され、撮影制御部１１１に供給される。
【０１２７】
キープ画像選択処理部１１５は、連結撮影処理部１１３および通常撮影処理部１１４より供給された撮影画像を保持し、利用者の指示を受け付け、利用者の指示通りに撮影画像を画像データ保持部７３に供給する(キープする)。
【０１２８】
図１０は、撮影部８２の詳細な構成例を示すブロック図である。
【０１２９】
図１０において、撮影部８２は、音声出力制御部１３１、照明制御部１３２、表示制御部１３３、VRAM（Video Random Access Memory）１３４、タッチパネル１３５、タッチパネル制御部１３６、照明部３１、撮影ユニット３２、撮影用モニタ３５、および音声出力部３６によって構成されている。
【０１３０】
音声出力制御部１３１は、音声データからアナログ音声信号を生成し、それを音声出力部３６に供給することによって、音声出力部３６より音声を出力させる。照明制御部１３２は、照明部３１の発光や蓄電を制御し、撮影タイミング（フレーム画像をキャプチャするタイミング）に応じた所定のタイミングで照明部３１をストロボ発光させる。
【０１３１】
表示制御部１３３は、GUI画像データ、撮影画像データ、または、CCDカメラ３３より供給される取り込み動画像データに対して、適宜、VRAM１３４を用いて連結等の画像処理を行い、その画像処理により得られた表示用画像を撮影用モニタ３５に表示させる。また、撮影用モニタ３５の画面上には、タッチパネル１３５が重畳されている。そのタッチパネル１３５を制御するタッチパネル制御部１３６は、タッチパネル１３５上で利用者が指定した位置を検知し、その位置情報を撮影処理部９３や表示制御部１３３に供給する。表示制御部１３３は、供給された位置情報、またはその位置情報に基づいて行われる撮影処理部９３による制御に基づいてVRAM１３４に保持されている画像データを処理し、利用者の入力を表示用画像に反映させる。
【０１３２】
また撮影ユニット３２に示されるように、CCDカメラ制御部１４１、CCDカメラ３３、表示制御部１４２、VRAM１４３、および取り込み画像表示用モニタ３４を有している。
【０１３３】
CCDカメラ制御部１４１は、CCDカメラ３３の動作を制御し、フォーカス位置を制御して画像を１フレームずつ取り込ませ、取り込んだフレーム画像を、動画像として表示制御部１４２に順次供給させたり、特定のフレーム画像を、撮影により得られた静止画像としてバス１００を介して画像データ保持部７３に供給させたりする。
【０１３４】
表示制御部１４２は、取り込み画像表示用モニタ３４の表示を制御する。その際、表示制御部１４２は、バス１００を介してCCDカメラ３３より供給される画像データを１フレームずつVRAM１４３に蓄積させ、必要に応じて撮影処理部９３より供給される連結用動画像データの１フレームの画像と連結させ、その連結画像をライブビューとして取り込み画像表示用モニタ３４に表示させる。また、表示制御部１４２は、さらに、撮影直後に撮影画像（プレビュー画像）を取り込み画像表示用モニタ３４に表示させるようにしてもよい。
【０１３５】
図１１は、編集処理部９４の詳細な構成例を示すブロック図である。
【０１３６】
図１１において、編集処理部９４は、編集制御部１６１、編集画面表示処理部１６２、入力受付処理部１６３、編集対象画像切替処理部１６４、画像処理部１６５、および分割数選択処理部１６６により構成される。
【０１３７】
編集制御部１６１は、編集処理部９４を構成する各部を制御し、写真シールを作成するゲームの一連の処理の内、利用者により行われる撮影画像の編集作業に対する処理の進行を制御する。
【０１３８】
編集画面表示処理部１６２は、利用者が撮影画像に対する落書き編集等を行う編集画面の表示に関する処理を行う。例えば、編集画面表示処理部１６２は、ペンツール選択ボタンや、スタンプツール選択ボタン等の、編集画面に含まれる編集用のGUI部分を作成し、画像データ保持部７３からキープ画像を取得し、そのキープ画像のサムネイルを作成し、それらを、編集対象画像切替処理部１６４の制御によって供給された撮影画像等とともに編集部８３に供給し、編集画面として編集入力用モニタ５２に表示させる。
【０１３９】
入力受付処理部１６３は、編集部８３を制御し、利用者による入力を受け付け、その入力に対する処理を行う。
【０１４０】
編集対象画像切替処理部１６４は、編集画面表示処理部１６２により表示される編集画面に含まれる編集対象画像の表示の切り替えに関する処理を行う。例えば、編集を希望する撮影画像を編集画面上の所定の位置に大きく表示させる場合、利用者は、タッチペン５３等を用いて、編集入力用モニタ５２に表示された編集画面に含まれるサムネイル画像の中から１つを選択する。入力受付部１６３がこの選択指示を受け付けると、編集対象画像切替処理部１６４は、その指示に基づいて、画像データ保持部７３を制御し、選択されたサムネイルに対応する画像を編集部８３に供給させる。編集画面表示処理部１６２は、その撮影画像を編集対象画像として編集画面に表示させるように制御する。
【０１４１】
画像処理部１６５は、編集画面において行われた、撮影画像に対する落書き編集を、撮影画像データに反映する。
【０１４２】
分割数選択処理部１６６は、シール紙の印刷領域を分割する分割数の選択を促すメッセージを音声出力部５４より出力させ、その分割パターンを利用者に選択させる分割数選択画面を編集用モニタ５２に表示させる。利用者は、この分割パターンを選択することにより、写真シールに印刷される画像のレイアウトパターンを決定する。分割数選択処理部１６６は、タッチパネル１７５を介して入力されたこの分割数の選択指示に基づいて、印刷時の分割数の設定を行う。
【０１４３】
図１２は、第１編集部８３Ａの詳細な構成例を示すブロック図である。編集部８３Ａは、インタフェース処理部１７１、音声出力制御部１７２、表示制御部１７３、VRAM１７４、タッチパネル１７５、タッチパネル制御部１７６、編集入力用モニタ５２、タッチペン５３−１および５３−２、並びに音声出力部５４を有している。なお、第２編集部８３Ｂの構成例は、第１編集部８３Ａの構成例と同様であるため、その説明を省略する。
【０１４４】
インタフェース処理部１７１は、バス１００と接続され、第１編集ユニット５１−１内の各部のインタフェース処理を実行する。音声出力制御部１７２は、インタフェース処理部１７１を介して編集処理部９４より供給される音声データに基づいてアナログ音声信号を生成し、それを音声出力部５４に供給し、出力させる。
【０１４５】
表示制御部１７３は、インタフェース処理部１７１を介して編集処理部９４より供給されるGUI画像データ、または、画像データ保持部７３より供給される撮影画像データ（編集対象画像）等を、適宜、VRAM１７４を用いて繋ぎ合わせて、その表示用画像を編集入力用モニタ５２に表示させる。また、編集入力用モニタ５２の画面上には、タッチパネル１７５が重畳されている。そのタッチパネル１７５とタッチペン５３（タッチペン５３−１および５３−２）により入力される利用者からの指示は、タッチパネル制御部１７６に供給される。タッチパネル制御部１７６は、タッチパネル１７５において、利用者がタッチペン５３を用いてタップすることにより指定した位置を検知し、その位置情報、タッチペン５３の識別情報等を必要に応じてインタフェース処理部１７１を介して編集処理部９４に供給し、利用者により入力された指示情報を、編集入力用モニタ５２に表示される画像に反映させる。
【０１４６】
また、タッチパネル制御部１７６は、利用者により入力された位置情報により制御される情報が、例えば、カーソルの移動等のように簡易的な画像処理のみの場合、利用者により入力された位置情報を、直接、表示制御部１７３に供給することもできる。その場合、表示制御部１７３は、供給された位置情報に基づいて、VRAM１７４に保持されている画像データを処理し、利用者の入力を簡易的に反映させた画像を編集入力用モニタ５２に表示させる。
【０１４７】
なお、このようにして利用者の入力に基づいて編集された撮影画像データ（編集済み画像データ）は、VRAM１７４より画像データ保持部７３に供給され、一旦保持される画像データ保持部７３に保持された編集済み画像データは、後述するように、その後、印刷処理等に利用される。
【０１４８】
図１３は、事後接客部８５の詳細な構成例を示すブロック図である。
【０１４９】
事後接客部８５は、インタフェース処理部１８１、音声出力制御部１８２、表示制御部１８３、VRAM１８４、タッチパネル１８５、タッチパネル制御部１８６、事後接客用モニタ４１、並びに音声出力部４２を有している。
【０１５０】
インタフェース処理部１８１は、バス１００と接続され、事後接客ユニット４０内の各部のインタフェース処理を実行する。音声出力制御部１８２は、例えば、各種案内音声やBGM、またはミニゲームの効果音等、インタフェース処理部１８１を介して事後接客処理部９６より供給される音声データに基づいてアナログ音声信号を生成し、それを音声出力部４２に供給し、出力させる。
【０１５１】
表示制御部１８３は、例えば、ミニゲームを行うか、アップロード画像の選択やアクセス先情報の取得に関する処理等を行うかを選択する内容選択画面、アップロードする撮影画像を選択する送信選択画面、アクセス先情報の送付先とする電子メールアドレスを入力するメールアドレス入力画面、またはミニゲーム等、インタフェース処理部１８１を介して事後接客処理部９６より供給されるGUI画像データ、または、画像データ保持部７３より供給される撮影画像データ（編集対象画像）等を、適宜、VRAM１７４を用いて画像処理し表示用画像を作成し、その表示用画像を事後接客用モニタ４１に表示させる。
【０１５２】
また、事後接客用モニタ４１の画面上には、タッチパネル１８５が重畳されている。そのタッチパネル１８５より入力される利用者からの指示は、タッチパネル制御部１８６に供給される。タッチパネル制御部１８６は、タッチパネル１８５において、利用者が指等を用いてタップすることにより指定した位置を検知し、その位置情報を必要に応じてインタフェース処理部１８１を介して事後接客処理部９６に供給するなどして、利用者により入力された指示情報を、事後接客用モニタ４１に表示される画像に反映させる。
【０１５３】
図１４は、サーバ２の機能的構成例を示すブロック図である。
【０１５４】
図１４において、サーバ２は、制御部２０１、通信部２０２、画像記憶部２０３、ID保管部２０４、認証部２０５、画像処理部２０６、およびフレーム記憶部２０７を有している。
【０１５５】
制御部２０１は、サーバ２全体を制御する処理を行う。通信部２０２は、ネットワーク４を介して写真シール作成装置３や携帯型電話機５等と通信を行う。画像記憶部２０３は、例えば、ハードディスクや半導体メモリ等により構成され、写真シール作成装置３より供給される画像データを記憶する。ID保管部２０４は、ハードディスクや半導体メモリ等により構成され、画像データとともに写真シール作成装置３より供給される、利用者が画像データをダウンロードさせるのに必要な撮影IDやパスワード等の情報を保管する。認証部２０５は、ID保管部２０４に保管されている情報を用いて、利用者が画像データのダウンロードを要求する際に、入力された撮影IDやパスワードの認証を行う。
【０１５６】
画像処理部２０６は、利用者の要求などに基づいて、つなぎプリを構成する画像群を繋ぎ合わせて１枚の画像（つなぎプリ）を作成する。また、画像処理部２０６は、そのつなぎプリに対して、利用者の要求に応じて、横倒ししたり、画像サイズを縮小して縦横比を揃えるためのフレーム画像と合成したり、利用者に要求された位置で部分画像を切り抜いたりする等の編集を行う。そして、画像処理部２０６は、その編集された画像を、制御部２０１を介して通信部２０２に供給し、携帯型電話機５へ供給させる。
【０１５７】
フレーム記憶部２０７は、ハードディスクや半導体メモリ等により構成され、１つまたは複数の所定のフレーム画像を記憶している。このフレーム画像は、つなぎプリ全体を携帯型電話機５に表示させた場合に、携帯型電話機５の表示領域の内、つなぎプリが表示されている部分以外の領域を埋めることができるようなフレーム画像であり、例えば、その縦横比が、携帯型電話機５の表示領域の縦横比と一致するような画像である。フレーム記憶部２０７に複数のフレーム画像が記憶されている場合、画像処理部２０６は、つなぎプリを構成する画像に付加されている、フレームに関する情報、例えば、写真シール作成装置３において行われた、その画像の落書き編集時に、利用者が選択したフレーム画像を示す情報を参照し、その情報に一致または近似するフレーム画像を、フレーム記憶部２０７に記憶されているフレーム画像群の中から選択し、そのフレーム画像をつなぎプリに合成する。
【０１５８】
図１５は、制御部２０１の詳細な構成例を示すブロック図である。
【０１５９】
図１５において、制御部２０１は、画像取得処理部２２１、認証処理部２２２、GUI処理部２２３、画像準備処理部２２４、フレーム編集処理部２２５、画像切抜き処理部２２６、および提供処理部２２７を有している。
【０１６０】
画像取得処理部２２１は、通信部２０２、画像記憶部２０３、およびID保管部２０４を制御し、写真シール作成装置３より供給される画像データおよびその関連情報（例えば、撮影IDやパスワード等）の記憶および保存を行う。認証処理部２２２は、通信部２０２、ID保管部２０４、および認証部２０５を制御し、ID保管部２０４に保管されている撮影IDおよびパスワードを用いて、通信部２０２に取得させた、携帯型電話機５より供給される撮影IDおよびパスワードの認証を認証部２０５に行わせる。
【０１６１】
GUI処理部２２３は、通信部２０６を制御し、画像のダウンロードを要求するためにアクセスしてきた携帯型電話機５に対して各種のGUIを提供したり、そのGUIに応じて入力された利用者の要求を取得したりする。画像準備処理部２２４は、画像記憶部２０３や画像処理部２０６を制御し、GUI処理部２２３を介して供給される利用者の要求に基づいて、画像を提供するための準備処理を行う。フレーム編集処理部２２５は、画像準備処理部２２４の指示に基づいて、フレーム記憶部２０７より、画像に対応するフレーム画像を読み出し、それを画像に合成する。画像切抜き処理部２２６は、画像準備処理の指示に基づいて、画像より、利用者が指定した位置の部分を切抜き、部分画像を生成する。提供処理部２２７は、画像準備処理部２２４において準備された画像を、GUI処理部２２３を介して携帯型電話機５に提供する。
【０１６２】
図１６は、画像記憶部２０３の詳細な構成例を示すブロック図である。
【０１６３】
図１６に示されるように、画像記憶部２０３には、撮影ID毎に、画像データおよびその関連情報がまとめて管理される。撮影IDは、写真シール作成ゲームのプレイ毎に割り当てられる識別情報である。つまり、この撮影IDを用いることにより、サーバ２は、画像データを作成した利用者（またはその利用者に関係のある人物）に対して、正しい画像データを提供することができる。つまり、サーバ２は、画像データを正しい利用者に提供することができるので、他人に画像を閲覧される危険性を低減させることができる。これにより、利用者は、安心して画像のダウンロードサービスを享受することができる。従って、サーバ２は、利用者の満足度を向上させ、収益性を向上させることができる。
【０１６４】
なお、後述するように、画像データは、通常撮影により得られた画像データ（１枚ずつ独立した撮影画像の画像データ）と、連結撮影により得られた画像データ（連結用撮影画像の画像データ）とで、別々に読み出される。つまり、画像をダウンロードさせるときに、利用者は、まず、通常撮影により得られた撮影画像をダウンロードするか、連結撮影により得られた連結用撮影画像をダウンロードするかを選択し、いずれか一方の撮影画像群の中からダウンロードする画像を選択する。
【０１６５】
従って、画像記憶部２０３は、１つの撮影IDに対応する画像データ群を、通常撮影の画像データと連結撮影の画像データとで分けて管理している。より具体的に説明すると、画像記憶部２０３は、例えば、１つの撮影IDから「撮影ID−Ａ」、「撮影ID−Ｂ」の２つのIDを作成し、一方の「撮影ID−Ａ」に通常撮影により得られた画像データを関連付け、他方の「撮影ID−Ｂ」に連結撮影により得られた画像データを関連付けるようにする。そして、「撮影ID」の、通常撮影により得られた画像データの読み出しを指示された場合、画像記憶部２０３は、「撮影ID−Ａ」に関連付けられた画像データを読み出す。逆に、「撮影ID」の、連結撮影により得られた画像データの読み出しを指示された場合、画像記憶部２０３は、「撮影ID−Ｂ」に関連付けられた画像データを読み出す。
【０１６６】
このようにすることにより、画像記憶部２０３は、各画像データのそれぞれについて、通常撮影により得られたものか、連結撮影により得られたものかを確認しなくても、指定された撮影IDに対応する通常撮影の画像データ全部、または、連結撮影の画像データ全部を一気に読み出すことが出来るので、例えば、撮影方法毎に画像データのサムネイル画像一覧を表示させる処理などを容易に行うことができる。
【０１６７】
さらに付言すると、各画像データについても、互いに識別する識別情報が割り当てられている。従って、画像記憶部２０３は、画像データを１つずつ読み出すこともできる（各画像データを指定して読み出すことができる）。なお、この各画像データの識別情報を、撮影方法に応じて規則性を持たせるようにし、画像記憶部２０３は、その規則性により、撮影方法毎に画像データを分類することができるようにしてもよい。例えば、通常撮影により得られた画像データの識別情報の末尾の値を「０」に限定し、連結撮影により得られた画像データの識別情報の末尾の値を「１」に限定するようにする。画像記憶部２０３は、この末尾の値によって、その画像データが、通常撮影により得られたものであるか、連結撮影により得られたものであるかを把握することができる。
【０１６８】
図１７は、フレーム記憶部２０７の詳細な構成例を示すブロック図である。
【０１６９】
図１７に示されるように、フレーム記憶部２０７は、各フレーム画像をフレーム番号で管理している。このフレーム番号は、写真シール作成装置３においても使用されるものであり、例えば、写真シール作成装置３において、利用者が撮影時や落書き編集時等に、撮影画像に対してフレーム画像を割り当てた場合、その撮影画像のデータには、割り当てたフレーム画像のフレーム番号が付加される。フレーム編集処理部２２５は、この画像データに付加されたフレーム番号を参照し、フレーム記憶部２０７に記憶されているフレーム画像群の中から、このフレーム番号に対応するフレーム画像、または、フレーム番号に近似するフレーム番号に対応するフレーム画像（例えば、同じテーマに属するフレーム画像）を取得し、撮影画像に合成する。
【０１７０】
例えば、写真シール作成装置３において、「季節」、「恋愛」、「ファッション」、または「冒険」等、予め複数用意されたテーマの中から利用者が選択したテーマに沿って撮影作業や編集作業を行う場合、撮影画像の背景やフレーム画像等は、その選択されたテーマに属するものが使用される。つまり、このような場合、フレーム画像は、それぞれ何らかのテーマに属しており（テーマ別に分類されており）、フレーム番号には、各フレーム画像を識別する情報の他に、そのフレーム画像が属するテーマを識別する情報も含まれている。例えば、フレーム番号が複数桁により構成され、ある桁において、そのフレーム画像が属するテーマが示され、他の桁において、そのテーマ内における各フレーム画像の識別情報が示されるようになされている。
【０１７１】
このような場合、フレーム編集処理部２２５は、画像データに付加されたフレーム番号と近似する（または同一の）フレーム番号のフレーム画像として、同一のテーマに属するフレーム画像を取得し、撮影画像に合成する。例えば、写真シール作成装置３において「季節」のテーマが選択され、「雪」のフレーム画像が使用されたとき、フレーム編集処理部２２５は、フレーム番号が近似するフレーム画像として、同じ「季節」のテーマに属する「桜」のフレーム画像を取得し、撮影画像に合成する。
【０１７２】
このように写真シール作成時におけるフレームに関する情報を用いることにより、サーバ２は、利用者が望むフレーム画像に近いフレーム画像を撮影画像に付加することができる。これにより、単に何らかのフレーム画像を適当に割り当てる場合より、利用者の好みに近い合成画像を利用者に提供することができる。つまり、サーバ２は、単につなぎプリの上下に発生する隙間を埋める以上の効果を得ることができ、利用者の満足度をより大きく向上させることができる。つまり、その分、より多くの収益性の向上も期待することができる。
【０１７３】
次に、図１８のフローチャートを参照して、写真シール作成ゲーム処理の一例を説明する。
【０１７４】
制御部７１は、ゲーム処理を開始する前、取り込み画像表示用モニタ３４や撮影用モニタ３５に、ゲーム待機画面を表示させている。このゲーム待機画面には、例えば、「お金を入れてね！」などのメッセージが表示される。なお、メッセージは、スピーカにより構成されている音声出力部３６から音声出力されてもよい。
【０１７５】
ステップＳ１において、制御部７１は、図８の硬貨処理部９２からの、ゲーム処理を起動するための起動信号に基づいて、所定の代金の硬貨が硬貨投入排出口３７の投入口に投入されたか否かを判定し、所定の代金の硬貨が投入されたと判定するまで待機する。具体的には、硬貨処理部９２は、投入された硬貨の金額を検出し、所定の代金以上の硬貨が投入されると、ゲーム処理の起動を指令する起動信号を制御部７１に供給する。なお、所定の代金より多い金額の硬貨が投入された場合、硬貨処理部９２は、つり銭の金額を算出し、算出した釣り銭の硬貨を硬貨投入排出口３７の排出口より排出する処理を行う。
【０１７６】
起動信号を検知し、ステップＳ１において、所定の代金の硬貨が、硬貨投入排出口３７に投入されたと判定すると、制御部７１は、処理をステップＳ２に進める。ステップＳ２において、撮影処理部９３は撮影処理を行う。撮影処理が終了すると、編集処理部９４は、ステップＳ３において、撮影処理により得られた撮影画像を編集する編集処理を行う。
【０１７７】
編集処理が終了すると、管理部９８は、ステップＳ４において、撮影画像に撮影IDやパスワードを関連付ける。ステップＳ５において、印刷処理部９５は、印刷処理を行う。この印刷処理に並行して、事後接客処理部９６は、ステップＳ６において事後接客処理を行う。事後接客処理が終了すると、管理部９８は、ステップＳ７において、通信部８６を制御し、送信対象画像データおよびその関連情報をサーバ２に送信させる。
【０１７８】
ステップＳ７の処理が終了すると、制御部７１は、写真シール作成ゲーム処理を終了する。写真シール作成装置３の各部は、利用者の各組に対して、互いに独立して、以上のような写真シール作成ゲーム処理を実行する。
【０１７９】
次に、図１９のフローチャートを参照して、図１８のステップＳ２において実行される撮影処理の詳細について説明する。
【０１８０】
撮影処理が開始されると、連結パターン選択処理部１１２は、ステップＳ３１において、連結パターン選択画面を撮影用モニタ３５に表示させ、何枚の画像をどのように連結させるかを示す連結パターンを複数提示し、利用者にいずれか１つのパターンを選択させる。なお、この連結パターンには、「連結を行わない」パターンも含まれる。つまり、利用者は、この連結パターン選択画面において、「連結撮影を行わずに通常撮影を行う」ことも指示することができるようになされている。
【０１８１】
ステップＳ３２において、連結パターン選択処理部１１２は、ステップＳ３１において表示させた連結パターン選択画面に対する利用者のパターン選択指示入力を受け付ける指示受付処理を行う。そして、ステップＳ３３において、連結パターン選択処理部１１２は、利用者からの入力に基づいて、連結撮影を行うか否かを判定し、連結撮影を行うと判定した場合、処理をステップＳ３４に進める。ステップＳ３４において、連結撮影処理部１１３は、つなぎプリ用の撮影画像（互いに連結される複数の撮影画像）を得るための撮影処理である連結撮影処理を行う。連結撮影処理が終了すると、連結撮影処理部１１３は、処理をステップＳ３６に進める。
【０１８２】
また、ステップＳ３３において、利用者が、通常撮影を行うと判定した場合、連結パターン選択処理部１１２は、処理をステップＳ３５に進める。ステップＳ３５において、通常撮影処理部１１４は、１枚ずつ独立した撮影画像を得るための撮影処理である通常撮影処理を行う。通常撮影処理が終了すると、通常撮影処理部１１４は、処理をステップＳ３６に進める。
【０１８３】
ステップＳ３６において、撮影制御部１１１は、撮影枚数が撮影制限枚数（例えば４枚等）を越えたか否かを判定し、撮影枚数が撮影制限枚数を越えていないと判定した場合、処理をステップＳ３７に進める。ステップＳ３７において、撮影制御部１１１は、計時部９７より供給される情報を参照し、制限時間（例えば１２０秒等）を経過したか、または撮影の終了が利用者より指示されたかを判定する。制限時間を経過しておらず、かつ、撮影の終了も指示されていないと判定した場合、撮影制御部１１１は、処理をステップＳ３１に戻し、それ以降の処理を繰り返す。また、制限時間が経過した、または、撮影の終了が指示されたと判定した場合、撮影制御部１１１は、処理をステップＳ３８に進める。なお、ステップＳ３６において、撮影枚数が撮影制限枚数を越えたと判定した場合、撮影制御部１１１は、処理をステップＳ３８に進める。
【０１８４】
ステップＳ３８において、キープ画像選択処理部１１５は、撮影作業により得られた撮影画像の中から落書き編集や印刷を行うためにキープするキープ画像を利用者に選択させるキープ画像選択処理を行う。キープ画像選択処理部１１５は、撮影用モニタ３５にキープ画像選択画面を表示させ、利用者に、所定の枚数分のキープ画像を選択させる。ステップＳ３９において、キープ画像選択処理部１１５は、利用者に選択された撮影画像をキープ画像として画像データ保持部７３に保存させる。
【０１８５】
キープ画像が保存されると、撮影制御部１１１は、ステップＳ４０において、利用者に編集空間６２への移動を促すメッセージや絵柄を含む移動案内画面を、取り込み画像表示用モニタ３４や撮影用モニタ３５に表示させる。ステップＳ４０が終了すると、撮影制御部１１１は、図１８のステップＳ２に処理を戻し、ステップＳ３以降の処理を行う。
【０１８６】
次に、図１９のステップＳ３４で実行される連結撮影処理の例を、図２０のフローチャートを参照して説明する。
【０１８７】
連結撮影処理が開始されると、連結撮影処理部１１３は、ステップＳ５１において、撮影用モニタ３５に、撮影指示受付画面を表示させ、ステップＳ５２において、取り込み画像表示用モニタ３４に、連結用画像を連結してライブビュー画像を表示させる。
【０１８８】
撮影指示受付画面は、利用者からの撮影指示を受け付けるGUI画面であり、撮影指示を入力するための撮影ボタンが設けられている。また、この撮影指示受付画面には、連結撮影の何枚目の撮影かを示す（撮影回数を示す）ために、その旨を通知するメッセージと、これまでに撮影されたプレビュー画像と現在の取り込み画像が表示される。なお、プレビュー画像や取り込み画像の代わりに、撮影回数に応じた枚数の所定の静止画像を表示するようにしてもよい。
【０１８９】
なお、例えば、１回目の撮影の場合、撮影済みの画像はまだ存在しない。従って、この場合、連結撮影処理部１１３は、撮影用モニタ３５に、プレビュー画像を含まない（現在の取り込み画像を含む）撮影指示受付画面を表示させ、取り込み画像表示用モニタ３４に、現在の取り込み画像（ライブビュー画像）のみにより構成されるライブビュー画像表示画面を表示させる。
【０１９０】
これに対して、２回目以降の撮影の場合、前回までの撮影において得られた連結用の撮影画像が存在する。そこでこの場合、連結撮影処理部１１３は、撮影用モニタ３５に、これまでに撮影された連結用撮影画像（プレビュー画像）と現在の取り込み画像の両方を並べた撮影指示受付画面を表示させ、取り込み画像表示用モニタ３４に、これまでに撮影された連結用撮影画像（プレビュー画像）と現在の取り込み画像（ライブビュー画像）の両方を並べたライブビュー画像表示画面を表示させる。
【０１９１】
これにより、利用者は、取り込み画像表示用モニタ３４に表示された、過去の撮影静止画像と、CCDカメラ３３により撮影される利用者の現在の取り込み動画像の両方を見ながら、ポーズをとるなどすることができる。従って、利用者は、各撮影間において、互いに連携するポーズ（撮影姿勢）をより容易に、かつ、より正確にとることができる。
【０１９２】
ステップＳ５３において、連結撮影処理部１１３は、利用者からの撮影指示を受け付けたか否かを判定し、撮影指示を受け付けたと判定するまで待機する。例えば、利用者による、撮影用モニタ３５に表示される撮影を行うためのボタンの操作を検出し、撮影指示を受け付けたと判定した場合、連結撮影処理部１１３は、処理をステップＳ５４に進め、CCDカメラ３３による撮影を行う。撮影される画像は、CCDカメラ３３により撮影される静止画像であるが、ほぼ利用者の意図した通りの画像（ライブビュー画像とほぼ同じ画像）を、静止画像として取り込むことができる。
【０１９３】
ステップＳ５５において、連結撮影処理部１１３は、撮影用モニタ３５に、ステップＳ５４における撮影処理により得られた静止画像（撮影のタイミングにおいて取り込み画像より抽出されたフレーム画像）のプレビュー画像を表示させる。これにより、利用者は、撮影用モニタ３５に表示された、CCDカメラ３３により撮影された自分自身の静止画像を確認することができる。利用者は、このプレビュー画像に対して撮り直しを行うか否かの指示を入力する。
【０１９４】
ステップＳ５６において、連結撮影処理部１１３は、利用者の希望に基づいて、取り直しを行うか否かを判定し、取り直しを行うと判定した場合、今回の撮影により得られた撮影画像データを破棄し、処理をステップＳ５１に戻し、それ以降の処理を繰り返す。また、ステップＳ５６において、取り直しを行わないと判定した場合、連結撮影処理部１１３は、処理をステップＳ５７に進める。
【０１９５】
ステップＳ５７において、連結撮影処理部１１３は、連結用撮影枚数が、連結予定枚数に達したか否かを判定する。例えば、連結撮影処理部１１３は、ステップＳ５１乃至Ｓ５６の処理が何回繰り返されたか数えることによりこれを判定する。なお、連結撮影処理部１１３は、画像データ保持部７３に保存されている撮影画像が何枚あるのかを確認することで、これを判定してもよい。連結用撮影枚数が連結予定枚数に達していないと判定した場合、連結撮影処理部１１３は、処理をステップＳ５１に戻し、それ以降の処理を繰り返す。また、ステップＳ５７において、連結用撮影枚数が連結予定枚数に達したと判定した場合、連結撮影処理部１１３は、処理をステップＳ５８に進める。
【０１９６】
ステップＳ５８において、連結撮影処理部１１３は、連結撮影において得られた複数の画像を互いに連結させる（合成するまたは関連付ける）連結処理を行う。連結処理が終了すると、連結撮影処理部１１３は、連結撮影処理を終了し、処理を図１９のステップＳ３４に戻し、ステップＳ３６以降の処理を行う。
【０１９７】
図２１は、図２０のステップＳ５１において、撮影用モニタ３５に表示される撮影指示受付画面の表示例を示す図である。図２１Ａは、連結撮影の一連の撮影作業の中の１回目の撮影作業に対する撮影指示受付画面の例である。図２１に示されるように、この場合の撮影指示受付画面には、「１枚目を撮影するよ！」のメッセージとともに、現在の取り込み画像（ライブビュー画像）が表示される。また、撮影指示受付画面には、右下に「撮影」ボタンが設けられており、利用者はこの「撮影」ボタンを操作することにより、撮影指示を入力する。
【０１９８】
図２１Ｂは、連結撮影の一連の撮影作業の中の２回目の撮影作業に対する撮影指示受付画面の例である。図２１Ｂに示されるように、この場合の撮影指示受付画面には、「２枚目を撮影するよ！」のメッセージとともに、１回目の撮影結果である連結用撮影画像（プレビュー画像）と現在の取り込み画像（ライブビュー画像）が連結パターンの設定どおりに並べられて表示される。これにより、利用者は、各撮影画像間におけるポーズの位置関係を確認しながら撮影作業を行うことができる。
【０１９９】
図２１Ｃは、連結撮影の一連の撮影作業の中の３回目の撮影作業に対する撮影指示受付画面の例である。図２１Ｃに示されるように、この場合の撮影指示受付画面には、「３枚目を撮影するよ！」のメッセージとともに、１回目と２回目の撮影結果である２枚の連結用撮影画像（プレビュー画像）と現在の取り込み画像（ライブビュー画像）の合計３枚の画像（うち１枚は動画像）が連結パターンの設定どおりに並べられて表示される。これにより、利用者は、各撮影画像間におけるポーズの位置関係を確認しながら撮影作業を行うことができる。
【０２００】
つまり、２回目以降の撮影においては、利用者は、撮影用モニタ３５に表示されるそれまでの撮影において得られた静止画像の内容を確認した上で、ポーズを作ることができる。
【０２０１】
なお、この連結撮影における撮影回数は、連結する画像の枚数に応じて決定される。従って、撮影回数は４回以上であってももちろんよい。また、以上においては、プレビュー画像およびライブビュー画像が連結パターンの設定（利用者が選択した連結パターン）と同様に並べられて表示されるように説明したが、プレビュー画像およびライブビュー画像の並べ方は任意であり、連結パターンの設定と異なる並べ方で並べられるようにしてもよい。例えば、図２１Ｃに示されるように、各画像を撮影順に横方向に左から並べて表示させるようにしてもよいし、右から並べて表示させるようにしてもよいし、上下方向に並べて表示させるようにしてもよい、各画像の一部または全部を互いに重ねて表示させるようにしてもよい。
【０２０２】
図２２は、図２０のステップＳ５５において表示されるプレビュー画像表示画面の一例を示す図である。撮影用モニタ３５は、「こんなカンジになるけどいいかな？」のメッセージとともに、これまでに連結撮影において得られた連結用撮影画像（プレビュー画像）が連結パターンの設定どおりに並べられて表示されている。つまり、利用者は、このプレビュー画像によって、これまでの連結撮影の出来栄えを確認することができる。このプレビュー画像表示画面には、さらに、「いいよ！」の文字が配置されたGUIボタンである「いいよ！」ボタンと、「ダメ！」の文字が配置されたGUIボタンである「ダメ！」ボタンが設けられている。利用者は、連結用撮影画像の出来栄えに納得した場合、「いいよ！」ボタンを操作し、連結用撮影画像の出来栄えに納得しない場合、「ダメ！」ボタンを操作する。
【０２０３】
図２３は、図２０のステップＳ５２において取り込み画像表示用モニタ３４に表示されるライブビュー画像表示画面の例を示す図である。図２３Ａは、連結撮影の一連の撮影作業の中の１回目の撮影作業に対するライブビュー画像表示画面の例である。１回目の撮影においては、プレビュー画像が存在しないので、ライブビュー画像表示画面には、現在のライブビュー画像（動画像）のみが表示される。
【０２０４】
図２３Ｂは、連結撮影の一連の撮影作業の中の２回目の撮影作業に対するライブビュー画像表示画面の例である。２回目の撮影においては、１回目の撮影において得られた連結用画像（プレビュー画像）が存在するので、ライブビュー画像表示画面には、その連結用撮影画像と現在のライブビュー画像（動画像）が、連結パターンの設定どおりに並べて表示される。
【０２０５】
図２３Ｃは、連結撮影の一連の撮影作業の中の３回目の撮影作業に対するライブビュー画像表示画面の例である。３回目の撮影においては、１回目と２回目の撮影において得られた２枚の連結用画像（プレビュー画像）が存在するので、ライブビュー画像表示画面には、その２枚の連結用撮影画像と現在のライブビュー画像（動画像）が、連結パターンの設定どおりに並べて表示される。
【０２０６】
このようにライブビュー画像を表示することにより、２回目以降の撮影において、利用者は、取り込み画像表示用モニタ３４に表示される、前回までの撮影において得られた撮影画像を参照しながら、ポーズを作り撮影作業を行うことができる。
【０２０７】
なお、以上においては、撮影指示受付画面、プレビュー画像表示画面、およびライブビュー画像表示画面に、過去の撮影画像と現在の取り込み画像を表示させるように説明したが、これ以外にも、例えば、連結パターンの内、未撮影の部分には、予め用意された所定の静止画像を表示させるようにしてもよい。
【０２０８】
また、以上においては、連結撮影の撮影毎に利用者が撮影指示を行うように説明したが、これに限らず、連結撮影において行われる複数の撮影を、自動的に連続して行うようにしてもよい。この場合、利用者は、連結撮影における一連の撮影作業が全て終了してから札家結果の確認を行うことになる。
【０２０９】
次に、図２４のフローチャートを参照して、図１８のステップＳ３において実行される編集処理の詳細について説明する。
【０２１０】
ステップＳ６１において、編集画面表示処理部１６２は、編集入力用モニタ５２に編集画面を表示させる。
【０２１１】
図２５は、このとき編集入力用モニタ５２に表示される編集画面の例を示す図である。図２５に示されるように、この編集画面には、ペン、スタンプ等の、撮影画像に対する落書きツールを選択する各種のGUIボタン群が設けられた落書きツール表示部３１１、落書き編集が行われる撮影画像に関する情報を表示する画像情報表示欄３１２、編集処理の残り時間を示す残り時間表示部３１４、落書き編集作業を終了する終了ボタン３１５、並びに、落書き編集の対象となる撮像画像を表示させる落書き対象画像表示領域３１６が配置される。落書きツール表示部３１１は、ペンツールの種類やスタンプツールの種類を選択するための落書きツール表示部３１１Ａと、色や塗りつぶしを選択するための落書きツール表示部３１１Ｂからなる。
【０２１２】
画像情報表示欄３１２は、画像が落書き対象画像表示領域３１６に表示される画像指定のサムネイル３１３Ａ乃至３１３Ｄが設けられている。なお、実際には、サムネイル３１３Ａ乃至３１３Ｄには画像番号に対応する画像（落書き対象画像）を縮小した画像が表示される。以下において、サムネイル３１３Ａ乃至３１３Ｄを区別する必要のない場合、単にサムネイル３１３と称する。
【０２１３】
各サムネイル３１３には、撮影空間６１で撮影された画像が、例えば、撮影順等に従って、１つずつ割り当てられている。利用者がこのサムネイル３１３を操作する（例えば、サムネイル３１３にタッチペン５３で触れることによりサムネイル３１３をボタンとして操作する）と、操作されたサムネイル３１３に対応する撮影画像が落書き対象画像表示領域３１６に表示される。
【０２１４】
落書き対象画像表示領域３１６に表示された画像に対して、利用者は、タッチペン５３を用いて、落書きツール表示部３１１を操作し、落書きツールを選択する等してから、落書き編集入力を行う。この落書き対象画像表示領域３１６は、落書き対象画像表示領域３１６Ａと落書き対象画像表示領域３１６Ｂの２つの領域を有している。例えば、落書き対象画像表示領域３１６Ａには、タッチペン５３−１を用いて選択された画像が表示され、落書き対象画像表示領域３１６Ｂには、タッチペン５３−２を用いて選択された画像が表示される。このとき、落書き対象画像表示領域３１６Ａに表示された編集対象画像に対して落書き編集を行う場合、利用者はタッチペン５３−１を用いて行う必要があり、タッチペン５３−２では落書き対象画像表示領域３１６Ａに表示された編集対象画像に対して落書き編集を入力することができないようになされている。逆に、落書き対象画像表示領域３１６Ｂに表示された編集対象画像に対しては、利用者は、タッチペン５３−２を用いてしか、落書き編集を入力することができないようになされている。
【０２１５】
なお、つなぎプリは、連結用の撮影画像を並べ１枚の画像としてサムネイル化し、利用者に、連結用の各撮影画像を１つのつなぎプリとして選択させるようにしてもよい。例えば、２枚の撮影画像が連結されるつなぎプリが選択された場合、一方の撮影画像は、落書き対象画像表示領域３１６Ａに表示され、他方の撮影画像は、落書き対象画像表示領域３１６Ｂに表示される。この連結用撮影画像の場合、利用者は、タッチペン５３−１またはタッチペン５３−２のいずれを用いても、落書き対象画像表示領域３１６Ａに表示された撮影画像と、落書き対象画像表示領域３１６Ｂに表示された撮影画像の両方に対して落書き編集を入力することができるようになされている。つまり、連結用撮影画像に対する落書き編集の場合、例えば図２５の「ＨＡＰＰＹ！！」の文字列のように、各画像にまたがった落書きを行うこともできる。
【０２１６】
図２４に戻り、ステップＳ６２において、編集対象画像切替処理部１６４は、入力受付処理部１６３を制御し、編集対象画像の選択指示を受け付け、その選択指示に基づいて、編集画面表示処理部１６２を制御し、その選択された画像を落書き対象画像表示領域３１６に表示させる。
【０２１７】
ステップＳ６３において、入力受付処理部１６３は、タッチペン５３の操作に応じた編集入力を受け付ける。ステップＳ６４において、編集画面表示処理部１６２は、ステップＳ６３において受け付けられた編集入力に基づいて編集された画像を落書き対象画像表示領域３１６に表示させる。
【０２１８】
ステップＳ６５において、画像処理部１６５は、編集画面表示処理部１６２上の編集結果（つまり入力された落書きデータ（編集データ））を画像データ（撮影画像）に反映させる。
【０２１９】
ステップＳ６６において、編集制御部１６１は、編集時間が制限時間を経過したか、または編集処理の終了が指令されたか否かを判定する。ステップＳ６６において、編集時間が制限時間を経過していない、かつ編集処理の終了が指令されていないと判定された場合、処理はステップＳ６２に戻り、上述と同様の処理を繰り返す。
【０２２０】
ステップＳ６６において、編集時間が制限時間を経過したか、または編集処理の終了が指令されたと判定した場合、ステップＳ６７に進み、分割数選択処理部１６６は、「分割数を選択してね」というメッセージ（分割数の選択を促すメッセージであれば、これに限定されず、また、メッセージは、音声出力部５４より音声出力してもよい）を、編集入力用モニタ５２に表示させる。
【０２２１】
ステップＳ６８において、分割数選択処理部１６６は、利用者による分割モード（写真シールのレイアウト）の選択を受け付け、ステップＳ６９に進み、分割数選択処理部１６６は、ステップＳ６８で選択を受け付けた分割数の設定を、プレイ情報記憶部７４に保存する（記憶させる）。分割数が保存されると、編集制御部１６１は、移動案内画面表示処理を行い、編集入力用モニタ５２に、利用者に対して編集作業の終了を通知するとともに事後接客空間６３への移動を促す移動案内画面を表示する。利用者は、この案内画面に従って、編集空間６２より退出し、事後接客空間６３に移動する。所定時間移動案内画面を表示させると、編集制御部１６１は、編集処理を終了し、処理を図１８のステップＳ３に戻し、ステップＳ４以降の処理を実行させる。
【０２２２】
次に、図２６のフローチャートを参照して、図１８のステップＳ５において実行される印刷処理の詳細な流れの例について説明する。
【０２２３】
印刷処理が開始されると、印刷処理部９５は、ステップＳ８１において、プレイ情報記憶部７４に記憶された分割モードを読み出し、ステップＳ８２において、画像データ保持部７３より編集済み画像の画像データを読み出し、その編集済み画像を、ステップＳ８１で読み出された分割モードに従って、シール紙の印刷領域に割り当て、ステップＳ８３において、その編集済み画像に対応する撮影ID、パスワード、および、利用者が携帯型電話機５によって、サーバ２にアップロードされた画像を閲覧するためにアクセスするアクセス先アドレスを、シール紙の余白領域に割り当てる。
【０２２４】
印刷領域および余白領域の設定が終了すると、印刷処理部９５は、ステップＳ８４において、データのシール紙への印刷を行い、ステップＳ８５において、編集済み画像等が印刷されたシール紙である写真シールを、シール紙排出口４６より排出させる。写真シールを排出させると、印刷処理部９５は、印刷処理を終了する。
【０２２５】
図２７は、写真シールの印刷の例を示す図である。
【０２２６】
上述したように、写真シールのシール紙３３１には、編集済み画像と、撮影ID、パスワード、および、アクセス先アドレス等の関連情報が印刷される。図２７の例の場合、シール紙３３１には、画像３４１乃至画像３５８と、関連情報３６１が印刷されている。
【０２２７】
画像３４１と画像３５１は、同じ編集済み画像に対応する。画像３４２と画像３５２は、同じ編集済み画像に対応する。画像３４３、画像３４８、画像３５３、および画像３５８は、同じ編集済み画像に対応する。画像３４４と画像３５４は、同じ編集済み画像に対応する。画像３４５と画像３５５は、同じ編集済み画像に対応する。画像３４６と画像３５６は、同じ編集済み画像に対応する。画像３４７と画像３５７は、同じ編集済み画像に対応する。このように、同じ編集画像がシール紙に複数印刷されることもある。
【０２２８】
また、画像３４１と画像３４２は、１回の連結撮影により得られた１組の連結用撮影画像を編集した画像（１つのつなぎプリを構成する画像）である（２枚連結）。画像３４９は、これらの連結用撮影画像をつなぎ合わせたつなぎプリの画像である。
【０２２９】
画像３４５、画像３４６、および画像３４７は、１回の連結撮影により得られた１組の連結用撮影画像を編集した画像（１つのつなぎプリを構成する画像）である（３枚連結）。画像３５０は、これらの連結用撮影画像をつなぎ合わせたつなぎプリの画像である。
【０２３０】
連結用撮影画像（を編集した画像）を印刷領域に割り当てる場合、印刷処理部９５は、複数の連結用撮影画像を、図２７の画像３４１と画像３４２、または、画像３４５乃至画像３４７の例のように、連結パターンの設定どおりに配置し、印刷させるようにしてもよいし、図２７の画像３５５乃至画像３５７の例のように、連結パターンの設定と独立した方法で配置し、印刷させるようにしてもよいし、図２７の画像３４９や画像３５０の例のように、１枚のつなぎプリとして印刷させるようにしてもよい。
【０２３１】
画像３４３と画像３４４は、通常撮影により得られた互いに独立した画像である。
【０２３２】
なお、図２７においては、各画像間に余白を設けているが、余白を設けずに画像間を詰めて印刷するようにしてももちろんよい。
【０２３３】
以上のように、つなぎプリは、写真シール３３１に印刷されて利用者に提供される。このつなぎプリは、複数回の撮影により作成される特殊な画像であり、通常撮影の画像と画像サイズ（縦横比）が異なるだけでなく、その作成方法も異なるので、利用者にとって、通常撮影により得られた画像には無い顕著な娯楽性を有する。つまり、このつなぎプリを作成する機能を設けることにより写真シール作成ゲームの娯楽性が向上する。
【０２３４】
また、利用者は、この写真シールを貼り付けて遊んだり、見て楽しんだり、他の友人と交換したり、写真シールについて会話したりする。つまり、この成果物として得られる写真シール自体が遊具や会話の題材となるので、この特殊なつなぎプリが印刷されることにより、写真シール自体の娯楽性も向上する。
【０２３５】
このように写真シール作成ゲームや写真シールの娯楽性が向上することにより、利用者の満足度が向上し、写真シール作成ゲームの人気を向上させ、写真シール作成装置３の収益率の向上を期待することができる。
【０２３６】
また、図２７の余白領域には、関連情報３６１として、「サイトに入って、携帯に画像をＤＲ（ダウンロード）しよう」のようにサーバ２にアクセスを促すメッセージと、「撮影ID：○○○△△△」のように撮影IDと、「パスワード：×××」のようにパスワードと、「●●●サイト  http://□□□」のようにアクセス先アドレス（この例の場合httpアドレス）が表示されている。利用者は、この写真シール３３１を受け取ると、この関連情報３６１を参照し、自分自身の携帯型電話機５を用いて、●●●サイト（http://□□□）にアクセスする。詳細については後述するが、この●●●サイトにアクセスすると、サーバ２より撮影IDとパスワードの入力画面が供給され、携帯型電話機５に表示される。利用者が、写真シール３３１に印刷された関連情報３６１を参照して、この入力画面に撮影ID（○○○△△△）とパスワード（×××）を入力すると、その撮影IDとパスワードがサーバ２に認証され、その利用者が写真シール作成装置３において作成した画像（例えば、写真シール３３１に印刷された画像３４１乃至画像３４７の元画像）が携帯型電話機５にダウンロード可能になる。
【０２３７】
このように、利用者（携帯型電話機５）がサーバ２より画像をダウンロードする際に撮影IDやパスワードを用いることにより、サーバ２は、画像を、より正確に、その画像に対応する利用者に対して提供することができる。これにより、利用者は安心してサーバ２による画像提供サービスを利用することができる。つまり、利用者の満足度が向上するので、写真シール作成装置３の収益率の向上を期待することができる。
【０２３８】
また、この撮影IDやパスワード、並びに、アクセス先アドレスを写真シールに印刷して提供することにより、利用者は、容易に、これらの情報を把握することができ、容易に画像をダウンロードさせることができる。つまり、利用者の満足度が向上するので、写真シール作成装置３の収益率の向上を期待することができる。
【０２３９】
なお、事後接客処理において、利用者がサーバ２にアップロードさせる画像を選択したり、写真シールに印刷する撮影ID、パスワード、およびアクセス先アドレスの情報を、電子メールを利用して、利用者の携帯型電話機５に電子データとして供給させたりするようにすることもできる。
【０２４０】
図２８のフローチャートを参照して、事後接客処理の例を説明する。
【０２４１】
事後接客処理が開始されると、事後接客処理部９６は、ステップＳ１０１において、事後接客用モニタ４１に、ミニゲームを行うか、送信画像の選択やメールアドレスの入力を行うかを利用者に選択させるGUI画像である内容選択画面を表示させる。利用者は、この内容選択画面に対して、タッチパネル１８５をタップする等して事後接客処理として何を行うかを選択する。ステップＳ１０２において、事後接客処理部９６は、このタッチパネル１８５を介した入力に基づいて、利用者によりミニゲームが選択されたか否かを判定する。
【０２４２】
利用者がミニゲームを選択したと判定した場合、事後接客処理部９６は、処理をステップＳ１０３に進め、利用者に選択されたミニゲームを実行し、事後接客用モニタ４１にその画像を表示させ、利用者にミニゲームをプレイさせる。これにより、利用者は、写真シールの印刷が終了するまでの時間を、退屈せずに過ごすことができる。つまり、写真シール作成装置３は、利用者の満足度を向上させ、収益率の向上を期待することができる。印刷処理が終了すると、事後接客処理部９６は、ミニゲームを終了させる。ミニゲームが終了すると、事後接客処理部９６は、事後接客処理を終了し、処理を図１８のステップＳ６に戻し、ステップＳ７以降の処理を実行させる。
【０２４３】
また、ステップＳ１０２において、利用者がミニゲームではなく、送信画像の選択とメールアドレスの入力を行うことを選択したと判定した場合、事後接客処理部９６は、処理をステップＳ１０４に進める。
【０２４４】
ステップＳ１０４において、事後接客処理部９６は、作成した撮影画像（編集済み画像）の中からサーバ２に送信（アップロード）する画像を利用者に選択させるGUI画像である送信選択画面を事後接客用モニタ４１に表示させる。
【０２４５】
図２９は、事後接客用モニタ４１に表示された送信選択画面の表示例を示す図である。
【０２４６】
図２９において、事後接客用モニタ４１に表示された送信選択画面には、作成された撮影画像（編集済み画像）の一覧（例えば、サムネイル画像）と、画像の選択を促す「どの画像を携帯で使う？」というメッセージと、選択枚数の残り数を示す「残り：＊枚」が表示される。この送信選択画面に対して、利用者は、タッチパネル１８５の、撮影画像のサムネイル画像上をタップすることにより、その画像を、サーバ２に送信する画像として選択する。例えば、利用者が画像を選択すると、その画像の周囲が強調表示されたり、画像の明るさが変化したり、所定の絵柄が付加されたりし、その画像が選択されたことが示される。
【０２４７】
また、「残り：＊枚」の表示には、初期値において、選択可能最大枚数が表示されており、利用者が画像を１枚選択する度にこの枚数の値が１つずつ小さくなる。図２９に示されるように、残り枚数が「０枚」になると、それ以上画像を選択することはできない。
【０２４８】
図２８に戻り、ステップＳ１０４において送信選択画面が表示されると、事後接客処理部９６は、ステップＳ１０５において、利用者により画像が選択されたか否かを判定し、選択されたと判定するまで待機する。１枚または複数枚の画像が選択されたと判定した場合、事後接客処理部９６は、処理をステップＳ１０６に進め、選択された画像を送信対象とする。事後接客処理部９６は、次に、ステップＳ１０７において、利用者に携帯型電話機５の電子メールアドレスを入力させるGUI画像である、メールアドレス入力画面を事後接客用モニタ４１に表示させる。
【０２４９】
図３０は、事後接客用モニタ４１に表示されたメールアドレス入力画面の表示例を示す図である。
【０２５０】
図３０において、メールアドレス入力画面には、電子メールアドレスが入力される、アドレス入力欄３８１と、電子メールアドレスの入力に利用される、入力文字記号一覧３８２とが表示される。利用者は、このメールアドレス入力画面に対して、タッチパネル１８５の、入力文字記号一覧３８２に表示された文字上をタップすることにより、その文字を、アドレス入力欄３８１に表示させることができる。利用者は、このようにして携帯型電話機５の電子メールアドレスを入力する。
【０２５１】
図２８に戻り、メールアドレス入力画面が表示されると、事後接客処理部９６は、ステップＳ１０８において、利用者により電子メールのアドレスが入力されたか否かを判定し、入力されたと判定するまで待機する。電子メールのアドレスが入力されたと判定した場合、事後接客処理部９６は、処理をステップＳ１０９に進め、入力されたメールアドレスを撮影IDに関連付け、ステップＳ１１０において、入力されたメールアドレスを送信先として、撮影ID、パスワード、およびアクセス先アドレスの各情報を含む電子メールを送信する（つまり携帯型電話機５に電子メールを送信する）。
【０２５２】
図３１は、以上のように携帯型電話機５に送信された電子メールの、携帯型電話機５における表示例を示す図である。
【０２５３】
図３１に示されるように、この電子メールには、アクセス方法を簡単に説明する「携帯に画像をダウンロードできるよ。下記撮影IDとパスワードを使ってね。」というメッセージと、撮影IDと、パスワードと、アクセス先アドレスが記載されている。近年の携帯型電話機５は多機能化しており、例えば、電子メール中のhttpアドレス表示を選択することにより、そのアドレスにアクセスすることができるものも多い。また、電子メールの本文の一部または全部をコピーして他の部分にペーストすることができるものも多い。利用者は、携帯型電話機５のこれらの機能を利用することにより、写真シールに印刷された情報を携帯型電話機５に入力してアクセスする場合よりも容易にアクセス先アドレスにアクセスすることができ、さらに、撮影IDやパスワードの入力も容易に行うことができる。
【０２５４】
電子メールを送信すると、事後接客処理部９６は、事後接客処理を終了し、処理を図１８のステップＳ６に戻し、ステップＳ７以降の処理を実行させる。
【０２５５】
以上のように、事後接客処理部９６が送信選択画面を表示させることにより、写真シール作成装置３は、利用者に、サーバ２にアップロードする画像を利用者に選択させることができる。また、事後接客処理部９６が、メールアドレス入力画面を表示させて、利用者に、携帯型電話機５の電子メールアドレスを入力させるので、写真シール作成装置３は、撮影ID、パスワード、およびアクセス先アドレスを電子メールにより携帯型電話機５に供給することができる。これにより、写真シール作成装置３は、利用者の満足度を向上させ、収益率の向上を期待することができる。
【０２５６】
図１８のステップＳ７において、写真シール作成装置３は、送信対象の画像データを、関連情報とともに、ネットワーク４を介してサーバ２に送信する。サーバ２の画像取得処理部２２１は、通信部２０２を制御し、その画像データおよび関連情報を取得する。画像データおよび関連情報を取得すると、画像取得処理部２２１は、その画像データおよび関連情報を、図１６に示されるように、撮影ID毎に画像記憶部２０３に記憶させる。また、画像取得処理部２２１は、撮影IDおよびパスワードをID保管部２０４に供給して保管させる。
【０２５７】
また、利用者が携帯型電話機５を操作して、写真シール作成装置３より以上のように提供されたアクセス先アドレスにアクセスすると、サーバ２は、アクセス受付画面を携帯型電話機５に供給する。携帯型電話機５は、このアクセス受付画面を表示する。
【０２５８】
図３２は、携帯型電話機５において表示部に表示されたアクセス受付画面の例を示す図である。
【０２５９】
図３２において、アクセス受付画面４１１には、サイト名「写真シールサイト●●●」と、「撮影画像をダウンロードする」というメッセージと、「通常撮影画像」と「つなぎプリ画像」のGUI選択肢が表示されている。利用者は、携帯型電話機５を操作し、ダウンロードする画像として、「通常撮影画像」と「つなぎプリ画像」のいずれか一方を選択する。
【０２６０】
ダウンロードする画像が「通常撮影画像」の場合、画像が縦長であるので、サーバ２は、編集せずに指定された画像を携帯型電話機５に供給する。これに対して、ダウンロードする画像が「つなぎプリ画像」の場合、画像が横長であるので、サーバ２は、指定された画像に対して所定の画像編集を行い、編集後の画像を携帯型電話機５に供給する。
【０２６１】
図３３および図３４のフローチャートを参照して、「つなぎプリ画像」を提供する場合に、サーバ２において実行される画像提供処理の例を説明する。また、必要に応じて、図３５乃至図４２を参照して説明する。
【０２６２】
利用者が、アクセス受付画面４１１において「つなぎプリ画像」を選択すると、サーバ２の通信部２０２は、その情報を受信し、それを制御部２０１に供給する。制御部２０１は、その情報に基づいて、画像提供処理を実行する。
【０２６３】
画像提供処理が開始されると、認証処理部２２２は、GUI処理部２２３を制御し、ステップＳ１３１において、通信部２０２を介して、携帯型電話機５にIDパスワード入力画面を供給して表示させ、撮影IDおよびパスワードを入力させる。
【０２６４】
図３５は、携帯型電話機５において表示部に表示されたIDパスワード入力画面の例を示す図である。
【０２６５】
図３５において、IDパスワード入力画面４２１には、撮影IDとパスワードの入力を促す「撮影IDとパスワードを入力してね。」のメッセージと、撮影IDの入力欄と、パスワードの入力欄と、撮影IDおよびパスワードの提示場所を示す「※撮影IDとパスワードはシール紙に載ってるよ。」のメッセージが表示されている。
【０２６６】
利用者は、このIDパスワード入力画面４２１に対して、携帯型電話機５を操作し、撮影IDの入力欄に、写真シール作成装置３より提供された撮影IDを入力し、さらに、パスワードの入力欄に、写真シール作成装置３より提供されたパスワードを入力する。利用者が撮影IDとパスワードを入力すると、その情報は、ネットワーク４を介して、携帯型電話機５から、サーバ２に転送される。
【０２６７】
GUI処理部２２３は、図３３のステップＳ１３２において、その撮影IDおよびパスワードを取得したか否かを判定し、取得したと判定するまで待機する。携帯型電話機５より、利用者が入力した撮影IDおよびパスワードが供給され、それを取得したと判定した場合、GUI処理部２２３は、その撮影IDおよびパスワードを認証処理部２２２に供給し、処理をステップＳ１３３に進める。
【０２６８】
ステップＳ１３３において、認証処理部２２２は、ID保管部２０４に保管されている撮影IDおよびパスワードを用いて、携帯型電話機５より供給された撮影IDおよびパスワードの認証処理を行う。認証に失敗した場合、認証処理部２２２は、認証処理をエラー終了し、画像提供処理を強制終了する。また、認証に成功した場合、認証処理部２２２は、認証処理を正常に終了し、処理をステップＳ１３４に進める。
【０２６９】
ステップＳ１３４において、画像準備処理部２２４は、GUI処理部２２３を制御し、通信部２０２を介して、携帯型電話機５に画像一覧画面を供給して表示させ、ダウンロードする画像を利用者に選択させる。
【０２７０】
図３６は、携帯型電話機５において表示部に表示された画像一覧画面の例を示す図である。
【０２７１】
図３６において、画像一覧画面４３１には、画像の選択を促す「ダウンロードしたい画像を選んでね。」のメッセージと、撮影IDに対応する連結用撮影画像のサムネイル画像と、撮影IDに対応する撮影日を示す「撮影日  ○○年××月△△日」という情報が表示されている。
【０２７２】
利用者は、この画像一覧画面４３１に対して、携帯型電話機５を操作し、サムネイル画像を選択する（例えば、十字キー等でフォーカスを目的のサムネイル画像に位置させ、決定ボタンを押下する）ことにより、ダウンロードする画像を選択する。ダウンロードする画像は複数選択可能である。利用者がダウンロードする画像を選択すると、その選択情報は、ネットワーク４を介して、携帯型電話機５から、サーバ２に転送される。
【０２７３】
GUI処理部２２３は、図３３のステップＳ１３５において、その選択情報を取得したか否かを判定し、取得したと判定するまで待機する。携帯型電話機５より選択情報が供給され、それを取得したと判定した場合、GUI処理部２２３は、その選択情報を画像準備処理部２２４に供給し、処理をステップＳ１３６に進める。
【０２７４】
ステップＳ１３６において、画像準備処理部２２４は、GUI処理部２２３を制御し、通信部２０２を介して、携帯型電話機５に画像確認画面を供給して表示させ、編集指示を受け付ける。
【０２７５】
図３７は、携帯型電話機５において表示部に表示された画像確認画面の例を示す図である。
【０２７６】
図３７において、画像確認画面４４１には、「この画像をダウンロードするよ。」のメッセージと、選択された画像と、「編集してダウンロードする」および「そのままダウンロードする」のGUI選択肢が表示されている。
【０２７７】
利用者は、この画像確認画面４４１に対して、携帯型電話機５を操作し、表示された画像のダウンロードの方法として「編集してダウンロードする」と「そのままダウンロードする」のいずれか一方を選択する。利用者がダウンロードの方法を選択すると、その選択情報は、ネットワーク４を介して、携帯型電話機５から、サーバ２に転送される。
【０２７８】
GUI処理部２２３は、その選択情報を取得すると、それを画像準備処理部２２４に供給する。画像準備処理部２２４は、図３３のステップＳ１３７において、その選択情報に基づいて、利用者が編集を指示したか否かを判定する。利用者がダウンロードの前に画像を編集することを指示したと判定した場合、画像準備処理部２２４は、処理をステップＳ１３８に進める。
【０２７９】
ステップＳ１３８において、画像準備処理部２２４は、GUI処理部２２３を制御し、通信部２０２を介して、携帯型電話機５に編集方法選択画面を供給して表示させ、編集方法を選択させる。
【０２８０】
図３８は、携帯型電話機５において表示部に表示された編集方法選択画面の例を示す図である。
【０２８１】
図３８において、編集方法選択画面４５１には、編集方法の選択を促す「編集する手段を選んでね。」のメッセージと、「１  画像の上下にフレームを付ける」および「２  画像を切抜く」のGUI選択肢が表示されている。
【０２８２】
利用者は、この編集方法選択画面４５１に対して、携帯型電話機５を操作し、表示された画像の編集方法として「１  画像の上下にフレームを付ける」と「２  画像を切抜く」のいずれか一方を選択する。利用者が編集方法を選択すると、その選択情報は、ネットワーク４を介して、携帯型電話機５から、サーバ２に転送される。
【０２８３】
GUI処理部２２３は、その選択情報を取得すると、それを画像準備処理部２２４に供給する。画像準備処理部２２４は、図３４のステップＳ１４１に処理を進め、その選択情報に基づいて、「画像の上下にフレームを付ける」フレーム編集を指示されたか否かを判定する。利用者がフレーム編集を行うことを指示したと判定した場合、画像準備処理部２２４は、処理をステップＳ１４２に進める。
【０２８４】
ステップＳ１４２において、フレーム編集処理部２２５は、フレーム編集処理を行う。フレーム編集処理の詳細については、後述するが、フレーム編集処理部２２５は、画像処理部２０６を制御し、画像記憶部２０３より読み出した画像データを縮小して、フレーム記憶部２０７より読み出したフレームと合成し、所定の縦横比の画像を生成する。
【０２８５】
つまり、つなぎプリの全体画像の縦横比は基本的に横長であり、通常縦長の携帯型電話機５の表示部につなぎプリの全体画像を表示させると、その上下に大きな非表示部分（隙間）を生じてしまい、表示画像としての価値が低下してしまい、利用者の満足度を低下させる恐れがある。そこで、フレーム編集処理部２２５は、フレーム編集処理を行い、その上下の隙間を埋めるようなフレーム画像をつなぎプリの全体画像に合成する。このようにすることにより、つなぎプリの全体画像の表示画面の縦横比が携帯型電話機５の表示部の縦横比に近くなる（一致、または近似する）ので、上述した隙間の発生を抑制することができる（隙間を無くす、若しくは小さくすることができる）。これにより、この表示画面としての価値が向上し、その表示画面を閲覧する利用者の満足度を向上させることができる。
【０２８６】
フレーム編集処理部２２５は、画像処理部２０６を制御し、フレーム編集された画像データを画像準備処理部２２４に供給する。画像準備処理部２２４は、画像の準備が完了すると、その画像データを提供処理部２２７に供給し、処理をステップＳ１４４に進める。
【０２８７】
また、ステップＳ１４１において、選択情報に基づいて、利用者が「画像を切抜く」画像切抜き編集を指示したと判定した場合、画像準備処理部２２４は、処理をステップＳ１４３に進める。ステップＳ１４３において、画像切抜き処理部２２６は、画像切抜き処理を行う。画像切抜き処理の詳細については、後述するが、画像切抜き処理部２２６は、GUI処理部２２３を制御し、通信部２０２を介して切抜き位置指定入力画面を携帯型電話機５に供給し、利用者に、画像の切抜き位置を指定させる。
【０２８８】
つまり、上述したように、通常縦長の携帯型電話機５の表示部につなぎプリの全体画像を表示させると、その上下に大きな非表示部分（隙間）を生じてしまう。そこで、画像切抜き処理部２２６は、利用者の指定に基づいて、つなぎプリの全体画像から、その一部を切抜き、携帯型電話機５の表示部（またはつなぎプリの画像の表示領域）の縦横比に応じた（一致、または近似する）縦横比の部分画像を生成する。このようにすることにより、つなぎプリの全体画像のうち、必要な部分を、携帯画像電話機５に大きく表示させることができる。これにより、この部分画像の表示画面としての価値が向上し、その表示画面を閲覧する利用者の満足度を向上させることができる。
【０２８９】
図３９は、携帯型電話機５において表示部に表示された切抜き位置指定入力画面の例を示す図である。
【０２９０】
図３８において、切抜き位置指定入力画面４６１には、画面の操作目的を説明する「切抜きたい箇所を指定してね。」のメッセージとともに、つなぎプリの全体画像４６２と、切抜き位置を指定するGUIである切抜き枠４６３が表示されている。この切抜き枠４６３の縦横比は、携帯型電話機５の表示領域に適した縦横比に設定されており、この切抜き枠４６３内の画像が切抜かれて、拡大され、携帯型電話機５の表示領域の略全体に表示されることになる。なお、切抜き位置指定入力画面４６１には、さらに、操作方法を説明する「※切抜き枠を移動させてね。」のメッセージも表示されている。利用者は、この切抜き位置指定入力画面４６１に対して、携帯型電話機５を操作して（例えば、十字キー等を操作して）、この切抜き枠４６３の位置を、両矢印４６４に示されるように、画面上左右方向に移動させ、任意の場所に位置させる。そして切抜き枠４６３を所望の場所に位置させると、利用者は、携帯型電話機５を操作することにより（例えば、決定ボタンを操作することにより）、切抜き位置を指定する。
【０２９１】
このような切抜き編集により、利用者は、つなぎプリの画像中において、被写体が集中して配置される場合、その被写体の部分を抽出し、その他の部分を破棄した画像を作成し、得ることができる。
【０２９２】
なお、切抜き枠４６３の大きさは、任意であり、どのような大きさであってもよく、また、切抜き枠４６３が横方向以外にも縦方向や斜め方向にも移動することができるようにしてもよい。
【０２９３】
利用者が切抜き位置を指定すると、その指定情報は、ネットワーク４を介して、携帯型電話機５から、サーバ２に転送される。その指定情報を取得すると、画像切抜き処理部２２６は、画像処理部２０６を制御して、画像記憶部２０３より画像を読み出して、指定された位置で画像を切抜き、その切抜いた部分画像を、画像準備処理部２２４に供給する。画像準備処理部２２４は、画像の準備が完了すると、その画像データを提供処理部２２７に供給し、処理をステップＳ１４４に進める。
【０２９４】
ステップＳ１４４において、提供処理部２２７は、GUI処理部２２３を制御し、以上のように編集した画像データを、通信部２０２を介して携帯型電話機５に供給して表示させる。このとき、GUI処理部２２３は、画像データとともに、編集結果の確認を利用者に促すGUI画像を携帯型電話機５に供給して表示させる。
【０２９５】
図４０は、フレーム編集確認画面の例を示す図である。
【０２９６】
図４０において、フレーム編集確認画面４７１は、フレーム編集の結果を表示するとともに、そのフレーム編集結果を利用者に確認させるためのGUI画面である。フレーム編集確認画面４７１には、「この出来上がりでいいかな？」のメッセージと、つなぎプリの全体画像４６２の上下にフレーム画像４７２が付加された画像が表示されている。さらに、フレーム編集確認画面４７１には、画像の保存方法を説明する「よければ画面メモで保存してね」のメッセージと、「やり直し」と表示された、利用者が操作することにより、画像提供処理のやり直しを指示するGUIボタンである「やり直し」ボタン４７３が表示されている。利用者は、携帯型電話機５にダウンロードされ表示された、つなぎプリの全体画像４６２とフレーム画像４７２の合成画像に満足する場合は、携帯型電話機５を操作し、画面メモでこの合成画像を保存する。この合成画像に不満がある場合は、利用者は、携帯型電話機５を操作して、「やり直し」ボタン４７３を操作し、画像提供処理のやり直しを指示する。
【０２９７】
図４１は、切抜き枠編集確認画面の例を示す図である。
【０２９８】
図４１において、切抜き枠編集確認画面４８１は、切抜き枠を用いた画像編集の結果を表示するとともに、その切抜き枠処理の結果を利用者に確認させるためのGUI画面である。切抜き枠編集確認画面４８１には、「この出来上がりでいいかな？」のメッセージと、つなぎプリの全体画像から切抜かれた部分画像４８２が表示されている。さらに、切抜き枠編集確認画面４８１には、画像の保存方法を説明する「よければ画面メモで保存してね」のメッセージと、「やり直し」と表示された、利用者が操作することにより、画像提供処理のやり直しを指示するGUIボタンである「やり直し」ボタン４８３が表示されている。利用者は、携帯型電話機５にダウンロードされ表示された部分画像４８２に満足する場合は、携帯型電話機５を操作し、画面メモでこの部分画像４８２を保存する。この部分画像４８２に不満がある場合は、利用者は、携帯型電話機５を操作して、「やり直し」ボタン４８３を操作し、画像提供処理のやり直しを指示する。
【０２９９】
このようにつなぎプリの画像とともに、GUI画像を表示させるので、利用者は、容易に画像の保存、または、画像提供処理のやり直しの指示を行うことができる。
【０３００】
図３４に戻り、ステップＳ１４４の処理が終了すると、提供処理部２２７は、処理をステップＳ１４６に進める。
【０３０１】
また、図３３のステップＳ１３７において、利用者がダウンロードの前に画像を編集することを指示しなかったと判定した場合、画像準備処理部２２４は、利用者により選択された画像の画像データを画像記憶部２０３より読み出し、それを提供処理部２２７に供給し、処理を図３４のステップＳ１４５に進める。
【０３０２】
ステップＳ１４５において、提供処理部２２７は、画像データを加工し、そのつなぎプリの画像を９０度回転させてから、通信部２０２を介して携帯型電話機５に供給して横向きに表示させる。つまり、つなぎプリは、携帯型電話機５の表示部に、図４２に示されるように９０度回転した状態で横向きに表示される。
【０３０３】
図４２は、横倒し表示確認画面の例を示す図である。
【０３０４】
図４２において、横倒し表示確認画面４９１は、つなぎプリの全体画像４９２を横向きに表示するとともに、そのつなぎプリの画像を利用者に確認させるためのGUI画面である。横倒し表示確認画面４９１には、つなぎプリの全体画像４９２が横向きに表示されている。さらに、横倒し表示確認画面４９１には、画像の保存方法を説明する「よければ画面メモで保存してね」のメッセージと、「やり直し」と表示された、利用者が操作することにより、画像提供処理のやり直しを指示するGUIボタンである「やり直し」ボタン４９３が表示されている。利用者は、携帯型電話機５にダウンロードされ表示された、つなぎプリの全体画像４９２に満足する場合は、携帯型電話機５を操作し、画面メモでこの、つなぎプリの全体画像４９２を保存する。この、つなぎプリの全体画像４９２に不満がある場合は、利用者は、携帯型電話機５を操作して、「やり直し」ボタン４９３を操作し、画像提供処理のやり直しを指示する。
【０３０５】
このようにすることにより、横長であったつなぎプリの全体画像が縦長になるので、縦長である携帯型電話機５の表示部の縦横比に近くなる。これにより、携帯型電話機５は、つなぎプリの全体画像の表示領域を大きくとることができ、つなぎプリの全体画像を大きく表示させることができる。
【０３０６】
ステップＳ１４５の処理を終了すると、提供処理部２２７は、処理をステップＳ１４６に進める。
【０３０７】
ステップＳ１４６において、提供処理部２２７は、利用者の応答に基づいて、ダウンロードした画像でよいか否かを判定し、利用者が「やり直し」ボタンを操作し、この画像で良くなかったと判定した場合、処理を図３３のステップＳ１３４に処理を戻し、それ以降の処理を繰り返す。また、図３４のステップＳ１４６において、利用者が満足して画像を保存し（「やり直し」ボタンを操作せず）、この画像でよいと判定した場合、提供処理部２２７は、画像提供処理を終了する。
【０３０８】
以上のように、サーバ２が画像提供処理を行うことにより、利用者は、写真シール以外にも画像データとして、つなぎプリの画像を取得することができる。これにより、利用者の満足度が向上し、写真シール作成装置３の収益率を向上させることができる。
【０３０９】
次に、図４３のフローチャートを参照して、図３４のステップＳ１４２において実行されるフレーム編集処理の詳細について説明する。
【０３１０】
フレーム編集処理が開始されると、フレーム編集処理部２２５は、ステップＳ１６１において、利用者に指定された画像データを参照し、ダウンロードする画像に割り当てられたフレーム番号を確認する。ステップＳ１６２において、フレーム編集処理部２２５は、フレーム記憶部２０７を制御し、ダウンロードする画像に割り当てられたフレーム番号に対応するフレーム画像を読み出す。ステップＳ１６３において、フレーム編集処理部２２５は、画像とフレーム画像を繋ぎ合わせるように合成し、合成画像の画像データを作成する。ステップＳ１６３の処理を終了すると、フレーム編集処理部２２５は、フレーム編集処理を終了し、処理を図３４のステップＳ１４２に戻し、ステップＳ１４４以降の処理を実行させる。
【０３１１】
次に、図４４のフローチャートを参照して、図３４のステップＳ１４３において実行される画像切抜き処理の詳細について説明する。
【０３１２】
画像切抜き処理が開始されると、画像切抜き処理部２２６は、ステップＳ１８１において、GUI処理部２２３を制御し、画像全体（全体画像４６２）を携帯型電話機５の画面内に表示する切抜き位置指定入力画面を、通信部２０２を介して携帯型電話機５に供給して表示させ、利用者が行う、可動式の切抜き枠４６３を用いた切抜き位置指定入力を携帯型電話機５に受け付けさせる。携帯型電話機５は、その切抜き位置指定入力を受け付けると、その情報を、サーバ２に供給する。
【０３１３】
ステップＳ１８２において、GUI処理部２２３は、通信部２０２を制御して、その情報を取得し、その情報に基づいて、切抜き位置指定が入力されたか否かを判定し、入力されたと判定するまで待機する。切抜き位置指定が入力されたと判定した場合、GUI処理部２２３は、その切抜き位置指定入力の情報を、画像準備処理部２２４に供給する。画像準備処理部２２４は、ステップＳ１８３において、その情報に含まれる、利用者に指定された切抜き位置の情報を保持する。ステップＳ１８４において、画像切抜き処理部２２６は、その切抜き位置指定に基づいて、つなぎプリの全体画像を切抜き、部分画像を生成する。部分画像を生成すると、画像切抜き処理部２２６は、画像切抜き処理を終了し、処理を図３４のステップＳ１４３に戻し、ステップＳ１４４以降の処理を実行させる。
【０３１４】
このようにすることにより、利用者は、作業中において、つなぎプリの全体画像に対する切抜き位置を容易に把握することができる。つまり、利用者は、つなぎプリの全体画像に対する切抜き位置を把握しながら、作業を行うことができるので、容易に切抜き位置指定作業を行うことができる。
【０３１５】
以上においては、つなぎプリの全体画像から部分画像を切抜く場合、携帯型電話機５の表示部につなぎプリの全体画像を固定的に表示させ、その固定的な全体画像から、可動式の切抜き枠を用いて切抜きを行うように説明したいが、これに限らず、例えば、携帯型電話機５の表示部に、つなぎプリの全体画像の一部を表示する固定的な表示領域を設け、その表示領域の縁を固定的な切抜き枠とし、仮想的な可動式のつなぎプリの全体画像から切抜きを行うようにしてもよい。
【０３１６】
図４５は、携帯型電話機５において表示部に表示された切抜き位置指定入力画面の、他の例を示す図である。
【０３１７】
図４５において、切抜き位置指定入力画面５０１には、画面の操作目的を説明する「切抜きたい箇所を指定してね。」のメッセージとともに、上述したような、つなぎプリの全体画像の一部分を表示する固定的な表示領域５０２が表示されている。この表示領域５０２の内部には、つなぎプリの全体画像５０３の一部分が表示されている。この場合のつなぎプリの全体画像５０３は、点線で示されるように、非表示部分を含む仮想的な画像であり、利用者が携帯型電話機５を操作することにより、このつなぎプリの全体画像５０３を矢印５０４に示されるように左右方向に移動させることができる。この表示領域５０２の縁が切抜き枠とみなされ、この表示領域５０２が切抜き位置として指定されるので、つなぎプリの全体画像５０３を移動させることにより、切抜き位置が変化する。
【０３１８】
表示領域５０２を所望の場所に位置させると、利用者は、携帯型電話機５を操作することにより切抜き位置を指定する。
【０３１９】
つまりこの例の場合、切抜き枠が固定されており、利用者は、その固定された切抜き枠に対して、つなぎプリの全体画像５０３を動かすことにより、切抜き位置を指定する。
【０３２０】
なお、表示領域５０２の大きさは、任意であり、どのような大きさであってもよく、また、つなぎプリの全体画像５０３が横方向以外にも縦方向や斜め方向にも移動することができるようにしてもよい。
【０３２１】
図４６のフローチャートを参照して、この場合の画像切抜き処理の流れの例を説明する。
【０３２２】
画像切抜き処理が開始されると、画像切抜き処理部２２６は、ステップＳ２０１において、GUI処理部２２３を制御し、つなぎプリの全体画像５０３を表示するための、所定の表示領域５０２を切抜き枠とし、その表示領域５０２に、つなぎプリの全体画像５０３の一部分を表示する切抜き位置指定入力画面を、通信部２０２を介して携帯型電話機５に供給して表示させ、利用者が行う、固定的な切抜き枠（表示領域５０２）を用いた切抜き位置指定入力を携帯型電話機５に受け付けさせる。携帯型電話機５は、その切抜き位置指定入力を受け付けると、その情報を、サーバ２に供給する。
【０３２３】
サーバ２の制御部２０１の各部は、ステップＳ２０２乃至ステップＳ２０４の処理を、それぞれ、図４４のステップＳ１８２乃至ステップＳ１８４の場合と同様に実行する。
【０３２４】
ステップＳ２０４の処理が終了し、部分画像が生成されると、画像切抜き処理部２２６は、画像切抜き処理を終了し、処理を図３４のステップＳ１４３に戻し、ステップＳ１４４以降の処理を実行させる。
【０３２５】
このようにすることにより、利用者は、大きな画像で容易に切抜き位置指定作業を行うことができる。また、画像の拡大または縮小等を行わずに切り抜き処理を実現することができる。
【０３２６】
一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークやリムーバブルメディア等の記録媒体からインストールされる。
【０３２７】
例えば、上述したサーバ２は、図４７に示されるような情報処理装置として構成されるようにしてもよい。
【０３２８】
図４７において、情報処理装置６００のCPU（Central Processing Unit）６０１は、ROM（Read Only Memory）６０２に記憶されているプログラム、または記憶部６１３からRAM６０３にロードされたプログラムに従って各種の処理を実行する。RAM６０３にはまた、CPU６０１が各種の処理を実行する上において必要なデータなども適宜記憶される。
【０３２９】
CPU６０１、ROM６０２、およびRAM６０３は、バス６０４を介して相互に接続されている。このバス６０４にはまた、入出力インタフェース６１０も接続されている。
【０３３０】
入出力インタフェース６１０には、キーボード、マウスなどよりなる入力部６１１、CRT、LCDなどよりなるディスプレイ、並びにスピーカなどよりなる出力部６１２、ハードディスクなどより構成される記憶部６１３、モデムなどより構成される通信部６１４が接続されている。通信部６１４は、インターネットを含むネットワークを介しての通信処理を行う。
【０３３１】
入出力インタフェース６１０にはまた、必要に応じてドライブ６１５が接続され、磁気ディスク、光ディスク、光磁気ディスク、或いは半導体メモリなどのリムーバブルメディア６２１が適宜装着され、それらから読み出されたコンピュータプログラムが、必要に応じて記憶部６１３にインストールされる。
【０３３２】
上述した一連の処理をソフトウエアにより実行させる場合には、そのソフトウエアを構成するプログラムが、ネットワークや記録媒体からインストールされる。
【０３３３】
この記録媒体は、例えば、図４７に示されるように、装置本体とは別に、ユーザにプログラムを配信するために配布される、プログラムが記録されている磁気ディスク（フレキシブルディスクを含む）、光ディスク（CD-ROM,DVDを含む）、光磁気ディスク（MDを含む）、もしくは半導体メモリなどよりなるリムーバブルメディア６２１により構成されるだけでなく、装置本体に予め組み込まれた状態でユーザに配信される、プログラムが記録されているROM６０２や、記憶部６１３に含まれるハードディスクなどで構成される。
【０３３４】
以上においては、サーバ２にアップロードされた画像が、携帯型電話機５において、フレーム画像を合成されたり、切抜きされたりするように説明したが、これに限らず、例えば、写真シール作成装置３においてフレーム合成や切抜き等の編集が行われるようにし、その編集後の画像がサーバ２にアップロードされ、利用者に提供されるようにしてもよい。
【０３３５】
例えば、写真シール作成装置３において利用者がプレイする写真シール作成ゲーム中の編集作業の一部として、落書き編集後に、編集空間６２において、利用者が、アップロードする画像の編集（フレーム合成や切抜き等）を行うようにしてもよい。
【０３３６】
その場合の、編集処理部９４の詳細な構成例を図４８に示す。図４８の場合、編集処理部９４は、図１１を参照して説明した構成の他に、さらに、アップロード用の送信画像に対する編集に関する処理を行う送信画像編集処理部７０１を有している。
【０３３７】
この場合の編集処理の流れの例を図４９のフローチャートを参照して説明する。この、図４８の編集処理部９４が実行する編集処理のフローチャートは、図１１の例の編集処理部４９が実行する図２４に示される編集処理のフローチャートに対応するものである。
【０３３８】
つまり、編集処理部９４の各部は、図４９のステップＳ３０１乃至ステップＳ３０９の各処理を図２４のステップＳ６１乃至ステップＳ６９と同様に実行する。ステップＳ３０９の処理が終了すると、送信画像編集処理部７０１は、ステップＳ３１０において、送信画像編集処理を行い、サーバ２にアップロードする画像に対して編集処理を行う。この送信画像編集処理の詳細については後述する。ステップＳ３１０の処理が終了すると、編集制御部１６１は、処理をステップＳ３１１に進め、移動案内画面表示処理を行い、編集入力用モニタ５２に、利用者に対して編集作業の終了を通知するとともに事後接客空間６３への移動を促す移動案内画面を表示する。利用者は、この案内画面に従って、編集空間６２より退出し、事後接客空間６３に移動する。所定時間移動案内画面を表示させると、編集制御部１６１は、編集処理を終了し、処理を図１８のステップＳ３に戻し、ステップＳ４以降の処理を実行させる。
【０３３９】
次に、図５０のフローチャートを参照して、図４９のステップＳ３１０において実行される送信画像編集処理の流れの詳細な例を説明する。
【０３４０】
送信画像編集処理が開始されると、送信画像編集処理部７０１は、ステップＳ３３１において、編集入力用モニタ５２に通信会社選択画面を表示させ、利用者に、利用者の携帯型電話機（画像をダウンロードする携帯型電話機）の通信会社を選択させる。
【０３４１】
図５１は、通信会社選択画面の表示例を示す図である。図５１において、編集入力用モニタ５２には、通信会社選択画面７１１Ａと通信会社選択画面７１１Ｂの２つの通信会社選択画面が表示されている。通信会社選択画面７１１Ａは、タッチペン５３−１に対応する画面であり、通信会社選択画面７１１Ｂは、タッチペン５３−２に対応する画面である。なお、以下において通信会社選択画面７１１Ａと通信会社選択画面７１１Ｂを互いに区別して説明する必要の無い場合、通信会社選択画面７１１と称する。
【０３４２】
つまり、送信画像編集処理部７０１は、１つの編集入力用モニタ５２に複数の通信会社選択画面７１１を表示させ、複数の利用者のそれぞれが互いに異なるタッチペン５３を用いて、各自の携帯型電話機の通信会社を、同時に選択することができるようにする。
【０３４３】
図５０に戻り、送信画像編集処理部７０１は、ステップＳ３３１の処理を終了すると、処理をステップＳ３３２に進め、利用者により通信会社が選択されたか否かを判定し、選択されたと判定するまで待機する。ステップＳ３３２において、利用者により通信会社が選択されたと判定した場合、処理をステップＳ３３３に進める。ステップＳ３３３において、送信画像編集処理部７０１は、編集入力用モニタ５２に機種選択画面を表示させ、利用者の携帯型電話機の機種を選択させる。
【０３４４】
図５２は、機種選択画面の表示例を示す図である。図５２において、編集入力用モニタ５２には、機種選択画面７２１Ａと機種選択画面７２１Ｂの２つの機種選択画面が表示されている。機種選択画面７２１Ａは、タッチペン５３−１に対応する画面であり、機種選択画面７２１Ｂは、タッチペン５３−２に対応する画面である。なお、以下において機種選択画面７２１Ａと機種選択画面７２１Ｂを互いに区別して説明する必要の無い場合、機種選択画面７２１と称する。
【０３４５】
つまり、送信画像編集処理部７０１は、１つの編集入力用モニタ５２に複数の機種選択画面７２１を表示させ、複数の利用者のそれぞれが互いに異なるタッチペン５３を用いて、各自の携帯型電話機の機種を、同時に選択することができるようにする。
【０３４６】
図５０に戻り、送信画像編集処理部７０１は、ステップＳ３３３の処理を終了すると、処理をステップＳ３３４に進め、利用者により機種が選択されたか否かを判定し、選択されたと判定するまで待機する。ステップＳ３３４において、利用者により機種が選択されたと判定した場合、処理をステップＳ３３５に進める。ステップＳ３３５において、送信画像編集処理部７０１は、編集入力用モニタ５２に画像一覧画面を表示させ、編集を行う画像を選択させる。このとき、送信画像編集処理部７０１は、上述した通信会社選択画面７１１や機種選択画面７２１の場合と同様に、１つの編集入力用モニタ５２に複数の画像一覧画面を表示させる。
【０３４７】
ステップＳ３３６において、送信画像編集処理部７０１は、利用者により画像が選択されたか否かを判定し、選択されたと判定するまで待機する。ステップＳ３３６において、利用者により画像が選択されたと判定した場合、処理をステップＳ３３７に進める。ステップＳ３３７において、送信画像編集処理部７０１は、利用者が選択した画像を利用者に確認させるための画像確認画面を表示し、編集指示を受け付ける。このとき、送信画像編集処理部７０１は、上述した通信会社選択画面７１１や機種選択画面７２１の場合と同様に、１つの編集入力用モニタ５２に複数の画像確認画面を表示させる。ステップＳ３３８において、送信画像編集処理部７０１は、利用者により編集が指示されたか否かを判定し、指示されたと判定した場合、処理をステップＳ３３９に進める。
【０３４８】
ステップＳ３３９において、送信画像編集処理部７０１は、フレーム編集処理を行うか、画像切抜き処理を行うかを利用者に選択させる編集方法選択画面を表示させ、編集方法を選択させる。このとき、送信画像編集処理部７０１は、上述した通信会社選択画面７１１や機種選択画面７２１の場合と同様に、１つの編集入力用モニタ５２に複数の編集方法選択画面を表示させる。ステップＳ３４０において、送信画像編集処理部７０１は、フレーム編集が指示されたか否かを判定し、指示されたと判定した場合、処理をステップＳ３４１に進め、フレーム編集処理を実行する。フレーム編集処理が終了すると、送信画像編集処理部７０１は、処理をステップＳ３４３に進める。
【０３４９】
また、ステップＳ３４０において、フレーム編集が指示されていない判定した場合、送信画像編集処理部７０１は、処理をステップＳ３４２に進め、画像切抜き処理を実行する。画像切抜き処理が終了すると、送信画像編集処理部７０１は、処理をステップＳ３４３に進める。
【０３５０】
このとき、図５３に示されるように、送信画像編集処理部７０１は、１つの編集入力用モニタ５２に表示させた各編集方法選択画面について、利用者が、互いに独立して編集方法を選択することができるように制御する。つまり、例えば、１つの編集入力用モニタ５３に、図５１の通信会社選択画面７１１や図５２の機種選択画面７２１のように、２つの編集方法選択画面が表示される場合、送信画像編集処理部７０１は、各編集方法選択画面において編集方法を利用者に選択させるので、図５３に示されるように、切り抜き位置指定入力画面７３１とフレーム編集確認画面７３２が同時に表示される（一方の編集方法選択画面において画像切抜き処理が選択され、他方の編集方法選択画面においてフレーム編集が選択される）こともある。
【０３５１】
ステップＳ３４３において、送信画像編集処理部７０１は、編集済み画像を編集入力用モニタ５２に表示させ、利用者に編集結果を確認させ、処理をステップＳ３４５に進める。また、ステップＳ３３８において、編集が指示されなかったと判定した場合、送信画像編集処理部７０１は、処理をステップＳ３４４に進め、利用者に送信画像（つなぎプリの画像）が携帯型電話機５の表示画面に表示された状態を示すために、編集入力用モニタ５２に、横向きの携帯型電話機の画像を表示させ、その携帯型電話機の画像の表示画面の部分に、送信画像（つなぎプリの画像）を合成して表示させる。つまり、この場合の送信画像（つなぎプリの画像）は、例えば図４２に示されるように、ダウンロードされた携帯型電話機５の縦長の表示画面において、９０度回転された横向きの状態で表示される。
【０３５２】
一般的に、編集入力用モニタ５２は、携帯型電話機５のように回転させることができないため、例えば図４２に示されるように送信画像を横向きに表示させると、利用者は、その送信画像を正しい向き（回転前の向き）に閲覧することが困難になり、見づらくなってしまう恐れがある。そのため、上述したような表示を行うことにより、送信画像編集処理部７０１は、利用者が、携帯型電話機に横向きにつなぎプリの画像が表示された状態を、より容易に確認することができるようにすることができる。
【０３５３】
ステップＳ３４４の処理を終了すると、送信画像編集処理部７０１は、処理をステップＳ３４５に進める。
【０３５４】
ステップＳ３４５において、送信画像編集処理部７０１は、利用者の入力等に基づいて、編集が完了したか否かを判定し、完了しないと判定した場合、処理をステップＳ３３５に戻し、それ以降の処理を繰り返す。また、ステップＳ３４５において、編集が完了したと判定した場合、送信画像編集処理部７０１は、送信画像編集処理を終了し、処理を図４９のステップＳ３１０に戻し、ステップＳ３１１以降の処理を実行させる。
【０３５５】
また、以上においては、事後接客処理においてメールアドレスの入力や送信画像の選択等が行われるように説明したが、例えば、図４９乃至図５３を参照して説明したように、編集処理時に送信画像の編集（フレーム編集や画像切抜き編集等）も行う場合、その編集後に（編集処理時に）、メールアドレスの入力や送信画像の選択等が行われるようにしてもよい。
【０３５６】
図５４は、その場合の編集処理部９４の構成例を示すブロック図である。この図５４の場合、編集処理部９４は、図４８に示される構成に加えて、さらに、メールアドレスの入力や送信画像の選択等を利用者に行わせる送信画像準備処理部７４１を有している。
【０３５７】
この編集処理部９４が実行する編集処理の流れの例を図５５のフローチャートを参照して説明する。編集処理が開始されると、編集処理部９４の各部は、ステップＳ３６１乃至ステップＳ３７０の各処理を、図４９のステップＳ３０１乃至ステップＳ３１０の各処理と同様に実行する。ステップＳ３７０の処理が終了すると、送信画像準備処理部７４１は、ステップＳ３７１において、送信画像準備処理を行い、サーバ２に画像をアップロードするための準備処理を行う。この送信画像準備処理の詳細については後述する。ステップＳ３７１の処理が終了すると、編集制御部１６１は、処理をステップＳ３７２に進め、移動案内画面表示処理を行い、編集入力用モニタ５２に、利用者に対して編集作業の終了を通知するとともに事後接客空間６３への移動を促す移動案内画面を表示する。利用者は、この案内画面に従って、編集空間６２より退出し、事後接客空間６３に移動する。所定時間移動案内画面を表示させると、編集制御部１６１は、編集処理を終了し、処理を図１８のステップＳ３に戻し、ステップＳ４以降の処理を実行させる。
【０３５８】
次に、図５６のフローチャートを参照して、図５５のステップＳ３７１において実行される送信画像準備処理の詳細な流れの例について説明する。
【０３５９】
送信画像準備処理が開始されると、送信画像準備処理部７４１は、ステップＳ３９１において、編集入力用モニタ５２に、図５７に示されるような送信選択画面７５１を表示させ、ステップＳ３９２において、利用者により画像が選択されたか否かを判定し、選択されたと判定するまで待機する。画像が選択されたと判定すると、送信画像準備処理部７４１は、処理をステップＳ３９３に進め、選択された画像を送信対象とし、ステップＳ３９４において、今度は、編集入力用モニタ５２に、図５７に示されるようなメールアドレス入力画面７５２を表示させる。
【０３６０】
そして、送信画像準備処理部７４１は、ステップＳ３９５において、利用者によりメールアドレスが入力されたか否かを判定し、入力されたと判定するまで待機する。メールアドレスが入力されたと判定すると、送信画像準備処理部７４１は、処理をステップＳ３９６に進め、入力されたメールアドレスを撮影IDに関連付け、さらに、ステップＳ３９７において、入力されたメールアドレスに撮影ID、パスワード、およびアクセス先アドレスを送信し、利用者に（利用者の携帯型電話機に）画像のダウンロードに必要な情報を提供する。
【０３６１】
なお、この時点で撮影IDやパスワードが画像に割り当てられていない場合、このとき割り当てられるようにしてもよい。
【０３６２】
ステップＳ３９７の処理を終了すると、送信画像準備処理部７４１は、処理を図５５のステップＳ３７１に戻し、ステップＳ３７２以降の処理を実行させる。
【０３６３】
なお、この送信画像準備処理は、１つの編集入力用モニタ５２に対して同時に複数実行されるようにし、図５７に示される例のように、１つの編集入力用モニタ５２に送信選択画面７５１またはメールアドレス入力画面７５２が同時に複数表示されるようにしてもよい。図５７の例の場合、送信選択画面７５１とメールアドレス入力画面７５２が同時に表示されている。例えば、この場合、送信選択画面７５１は、タッチペン５３−１に対応する（タッチペン５３−１を用いて入力可能な）画面であり、メールアドレス入力画面７５２は、タッチペン５３−２に対応する（タッチペン５３−２を用いて入力可能な）画面である。
【０３６４】
以上のように、フレーム編集や画像切抜き処理を写真シール作成装置３において行うことができるようにすることにより、利用者は、携帯型電話機５において行う場合よりも、大型の画面で、高機能な装置を用いて編集作業を行うことができるので、より容易に作業を行うことができる。また、図５１乃至図５３や図５７に示されるように、１つの編集入力用モニタ５２において、複数の操作画面を表示させることができるので、利用者が複数の場合、同時に複数人が作業を行うことができ、より高速に作業を行うことができる。
【０３６５】
なお、以上においては、編集入力用モニタ５２を用いて送信画像に対する編集を行うように説明したが、これに限らず、写真シール作成装置３のどのモニタにおいて、利用者がこの編集作業を行うようにしてもよい。その場合、この編集作業の実行タイミングは、その編集作業が行われるモニタが設置された空間に応じて適切に（写真シール作成ゲームの進行上、利用者の空間移動が適切になり、不要な待機時間等が発生しないように）決定するのが望ましい。
【０３６６】
また、図２５において、編集入力用モニタ５２に表示される、利用者がつなぎプリを編集するための編集画面の例を説明したが、編集画面のレイアウトは、これに限らず、例えば、図５８に示されるように、落書きツール表示部３１１Ａ、落書きツール表示部３１１Ｂ、残り時間表示部３１４、および終了ボタン３１５をそれぞれ、タッチペン５３−１とタッチペン５３−２のそれぞれに対して設けるようにしてもよい。
【０３６７】
図５８に示される編集画面においては、タッチペン５３−１を操作する利用者用の落書きツール表示部３１１Ａ−１、落書きツール表示部３１１Ｂ−１、残り時間表示部３１４−１、および終了ボタン３１５−１とともに、タッチペン５３−２を操作する利用者用の落書きツール表示部３１１Ａ−２、落書きツール表示部３１１Ｂ−２、残り時間表示部３１４−２、および終了ボタン３１５−２が表示されている。
【０３６８】
タッチペン５３−１を操作する利用者、またはタッチペン５３−２を操作する利用者が、画像情報表示欄３１２のサムネイル３１３よりつなぎプリ（２枚の画像）を選択すると、そのつなぎプリの一方の画像が落書き対象画像表示領域３１６Ａに表示され、他方の画像が落書き対象画像表示領域３１６Ｂに表示される。
【０３６９】
タッチペン５３−１を操作する利用者は、利用者の立ち位置に近い部分に表示されて見易い残り時間表示部３１４−１を参照して残り時間を確認しながら、タッチペン５３−１を用いて、利用者の立ち位置に近い部分に表示され、かつ独占して使用することができるので操作しやすい、タッチペン５３−１専用の落書きツール表示部３１１Ａ−１および落書きツール表示部３１１Ｂ−１を操作し、利用者の立ち位置に近く落書きしやすい落書き対象画像表示領域３１６Ａに表示されている画像に対して落書き編集を行う。落書き編集作業が終了すると、その利用者は、タッチペン５３−１を用いて、利用者の立ち位置に近い部分に表示され、かつ、その利用者専用の、操作しやすい終了ボタン３１５−１を操作することにより、他方の利用者に対して独立的に編集作業を終了させることができる。
【０３７０】
同様に、タッチペン５３−２を操作する利用者は、利用者の立ち位置に近い部分に表示されて見易い残り時間表示部３１４−２を参照して残り時間を確認しながら、タッチペン５３−２を用いて、利用者の立ち位置に近い部分に表示され、かつ独占して使用することができるので操作しやすい、タッチペン５３−２専用の落書きツール表示部３１１Ａ−２および落書きツール表示部３１１Ｂ−２を操作し、利用者の立ち位置に近く落書きしやすい落書き対象画像表示領域３１６Ｂに表示されている画像に対して落書き編集を行う。落書き編集作業が終了すると、その利用者は、タッチペン５３−２を用いて、利用者の立ち位置に近い部分に表示され、かつ、その利用者専用の、操作しやすい終了ボタン３１５−２を操作することにより、他方の利用者に対して独立的に編集作業を終了させることができる。
【０３７１】
編集画面をこのような構成にすることにより、各利用者はさらに容易に落書き編集作業を行うことができる。
【０３７２】
また、このような編集画面において、利用者がつなぎプリ以外の通常の画像を落書き対象の画像として選択した場合、例えば、図５９に示されるように、この編集画面のレイアウトが変更されるようにしてもよい。図５９の場合、編集入力用モニタ５２には、互いに独立して制御される、タッチペン５３−１用の編集画面７７１−１と、タッチペン５３−２用の編集画面７７１−２（複数の編集画面）が並べて表示される。
【０３７３】
この編集画面７７１−１と編集画面７７１−２の各構成は、互いに同様であり、編集画面７７１−１は、タッチペン５３−１でのみ操作可能な落書きツール表示部３１１Ａ−１および落書きツール表示部３１１Ｂ−１、タッチペン５３−１でのみ操作可能なサムネイル３１３Ａ−１乃至３１３Ｄ−１が表示される画像情報表示欄３１２−１、残り時間表示部３１４−１、タッチペン５３−１でのみ操作可能な、編集画面７７１−１の落書き編集作業を終了する終了ボタン３１５−１、並びに、画像情報表示欄３１２−１より選択された画像が表示される落書き対象画像表示領域３１６−１により構成される。また、編集画面７７１−２は、タッチペン５３−２でのみ操作可能な落書きツール表示部３１１Ａ−２および落書きツール表示部３１１Ｂ−２、タッチペン５３−２でのみ操作可能なサムネイル３１３Ａ−２乃至３１３Ｄ−２が表示される画像情報表示欄３１２−２、残り時間表示部３１４−２、タッチペン５３−２でのみ操作可能な、編集画面７７１−２の落書き編集作業を終了する終了ボタン３１５−２、並びに、画像情報表示欄３１２−２より選択された画像が表示される落書き対象画像表示領域３１６−２により構成される。以下において、編集画面７７１−１と編集画面７７１−２を互いに区別して説明する必要の無い場合、編集画面７７１と称する。
【０３７４】
このとき、落書きツール表示部３１１Ａ−１において選択可能な落書きツールと、落書きツール表示部３１１Ａ−２において選択可能な落書きツールとが全て互いに等しくなるようにしてもよいし、その一部または全部が互いに異なるようにしてもよい。落書きツール表示部３１１Ｂ−１と落書きツール表示部３１１Ｂ−２についても同様である。
【０３７５】
また、画像情報表示欄３１２−１に表示されるサムネイル画像３１３と画像情報表示欄３１２−２に表示されるサムネイル画像３１３とが全て互いに等しくなるようにしてもよいし、その一部または全部が互いに異なるようにしてもよい。
【０３７６】
以上のように、利用者が通常の画像（１枚ずつ独立した画像）を落書き対象として選択した場合、図５９に示されるように複数の互いに独立した１人用の編集画面７７１（複数の落書き対象画像表示領域が互いに離れて表示される編集画面）が表示され、利用者がつなぎプリの画像を落書き対象として選択した場合、図５８に示されるように複数人で操作可能な編集画面７６１（複数の落書き対象画像表示領域が並べて表示される編集画面）が表示されるようにすることにより、利用者は、各画像の性質に応じた編集画面で容易に編集を行うことができる。
【０３７７】
なお、以上においては、つなぎプリの例として横方向につなぎ合わせる場合について説明したが、つなぎ合わせの方向（つなぎパターン）は、それ以外であっても良く、例えば、縦方向につなぎ合わせるようにしてもよいし、斜め方向につなぎ合わせるようにしてもよいし、複数の方向につなぎ合わせるようにしてもよいし、アレイ状につなぎ合わせるようにしてもよい。
【０３７８】
ただし、これらのつなぎパターンは、予め用意されており、撮影作業時の表示、編集作業時の表示、印刷された写真シール紙、およびサーバ２からの画像提供時等において、つなぎプリとして表示する際は、必ず同じパターンでつなぎ合わせて表示されるようにする。予め複数のつなぎパターンが用意され、利用者が撮影前に利用するパターンを選択するようにしてもよい。また、その場合、サーバ２若しくは写真シール作成装置３に、各つなぎパターンに対応する（各つなぎパターンの画像の隙間を埋めるような）フレーム画像が予め用意されており、フレーム編集時に、利用者が、編集対象のつなぎプリのつなぎパターンに応じたフレーム画像を用いて編集を行うことができるようにするのが望ましい。
【０３７９】
図６０は、フレーム編集確認画面の他の例を示す図である。図６０において、フレーム編集確認画面８０１には、「この出来上がりでいいかな？」のメッセージと、縦方向につなぎ合わせられたつなぎプリの全体画像８０２の隙間（左右）にフレーム画像８０３が付加された画像が表示されている。さらに、フレーム編集確認画面８０１には、画像の保存方法を説明する「よければ画面メモで保存してね」のメッセージと、「やり直し」と表示された、利用者が操作することにより、画像提供処理のやり直しを指示するGUIボタンである「やり直し」ボタン８０４が表示されている。
【０３８０】
このようにつなぎ合わせのパターンの種類を多く予め用意することにより、写真シール作成装置３は、より多くの利用者の嗜好に適した画像を利用者に提供することができる。これにより、利用者の満足度が向上し、収益性を向上させることができる。
【０３８１】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０３８２】
以上において、印刷媒体は、シール紙に限られるものではなく、例えば、所定のサイズの紙や、ポスター用の紙、テレホンカードなどのカード、あるいは、Ｔシャツなどの布地などに印刷するようにしてもよい。
【０３８３】
また、本明細書において、システムとは、複数の装置により構成される装置全体を表すものである。なお、以上において、一つの装置として説明した構成を分割し、複数の装置として構成するようにしてもよい。逆に、以上において複数の装置として説明した構成をまとめて一つの装置として構成されるようにしてもよい。また、各装置の構成に上述した以外の構成を付加するようにしてももちろんよい。さらに、システム全体としての構成や動作が実質的に同じであれば、ある装置の構成の一部を他の装置の構成に含めるようにしてもよい。
【図面の簡単な説明】
【０３８４】
【図１】本発明を適用した写真シール提供システムの一実施の形態の例を示す図である。
【図２】写真シール作成装置の例を示す斜視図である。
【図３】写真シール作成装置の設置例を示す斜視図である。
【図４】写真シール作成装置の第１ユニットの正面の構成例を示す図である。
【図５】写真シール作成装置の第１ユニットの右側面の構成例を示す図である。
【図６】写真シール作成装置の第１ユニットの背面の構成例を示す図である。
【図７】利用者の移動パターンを説明する図である。
【図８】写真シール作成装置の機能的構成例を示すブロック図である。
【図９】撮影処理部の詳細な構成例を示すブロック図である。
【図１０】撮影部の詳細な構成例を示すブロック図である。
【図１１】編集処理部の詳細な構成例を示すブロック図である。
【図１２】第１編集部の詳細な構成例を示すブロック図である。
【図１３】事後接客部の詳細な構成例を示すブロック図である。
【図１４】サーバの機能的構成例を示すブロック図である。
【図１５】制御部の詳細な構成例を示すブロック図である。
【図１６】画像記憶部の詳細な構成例を示すブロック図である。
【図１７】フレーム記憶部の詳細な構成例を示すブロック図である。
【図１８】写真シール作成ゲーム処理の例を説明するフローチャートである。
【図１９】撮影処理の例を説明するフローチャートである。
【図２０】連結撮影処理の例を説明するフローチャートである。
【図２１】撮影用モニタの表示例を示す図である。
【図２２】プレビュー画像の一例を示す図である。
【図２３】取り込み画像表示用モニタの表示例を示す図である。
【図２４】編集処理の例を説明するフローチャートである。
【図２５】編集画面の例を示す図である。
【図２６】印刷処理の例を説明するフローチャートである。
【図２７】シール紙の印刷の例を示す図である。
【図２８】事後接客処理の例を説明するフローチャートである。
【図２９】送信画像選択画面の例を示す図である。
【図３０】アドレス入力画面の例を示す図である。
【図３１】電子メールの例を示す図である。
【図３２】アクセス受付画面の例を示す図である。
【図３３】画像提供処理の例を説明するフローチャートである。
【図３４】画像提供処理の例を説明する、図３３に続くフローチャートである。
【図３５】IDパスワード入力画面の例を示す図である。
【図３６】DL画像選択画面の例を示す図である。
【図３７】DL画像確認画面の例を示す図である。
【図３８】編集方法選択画面の例を示す図である。
【図３９】切抜き枠編集画面の例を示す図である。
【図４０】フレーム編集確認画面の例を示す図である。
【図４１】切抜き枠編集確認画面の例を示す図である。
【図４２】横倒し表示確認画面の例を示す図である。
【図４３】フレーム編集処理の例を説明するフローチャートである。
【図４４】画像切抜き処理の例を説明するフローチャートである。である。
【図４５】画像移動編集画面の例を示す図である。
【図４６】画像切抜き処理の他の例を説明するフローチャートである。
【図４７】本発明を適用したパーソナルコンピュータの構成例を示す図である。
【図４８】編集処理部の、他の詳細な構成例を示すブロック図である。
【図４９】編集処理の他の例を説明するフローチャートである。
【図５０】送信画像編集処理の例を説明するフローチャートである。
【図５１】通信会社選択画面の例を示す図である。
【図５２】機種選択画面の例を示す図である。
【図５３】フレーム編集確認画面および切抜き位置指定入力確認画面の例を示す図である。
【図５４】編集処理部の、さらに他の詳細な構成例を示すブロック図である。
【図５５】編集処理の、さらに他の例を説明するフローチャートである。
【図５６】送信画像準備処理の例を説明するフローチャートである。
【図５７】送信選択画面およびメールアドレス入力画面の例を示す図である。
【図５８】編集画面の他の例を示す図である。
【図５９】編集画面の、さらに他の例を示す図である。
【図６０】フレーム編集確認画面の他の例を示す図である。
【符号の説明】
【０３８５】
１  写真シール提供システム
２  サーバ
３  写真シール作成装置
４  携帯型電話機
５  ネットワーク
８４  印刷部
８５  事後接客部
９５  印刷処理部
９６  事後接客処理部
９８  管理部
２０１  制御部
２０２  通信部
２０３  画像記憶部
２０４  ID保管部
２０５  認証部
２０６  画像処理部
２０７  フレーム記憶部
２２１  画像取得処理部
２２２  認証処理部
２２３  GUI処理部
２２４  画像準備処理部
２２５  フレーム編集処理部
２２６  画像切抜き処理部
２２７  提供処理部
【図１】
0004747848.tif 000002
【図２】
0004747848.tif 000003
【図３】
0004747848.tif 000004
【図４】
0004747848.tif 000005
【図５】
0004747848.tif 000006
【図６】
0004747848.tif 000007
【図７】
0004747848.tif 000008
【図８】
0004747848.tif 000009
【図９】
0004747848.tif 000010
【図１０】
0004747848.tif 000011
【図１１】
0004747848.tif 000012
【図１２】
0004747848.tif 000013
【図１３】
0004747848.tif 000014
【図１４】
0004747848.tif 000015
【図１５】
0004747848.tif 000016
【図１６】
0004747848.tif 000017
【図１７】
0004747848.tif 000018
【図１８】
0004747848.tif 000019
【図１９】
0004747848.tif 000020
【図２０】
0004747848.tif 000021
【図２１】
0004747848.tif 000022
【図２２】
0004747848.tif 000023
【図２３】
0004747848.tif 000024
【図２４】
0004747848.tif 000025
【図２５】
0004747848.tif 000026
【図２６】
0004747848.tif 000027
【図２７】
0004747848.tif 000028
【図２８】
0004747848.tif 000029
【図２９】
0004747848.tif 000030
【図３０】
0004747848.tif 000031
【図３１】
0004747848.tif 000032
【図３２】
0004747848.tif 000033
【図３３】
0004747848.tif 000034
【図３４】
0004747848.tif 000035
【図３５】
0004747848.tif 000036
【図３６】
0004747848.tif 000037
【図３７】
0004747848.tif 000038
【図３８】
0004747848.tif 000039
【図３９】
0004747848.tif 000040
【図４０】
0004747848.tif 000041
【図４１】
0004747848.tif 000042
【図４２】
0004747848.tif 000043
【図４３】
0004747848.tif 000044
【図４４】
0004747848.tif 000045
【図４５】
0004747848.tif 000046
【図４６】
0004747848.tif 000047
【図４７】
0004747848.tif 000048
【図４８】
0004747848.tif 000049
【図４９】
0004747848.tif 000050
【図５０】
0004747848.tif 000051
【図５１】
0004747848.tif 000052
【図５２】
0004747848.tif 000053
【図５３】
0004747848.tif 000054
【図５４】
0004747848.tif 000055
【図５５】
0004747848.tif 000056
【図５６】
0004747848.tif 000057
【図５７】
0004747848.tif 000058
【図５８】
0004747848.tif 000059
【図５９】
0004747848.tif 000060
【図６０】
0004747848.tif 000061